(57)【特許請求の範囲】
【請求項１】
電解質を含む試薬が存在する、少なくとも作用極および対極から構成される電極と、生体試料を導入するためのキャピラリとを備えているセンサチップにおいて前記生体試料の分析物の濃度を測定する濃度測定方法であって、
前記キャピラリに所定量の前記生体試料を取込む取込ステップと、
前記電極に対して、前記生体試料の温度を測定する際に前記生体試料の分析物の量の増減による影響が少ない所定の電圧を印加して前記生体試料の温度を測定する第１の温度測定ステップと、
前記電極に対して所定の電圧を印加し、前記生体試料に含まれる分析物の濃度を測定する濃度測定ステップと、
前記生体試料の周囲の環境温度を測定する第２の温度測定ステップと、
前記第１の温度測定ステップにおいて測定された生体試料の温度と前記第２の温度測定ステップにおいて測定された環境温度とに基づいて、前記濃度測定ステップにおいて測定された分析物の濃度を補正する補正ステップと、
を備える生体試料の濃度測定方法。
【請求項２】
前記第１の温度測定ステップは、生体試料に接触させた前記電極に流れる電流の大きさに基づいて、生体試料の温度を測定する
請求項１に記載の濃度測定方法。
【請求項３】
前記第２の温度測定ステップは、サーミスタによって環境温度を測定する
請求項１または請求項２に記載の濃度測定方法。
【請求項４】
前記補正ステップは、前記第１の温度測定ステップにおいて測定された生体試料の温度と、前記第２の温度測定ステップにおいて測定された環境温度とを比較して、測定された温度データを選択的に使用して、分析物の濃度を補正する
請求項１から請求項３のいずれか１項に記載の濃度測定方法。
【請求項５】
前記補正ステップは、前記第１の温度測定ステップにおいて測定された生体試料の温度と、前記第２の温度測定ステップにおいて測定された環境温度とを比較し、その差が所定の閾値の範囲内か否かに応じて、測定された温度データを選択的に使用して、分析物の濃度を補正する
請求項４に記載の濃度測定方法。
【請求項６】
前記補正ステップは、前記第１の温度測定ステップにおいて測定された生体試料の温度と、前記第２の温度測定ステップにおいて測定された環境温度のそれぞれの温度データの差に応じて所定の係数を決め、その係数とそれぞれの温度データを演算した結果に基づいて、生体試料中の分析物の濃度を補正する
請求項１から請求項３のいずれか１項に記載の濃度測定方法。
【請求項７】
前記濃度測定ステップでは、前記生体試料に含まれる分析物として、グルコース、ヘマトクリットおよび還元物質の少なくとも１つの濃度を測定する、
請求項１から６のいずれか１項に記載の生体試料の濃度測定方法。
【請求項８】
前記補正ステップは、前記濃度測定ステップにおいて測定されたグルコース濃度を、前記ヘマトクリットあるいは還元物質の濃度と前記生体試料の温度および前記環境温度に基づいて補正する
請求項７に記載の生体試料の濃度測定方法。
【請求項９】
前記第１の温度測定ステップでは、前記濃度測定ステップにおいて前記分析物の濃度を測定する際に印加される電圧の電位差よりも大きい電位差の電圧を印加する、
請求項１から８のいずれか１項に記載の生体試料の濃度測定方法。
【請求項１０】
前記濃度測定ステップでは、前記電極とは別途独立して設けられた測定電極に対して電圧が印加され、
前記第１の温度測定ステップまたは第２の温度測定ステップは、前記濃度測定ステップとは独立して実施される、
請求項１から９のいずれか１項に記載の生体試料の濃度測定方法。
【請求項１１】
前記第１の温度測定ステップにおける電圧印加では、前記濃度測定ステップにおける電圧印加に対して、順番およびタイミングが任意に決定される、
請求項１０に記載の生体試料の濃度測定方法。
【請求項１２】
前記第１の温度測定ステップまたは第２の温度測定ステップは、前記濃度測定ステップの終了後に実施される、
請求項１から１１のいずれか１項に記載の生体試料の濃度測定方法。
【請求項１３】
電解質を含む試薬が存在する、少なくとも作用極および対極から構成される電極を有するセンサチップに対して電圧を印加する測定器であって、
前記センサチップが装填される挿入部と、
前記挿入部に装填された前記センサチップの前記電極に対して、生体試料の分析物による影響が少ない所定の電圧を印加する電圧印加部と、
前記電圧印加部によって印加された電圧の出力値に基づいて、前記生体試料の温度を測定する第１の温度測定部と、
前記生体試料の周囲の環境温度を測定する第２の温度測定部と、
を備える測定器。
【請求項１４】
前記第１の温度測定部は、生体試料に接触させた前記電極に流れる電流の大きさに基づいて、生体試料の温度を測定する
請求項１３に記載の測定器。
【請求項１５】
前記第２の温度測定部は、サーミスタである
請求項１３または請求項１４に記載の測定器。
【請求項１６】
前記電圧印加部は、前記生体試料が電気分解される範囲の直流電圧を印加する、
請求項１３から請求項１５のいずれか１項に記載の測定器。
【請求項１７】
前記電圧印加部から印加された所定の電圧を前記電極に印加し、この電極からの出力値に基づいて、前記生体試料に含まれる分析物の濃度を測定する分析物測定部を、さらに備えている、
請求項１３から請求項１６のいずれか１項に記載の測定器。
【請求項１８】
前記分析物測定部は、前記生体試料に含まれる分析物として、グルコース、ヘマトクリットおよび還元物質の少なくとも１つの濃度を測定する、
請求項１７に記載の測定器。
【請求項１９】
前記電圧印加部は、前記温度測定時には、前記濃度測定時において前記分析物の濃度を
測定する際に印加される電圧の電位差よりも大きい電位差の電圧を印加する、
請求項１７または１８に記載の測定器。
【請求項２０】
生体試料中の分析物濃度測定用の電解質を含む試薬が存在する作用極および対極と、前記生体試料の温度を測定する際に前記生体試料の分析物による影響が少ない所定の電圧が印加される温度電極と、を有するセンサチップと、
前記センサチップの前記温度電極に所定の電圧を所定時間印加するための制御回路を含む測定器と、
前記制御回路に従って前記温度電極に所定の電圧を所定時間印加する電圧印加部と、
前記生体試料に接触させた前記温度電極に流れる電流の大きさに基づいて、前記生体試料の温度を測定する第１の温度測定部と、
前記測定器に設けられており、内部、表面または周辺の環境温度を測定する第２の温度測定部と、
前記生体試料中の分析物を基質とする電気化学反応によって前記作用極および前記対極に流れる電流の大きさに基づいて、前記分析物の濃度を測定する分析物測定部と、
前記生体試料中の分析物の濃度を補正する濃度補正部と、
を備えたバイオセンサシステム。
【請求項２１】
前記濃度補正部は、前記第１の温度測定部と前記第２の温度測定部とにおいて測定されたそれぞれの温度データを比較し、前記測定された温度データを選択的に使用して、前記分析物の濃度を補正する、
請求項２０に記載のバイオセンサシステム。
【請求項２２】
前記濃度補正部は、前記第１の温度測定部と前記第２の温度測定部において測定された
それぞれの温度データの差に応じて所定の係数を決め、その係数と前記それぞれの温度データを演算した結果に基づいて、前記生体試料中の分析物の濃度を補正する、
請求項２０に記載のバイオセンサシステム。
【請求項２３】
前記第２の温度測定部は、サーミスタである
請求項２０から請求項２２のいずれか１項に記載のバイオセンサシステム。
【請求項２４】
前記生体試料の温度と前記環境温度との差分を温度閾値と比較する比較部を、さらに備えている、
請求項２０から請求項２３のいずれか１項に記載のバイオセンサシステム。
【請求項２５】
前記濃度補正部は、前記比較部の結果に基づいて、測定された温度データを選択的に使用して、分析物濃度を補正する
請求項２４に記載のバイオセンサシステム。
【請求項２６】
前記電圧印加部は、前記生体試料の溶媒が電気分解される範囲の直流電圧を印加する、
請求項２０から請求項２５のいずれか１項に記載のバイオセンサシステム。
【請求項２７】
前記分析物測定部は、前記生体試料に含まれる分析物として、グルコース、ヘマトクリットおよび還元物質の少なくとも１つの濃度を測定する、
請求項２０から請求項２６のいずれか１項に記載のバイオセンサシステム。
【請求項２８】
前記濃度補正部は、前記分析物測定部において測定されたグルコース濃度を、前記ヘマトクリットあるいは還元物質の濃度と前記生体試料の温度及び前記環境温度に基づいて補正する
請求項２７に記載のバイオセンサシステム。
【請求項２９】
前記電圧印加部は、前記温度測定時には、前記濃度測定時に前記作用極および前記対極に印加される電圧よりも大きい電圧を前記温度電極に印加する、
請求項２０から２８のいずれか１項に記載のバイオセンサシステム。
【発明の詳細な説明】
【技術分野】
【０００１】
本発明は、生体試料の温度や濃度等を測定するセンサチップを用いた生体試料の濃度測定方法、測定器およびバイオセンサシステムに関する。
【背景技術】
【０００２】
血液試料中の分析物濃度、例えば、血中グルコース濃度（血糖値）を測定するために、演算部を有する測定器と、測定器に着脱自在のセンサチップとを備えた携帯型バイオセンサシステムが用いられている。分析物の濃度は、分析物を基質とする酸化還元酵素を介した酵素サイクリング反応によって生じる、酸化体または還元体の量に基づいて算出されている。酵素サイクリング反応の速度は、反応が進行している温度（反応温度）に依存する。このため、分析物の濃度は、反応温度に基づいて補正することが望ましい。
【０００３】
反応温度は、例えば、測定器に配置された温度センサによって測定される（特許文献１）。しかし、特許文献１のバイオセンサシステムでは、測定器の内部温度が測定されるので、測定される反応温度は、血液試料の温度を正確に反映しない。このため、分析物濃度の測定に、誤差が生じる場合がある。
特許文献２〜４は、反応温度の測定精度の向上を目的とするバイオセンサシステムを開示する。特許文献２および３のバイオセンサシステムは、センサチップの血液試料保持部の近傍に熱伝導部材を有しており、この熱伝導部材を介して伝達される血液試料の温度を測定器に配置された温度センサによって検出する。特許文献２および３のバイオセンサシステムでは、熱伝導部材と血液試料保持部との間に樹脂板が配置されているため、熱伝導部材が血液試料に接触することはない。特許文献４のバイオセンサシステムでは、センサチップを取り付けるための測定器の装着部に温度センサおよび熱伝導部材が配置されており、血液試料の温度が熱伝導部材を介して温度センサに伝達される。
【先行技術文献】
【特許文献】
【０００４】
【特許文献１】特開２００３−１５６４６９号公報
【特許文献２】特開２００１−２３５４４４号公報
【特許文献３】特開２００３−４２９９５号公報
【特許文献４】国際公開第２００３／０６２８１２号パンフレット
【発明の概要】
【発明が解決しようとする課題】
【０００５】
バイオセンサシステムを携帯した使用者が寒暖差の大きな場所を移動（例えば、冬場または夏場に屋外から屋内へ移動）した場合、測定器は、環境温度の急激な変化に追随できず、しばらくの間、移動先の環境よりも高温または低温になる。例えば、４０℃または１０℃の環境から２５℃の環境に測定器を移動させると、測定器の温度が２５℃に収束するまでに約３０分間もかかる（特許文献１）。測定器の温度センサによる反応温度の測定において、測定器の温度による影響を完全に排除することは容易でない。このため、特許文献２〜４に記載のバイオセンサシステムにおいても、やはり、センサを使用する環境の温度が急激に変化すると、分析物濃度の測定に誤差が生じやすくなる。また、特許文献２〜４に記載のバイオセンサシステムでは、血液試料の温度が樹脂板および熱伝導部材を介して温度センサに熱伝達されるので、測定される反応温度は、やはり血液試料の温度を正確に反映しない。
【０００６】
本発明は、血液試料中の分析物濃度の測定精度を向上できる生体試料の濃度測定方法の提供を目的とする。
また、本発明は、血液試料の温度を測定し、使用環境の温度に起因する測定誤差の発生を抑制できるバイオセンサシステムの提供を目的とする。
【課題を解決するための手段】
【０００７】
本発明に係る生体試料の濃度測定方法は、電解質を含む試薬が存在する、少なくとも作用極および対極から構成される電極と、生体試料を導入するためのキャピラリとを備えているセンサチップにおいて生体試料の分析物の濃度を測定する濃度測定方法であって、取込ステップと、第１の温度測定ステップと、濃度測定ステップと、第２の温度測定ステップと、補正ステップとを備えている。取込ステップは、キャピラリに所定量の生体試料を取込む。温度測定ステップは、電極に対して、生体試料の温度を測定する際に、生体試料の分析物の増減による影響が少ない所定の電圧を印加して生体試料の温度を測定する。濃度測定ステップは、電極に対して所定の電圧を印加し、生体試料に含まれる分析物の濃度を測定する。温度測定ステップでは、温度測定を複数回実施する。第２の温度測定ステップは、生体試料の周囲の環境温度を測定する。補正ステップは、第１の温度測定ステップにおいて測定された生体試料の温度と第２の温度測定ステップにおいて測定された環境温度とに基づいて、濃度測定ステップにおいて測定された分析物の濃度を補正する。
【０００８】
本発明の測定器は、電解質を含む試薬が存在する、少なくとも作用極および対極から構成される電極を有するセンサチップに対して電圧を印加する測定器であって、挿入部と、電圧印加部と、第１・第２の温度測定部と、を備えている。挿入部は、センサチップが装填される。電圧印加部は、挿入部に装填されたセンサチップの電極に対して、生体試料の分析物による影響が少ない所定の電圧を印加する。第１の温度測定部は、電圧印加部によって印加された電圧の出力値に基づいて、生体試料の温度を測定する。第２の温度測定部は、生体試料の周囲の環境温度を測定する。
【０００９】
本発明に係るバイオセンサシステムは、生体試料の温度を測定するとともに電解質を含む試薬が存在する作用極および対極を有し、前記生体試料の温度を測定する際に前記生体試料の分析物による影響が少ない所定の電圧が印加される温度電極と、を有するセンサチップと、測定器と、電圧印加部と、第１・第２の温度測定部と、分析物測定部と、濃度補正部と、を備えている。測定器は、センサチップの温度電極に所定の電圧を所定時間印加するための制御回路を含む。電圧印加部は、制御回路に従って温度電極に所定の電圧を所定時間印加する。第１の温度測定部は、生体試料に接触させた温度電極に流れる電流の大きさに基づいて、生体試料の温度を測定する。第２の温度測定部は、測定器に設けられており、内部、表面または周辺の環境温度を測定する。分析物測定部は、生体試料中の分析物を基質とする電気化学反応によって生体試料中に流れる電流の大きさに基づいて、分析物の濃度を測定する。濃度補正部は、生体試料中の分析物の濃度を補正する。
【図面の簡単な説明】
【００１０】
【図１】本発明の一実施形態に係るバイオセンサシステムの構成を示す斜視図。
【図２】図１のバイオセンサシステムに含まれるセンサチップの分解斜視図。
【図３】図２のセンサチップの平面図。
【図４】図１のバイオセンサシステムで用いられている試薬の一例を示す説明図。
【図５】図１のバイオセンサシステムにおける血液試料中の分析物濃度を測定するための回路構成の一例を示す図。
【図６】図１のバイオセンサシステムにおける血液試料の濃度測定方法の流れを示すフローチャート。
【図７】（ａ）、（ｂ）は、本発明の他の実施形態に係るバイオセンサシステムにおける血液試料中の分析物濃度の測定方法を示すフローチャート、バイオセンサシステムにおける機能ブロック図。
【図８】（ａ）、（ｂ）は、本発明の他の実施形態に係るバイオセンサシステムにおける血液試料中の分析物濃度の測定方法を示すフローチャート、バイオセンサシステムにおける機能ブロック図。
【図９】本発明の一実施例に係るセンサチップの構成を示す平面図。
【図１０】実施例１において、図９のセンサチップに対する電圧印加パターンの一例を示す説明図。
【図１１】実施例１において、Ｈｃｔ値の変動による応答電流値への影響を調べた結果を示すグラフ。
【図１２】実施例１において、Ｈｃｔ値の変動による応答電流値への影響を調べた結果を示すグラフ。
【図１３】実施例１において、血液試料の温度の変動による応答電流値への影響を調べた結果を示すグラフ。
【図１４】実施例１において、血液試料の温度の変動による応答電流値への影響を調べた結果を示すグラフ。
【図１５】実施例１において、グルコース濃度の変動による応答電流値への影響を調べた結果を示すグラフ。
【図１６】実施例１において、血液試料の温度の変動と応答電流値のばらつきとの関係を示すグラフ。
【図１７】本発明の他の実施例に係るセンサチップの構成を示す平面図。
【図１８】実施例２において、図１７のセンサチップに対する電圧印加パターンの一例を示す説明図。
【図１９】実施例２において、０．５Ｖ印加時における温度とＨｃｔ値の変動による応答電流値への影響を調べた結果を示すグラフ。
【図２０】実施例２において、０．５Ｖ印加時における温度とＨｃｔ値の変動による応答電流値への影響を調べた結果を示すグラフ。
【図２１】実施例２において、０．５Ｖ印加時における温度の変動による応答電流値への影響をまとめた結果を示すグラフ。
【図２２】実施例２において、０．５Ｖ印加時におけるグルコース濃度の変動による応答電流値への影響をまとめた結果を示すグラフ。
【図２３】実施例２において、０．７Ｖ印加時における温度とＨｃｔ値の変動による応答電流値への影響を調べた結果を示すグラフ。
【図２４】実施例２において、０．７Ｖ印加時における温度とＨｃｔ値の変動による応答電流値への影響を調べた結果を示すグラフ。
【図２５】実施例２において、０．７Ｖ印加時における温度の変動による応答電流値への影響をまとめた結果を示すグラフ。
【図２６】実施例２において、０．７Ｖ印加時におけるグルコース濃度の変動による応答電流値への影響をまとめた結果を示すグラフ。
【図２７】実施例２において、０．８Ｖ印加時における温度とＨｃｔ値の変動による応答電流値への影響を調べた結果を示すグラフ。
【図２８】実施例２において、０．８Ｖ印加時における温度とＨｃｔ値の変動による応答電流値への影響を調べた結果を示すグラフ。
【図２９】実施例２において、０．８Ｖ印加時における温度の変動による応答電流値への影響をまとめた結果を示すグラフ。
【図３０】実施例２において、０．８Ｖ印加時におけるグルコース濃度の変動による応答電流値への影響をまとめた結果を示すグラフ。
【図３１】実施例２において、０．９Ｖ印加時における温度とＨｃｔ値の変動による応答電流値への影響を調べた結果を示すグラフ。
【図３２】実施例２において、０．９Ｖ印加時における温度とＨｃｔ値の変動による応答電流値への影響を調べた結果を示すグラフ。
【図３３】実施例２において、０．９Ｖ印加時における温度の変動による応答電流値への影響をまとめた結果を示すグラフ。
【図３４】実施例２において、０．９Ｖ印加時におけるグルコース濃度の変動による応答電流値への影響をまとめた結果を示すグラフ。
【図３５】実施例２において、１．０Ｖ印加時における温度とＨｃｔ値の変動による応答電流値への影響を調べた結果を示すグラフ。
【図３６】実施例２において、１．０Ｖ印加時における温度とＨｃｔ値の変動による応答電流値への影響を調べた結果を示すグラフ。
【図３７】実施例２において、１．０Ｖ印加時における温度の変動による応答電流値への影響をまとめた結果を示すグラフ。
【図３８】実施例２において、１．０Ｖ印加時におけるグルコース濃度の変動による応答電流値への影響をまとめた結果を示すグラフ。
【図３９】実施例２において、１．１Ｖ印加時における温度とＨｃｔ値の変動による応答電流値への影響を調べた結果を示すグラフ。
【図４０】実施例２において、１．１Ｖ印加時における温度とＨｃｔ値の変動による応答電流値への影響を調べた結果を示すグラフ。
【図４１】実施例２において、１．１Ｖ印加時における温度の変動による応答電流値への影響をまとめた結果を示すグラフ。
【図４２】実施例２において、１．１Ｖ印加時におけるグルコース濃度の変動による応答電流値への影響をまとめた結果を示すグラフ。
【図４３】実施例２において、１．２Ｖ印加時における温度とＨｃｔ値の変動による応答電流値への影響を調べた結果を示すグラフ。
【図４４】実施例２において、１．２Ｖ印加時における温度とＨｃｔ値の変動による応答電流値への影響を調べた結果を示すグラフ。
【図４５】実施例２において、１．２Ｖ印加時における温度の変動による応答電流値への影響をまとめた結果を示すグラフ。
【図４６】実施例２において、１．２Ｖ印加時におけるグルコース濃度の変動による応答電流値への影響をまとめた結果を示すグラフ。
【図４７】実施例２において、１．５Ｖ印加時における温度とＨｃｔ値の変動による応答電流値への影響を調べた結果を示すグラフ。
【図４８】実施例２において、１．５Ｖ印加時における温度とＨｃｔ値の変動による応答電流値への影響を調べた結果を示すグラフ。
【図４９】実施例２において、１．５Ｖ印加時における温度の変動による応答電流値への影響をまとめた結果を示すグラフ。
【図５０】実施例２において、１．５Ｖ印加時におけるグルコース濃度の変動による応答電流値への影響をまとめた結果を示すグラフ。
【図５１】実施例２において、１．７５Ｖ印加時における温度とＨｃｔ値の変動による応答電流値への影響を調べた結果を示すグラフ。
【図５２】実施例２において、１．７５Ｖ印加時における温度とＨｃｔ値の変動による応答電流値への影響を調べた結果を示すグラフ。
【図５３】実施例２において、１．７５Ｖ印加時における温度の変動による応答電流値への影響をまとめた結果を示すグラフ。
【図５４】実施例２において、１．７５Ｖ印加時におけるグルコース濃度の変動による応答電流値への影響をまとめた結果を示すグラフ。
【図５５】実施例２において、２．０Ｖ印加時における温度とＨｃｔ値の変動による応答電流値への影響を調べた結果を示すグラフ。
【図５６】実施例２において、２．０Ｖ印加時における温度とＨｃｔ値の変動による応答電流値への影響を調べた結果を示すグラフ。
【図５７】実施例２において、２．０Ｖ印加時における温度の変動による応答電流値への影響をまとめた結果を示すグラフ。
【図５８】実施例２において、２．０Ｖ印加時におけるグルコース濃度の変動による応答電流値への影響をまとめた結果を示すグラフ。
【図５９】実施例２において、２．５Ｖ印加時における温度とＨｃｔ値の変動による応答電流値への影響を調べた結果を示すグラフ。
【図６０】実施例２において、２．５Ｖ印加時における温度とＨｃｔ値の変動による応答電流値への影響を調べた結果を示すグラフ。
【図６１】実施例２において、２．５Ｖ印加時における温度の変動による応答電流値への影響をまとめた結果を示すグラフ。
【図６２】実施例２において、２．５Ｖ印加時におけるグルコース濃度の変動による応答電流値への影響をまとめた結果を示すグラフ。
【図６３】実施例２において、３．０Ｖ印加時における温度とＨｃｔ値の変動による応答電流値への影響を調べた結果を示すグラフ。
【図６４】実施例２において、３．０Ｖ印加時における温度とＨｃｔ値の変動による応答電流値への影響を調べた結果を示すグラフ。
【図６５】実施例２において、３．０Ｖ印加時における温度の変動による応答電流値への影響をまとめた結果を示すグラフ。
【図６６】実施例２において、３．０Ｖ印加時におけるグルコース濃度の変動による応答電流値への影響をまとめた結果を示すグラフ。
【図６７】実施例２において、試薬量を１．５倍とし、１．０Ｖ印加時における温度とＨｃｔ値の変動による応答電流値への影響を調べた結果を示すグラフ。
【図６８】実施例２において、試薬量を１．５倍とし、１．０Ｖ印加時における温度とＨｃｔ値の変動による応答電流値への影響を調べた結果を示すグラフ。
【図６９】実施例２において、試薬量を１．５倍とし、１．０Ｖ印加時における温度の変動による応答電流値への影響をまとめた結果を示すグラフ。
【図７０】実施例２において、試薬量を１．５倍とし、１．０Ｖ印加時におけるグルコース濃度の変動による応答電流値への影響をまとめた結果を示すグラフ。
【図７１】実施例２において、試薬量を０．５倍とし、１．０Ｖ印加時における温度とＨｃｔ値の変動による応答電流値への影響を調べた結果を示すグラフ。
【図７２】実施例２において、試薬量を０．５倍とし、１．０Ｖ印加時における温度とＨｃｔ値の変動による応答電流値への影響を調べた結果を示すグラフ。
【図７３】実施例２において、試薬量を０．５倍とし、１．０Ｖ印加時における温度の変動による応答電流値への影響をまとめた結果を示すグラフ。
【図７４】実施例２において、試薬量を０．５倍とし、１．０Ｖ印加時におけるグルコース濃度の変動による応答電流値への影響をまとめた結果を示すグラフ。
【図７５】実施例２において、スペーサ厚みを５０μｍとし、１．５Ｖ印加時における温度とＨｃｔ値の変動による応答電流値への影響を調べた結果を示すグラフ。
【図７６】実施例２において、スペーサ厚みを５０μｍとし、１．５Ｖ印加時における温度とＨｃｔ値の変動による応答電流値への影響を調べた結果を示すグラフ。
【図７７】実施例２において、スペーサ厚みを５０μｍとし、１．５Ｖ印加時における温度の変動による応答電流値への影響をまとめた結果を示すグラフ。
【図７８】実施例２において、スペーサ厚みを５０μｍとし、１．５Ｖ印加時におけるグルコース濃度の変動による応答電流値への影響をまとめた結果を示すグラフ。
【図７９】実施例２において、スペーサ厚みを１５０μｍとし、１．５Ｖ印加時における温度とＨｃｔ値の変動による応答電流値への影響を調べた結果を示すグラフ。
【図８０】実施例２において、スペーサ厚みを１５０μｍとし、１．５Ｖ印加時における温度とＨｃｔ値の変動による応答電流値への影響を調べた結果を示すグラフ。
【図８１】実施例２において、スペーサ厚みを１５０μｍとし、１．５Ｖ印加時における温度の変動による応答電流値への影響をまとめた結果を示すグラフ。
【図８２】実施例２において、スペーサ厚みを１５０μｍとし、１．５Ｖ印加時におけるグルコース濃度の変動による応答電流値への影響をまとめた結果を示すグラフ。
【図８３】実施例２における測定結果をまとめて、印加電圧ごとのグルコース濃度の応答電流値に対する影響をまとめたグラフ。
【図８４】実施例２における測定結果をまとめて、印加電圧ごとのＨｃｔ値の応答電流値に対する影響をまとめたグラフ。
【図８５】参考例１において、Ｈｃｔ値の変動による応答電流値への影響を調べた結果を示すグラフ。
【図８６】参考例１において、Ｈｃｔ値の変動による応答電流値への影響を調べた結果を示すグラフ。
【図８７】参考例１において、血液試料の温度の変動による応答電流値への影響を調べた結果を示すグラフ。
【図８８】参考例１において、血液試料の温度の変動による応答電流値への影響を調べた結果を示すグラフ。
【図８９】参考例１において、グルコース濃度の変動による応答電流値への影響を調べた結果を示すグラフ。
【図９０】参考例１において、血液試料の温度の変動と応答電流値のばらつきとの関係を示すグラフ。
【図９１】（ａ）は、本発明の他の実施形態に係るセンサチップの構成を示す平面図。（ｂ），（ｃ）は、グルコース測定系、温度測定系の電極に対する印加電圧のパターンの一例を示すグラフ。
【図９２】（ａ）〜（ｅ）は、本発明のさらに他の実施形態に係る２〜６極のセンサチップの構成を示す平面図。
【図９３】（ａ）〜（ｃ）は、本発明のさらに他の実施形態に係るセンサチップにおける作用極上の試薬配置の一例を示す平面図。
【図９４】（ａ）〜（ｄ）は、本発明のさらに他の実施形態に係るセンサチップの電極構成の一例を示す平面図。
【図９５】（ａ）〜（ｆ）は、本発明のさらに他の実施形態に係るセンサチップの対極上の試薬配置の一例を示す平面図。
【図９６】（ａ）は、本発明のさらに他の実施形態に係るセンサチップの構成を示す平面図。（ｂ）〜（ｅ）は、グルコース測定系、温度測定系の電極に対する印加電圧のパターンの一例を示すグラフ。
【図９７】（ａ）は、本発明のさらに他の実施形態に係るセンサチップの構成を示す平面図。（ｂ），（ｃ）は、グルコース測定系、温度測定系の電極に対する印加電圧のパターンの一例を示すグラフ。
【図９８】本発明のさらに他の実施例に係るセンサチップの構成とそれに対する電圧印加パターンの一例を示す説明図。
【図９９】図９８のセンサチップに対して、グルコース濃度を変えて０．５〜１．０Ｖの電圧を印加した際の応答電流値への影響を調べた結果を示すグラフ。
【図１００】図９８のセンサチップに対して、グルコース濃度を変えて１．２５〜２．０Ｖの電圧を印加した際の応答電流値への影響を調べた結果を示すグラフ。
【図１０１】図９８のセンサチップにおいて、０．５〜１．０Ｖ印加時における温度の変動による応答電流値への影響をまとめた結果を示すグラフ。
【図１０２】図９８のセンサチップにおいて、１．２５〜２．０Ｖ印加時における温度の変動による応答電流値への影響をまとめた結果を示すグラフ。
【図１０３】図９８のセンサチップにおける印加電圧の大きさとグルコース濃度の影響とをまとめた説明図。
【図１０４】本発明のさらに他の実施例に係るセンサチップの構成とそれに対する電圧印加パターンの一例を示す説明図。
【図１０５】図１０４のセンサチップに対して、グルコース濃度を変えて０．５〜１．０Ｖの電圧を印加した際の応答電流値への影響を調べた結果を示すグラフ。
【図１０６】図１０４のセンサチップに対して、グルコース濃度を変えて１．２５〜２．０Ｖの電圧を印加した際の応答電流値への影響を調べた結果を示すグラフ。
【図１０７】図１０４のセンサチップにおいて、０．５〜１．０Ｖ印加時における温度の変動による応答電流値への影響をまとめた結果を示すグラフ。
【図１０８】図１０４のセンサチップにおいて、１．２５〜２．０Ｖ印加時における温度の変動による応答電流値への影響をまとめた結果を示すグラフ。
【図１０９】図１０４のセンサチップにおける印加電圧の大きさとグルコース濃度の影響とをまとめた説明図。
【図１１０】本発明のさらに他の実施例に係るセンサチップの構成とそれに対する電圧印加パターンの一例を示す説明図。
【図１１１】図１１０のセンサチップに対して、グルコース濃度を変えて０．５〜１．０Ｖの電圧を印加した際の応答電流値への影響を調べた結果を示すグラフ。
【図１１２】図１１０のセンサチップに対して、グルコース濃度を変えて１．２５〜２．０Ｖの電圧を印加した際の応答電流値への影響を調べた結果を示すグラフ。
【図１１３】図１１０のセンサチップにおいて、０．５〜１．０Ｖ印加時における温度の変動による応答電流値への影響をまとめた結果を示すグラフ。
【図１１４】図１１０のセンサチップにおいて、１．２５〜２．０Ｖ印加時における温度の変動による応答電流値への影響をまとめた結果を示すグラフ。
【図１１５】図１１０のセンサチップにおける印加電圧の大きさとグルコース濃度の影響とをまとめた説明図。
【図１１６】本発明のさらに他の実施例に係るセンサチップの構成とそれに対する電圧印加パターンの一例を示す説明図。
【図１１７】図１１６のセンサチップに対して、グルコース濃度を変えて０．５〜１．０Ｖの電圧を印加した際の応答電流値への影響を調べた結果を示すグラフ。
【図１１８】図１１６のセンサチップに対して、グルコース濃度を変えて１．２５〜２．０Ｖの電圧を印加した際の応答電流値への影響を調べた結果を示すグラフ。
【図１１９】図１１６のセンサチップにおいて、０．５〜１．０Ｖ印加時における温度の変動による応答電流値への影響をまとめた結果を示すグラフ。
【図１２０】図１１６のセンサチップにおいて、１．２５〜２．０Ｖ印加時における温度の変動による応答電流値への影響をまとめた結果を示すグラフ。
【図１２１】図１１６のセンサチップにおける印加電圧の大きさとグルコース濃度の影響とをまとめた説明図。
【図１２２】本発明のさらに他の実施例として、１０℃の血液試料を用いて、グルコース濃度測定、温度測定の順に各電極に対して所定の電圧を印加して応答電流値を調べた結果を示すグラフ。
【図１２３】図１２２のグラフに示す電圧印加条件（電圧印加時間）を変えて応答電流値を調べた結果を示すグラフ。
【図１２４】図１２２のグラフに示す電圧印加条件（電圧印加間隔）を変えて応答電流値を調べた結果を示すグラフ。
【図１２５】図１２２のグラフに示す電圧印加条件（温度測定電圧）を変えて応答電流値を調べた結果を示すグラフ。
【図１２６】本発明のさらに他の実施例として、２５℃の血液試料を用いて、グルコース濃度測定、温度測定の順に各電極に対して所定の電圧を印加して応答電流値を調べた結果を示すグラフ。
【図１２７】図１２６のグラフに示す電圧印加条件（電圧印加時間）を変えて応答電流値を調べた結果を示すグラフ。
【図１２８】図１２６のグラフに示す電圧印加条件（電圧印加間隔）を変えて応答電流値を調べた結果を示すグラフ。
【図１２９】図１２６のグラフに示す電圧印加条件（温度測定電圧）を変えて応答電流値を調べた結果を示すグラフ。
【図１３０】本発明のさらに他の実施例として、４０℃の血液試料を用いて、グルコース濃度測定、温度測定の順に各電極に対して所定の電圧を印加して応答電流値を調べた結果を示すグラフ。
【図１３１】図１３０のグラフに示す電圧印加条件（電圧印加時間）を変えて応答電流値を調べた結果を示すグラフ。
【図１３２】図１３０のグラフに示す電圧印加条件（電圧印加間隔）を変えて応答電流値を調べた結果を示すグラフ。
【図１３３】図１３０のグラフに示す電圧印加条件（温度測定電圧）を変えて応答電流値を調べた結果を示すグラフ。
【図１３４】本発明のさらに他の実施例として、グルコース濃度測定時における印加電圧を変えて応答電流値を調べた結果を示すグラフ。
【図１３５】図１３４のグラフに示す印加電圧をさらに下げて応答電流値を調べた結果を示すグラフ。
【図１３６】図１３４のグラフに対応する０．５、０．３Ｖ印加時における温度の変動による応答電流値への影響をまとめた結果を示すグラフ。
【図１３７】図１３４のグラフに対応する０．２、０．１Ｖ印加時における温度の変動による応答電流値への影響をまとめた結果を示すグラフ。
【図１３８】図１３４〜図１３７の測定結果を踏まえて、グルコース濃度を変化させた際のグルコース濃度測定時における応答電流値の感度差と温度測定時における応答電流値の感度差とを示すグラフ。
【発明を実施するための形態】
【００１１】
本発明の一実施形態に係るセンサチップ２００を用いたバイオセンサシステム１００について、図１〜図７（ｂ）を用いて説明すれば以下の通りである。
［バイオセンサシステム１００全体の構成］
本実施形態に係るバイオセンサシステム１００は、主に、血液試料（生体試料）の温度測定、および血液試料中に含まれる分析物の濃度測定を行うセンサを含むシステムであって、図１に示すように、略直方体状の測定器１０１と、センサチップ２００とを有している。
【００１２】
なお、本実施形態では、血液試料中の分析物として、血球を除く物質、例えば、グルコース、アルブミン、乳酸、ビリルビンおよびコレステロールを用いることができる。酸化還元酵素としては、対象とする分析物を基質とするものを使用すればよく、例えば、グルコースオキシダーゼ、グルコースデヒドロゲナーゼ、ラクテートオキシダーゼ、ラクテートデヒドロゲナーゼ、ビリルビンオキシダーゼおよびコレステロールオキシダーゼを用いることができる。反応試薬層中の酸化還元酵素の量としては、０．０１〜１００ユニット（Ｕ）、好ましくは、０．０５〜１０Ｕ、より好ましくは０．１〜５Ｕの範囲で用いることができる。
【００１３】
測定器１０１は、その側壁面に矩形状の孔である装着口１０２を有している。装着口１０２には、センサチップ２００が着脱自在な状態で接続される。測定器１０１の一方の主面の略中央部には、測定結果を表示するための表示部１０３が配置されている。なお、測定器１０１の構成については、後段にて詳述する。
（センサチップ２００）
センサチップ２００は、１回の使用ごとに廃棄される使い捨てのセンサチップであって、図２および図３に示すように、矩形状の切欠部２０４が形成されたスペーサ２０２を介して、かつ絶縁基板２０１の一方の端部（図２における右側の端部）を残して、絶縁基板２０１上にカバー２０３が配置されている。
【００１４】
絶縁基板２０１、スペーサ２０２およびカバー２０３は、例えば、接着または熱溶着等によって一体化されている。
ここで、絶縁基板２０１、スペーサ２０２およびカバー２０３の材料としては、ポリエチレンテレフタレート、ポリカーボネート、ポリイミド、ポリエチレン、ポリプロピレン、ポリスチレン、ポリ塩化ビニル、ポリオキシメチレン、モノマーキャストナイロン、ポリブチレンテレフタレート、メタクリル樹脂およびＡＢＳ樹脂といった樹脂、さらにはガラスを用いることができる。
【００１５】
スペーサ２０２の切欠部２０４は、各部材を一体化した構成において、血液試料を保持するキャピラリ部４０（図３参照）となる。キャピラリ部４０は、センサチップ２００の長辺方向に沿って延伸するように形成されており、スペーサ２０２の一方の端部（図２、図３における左側の端部）において外部に連通している。換言すれば、キャピラリ部４０は、センサチップ２００の外部に開口する血液試料導入口１７と連通している。そして、キャピラリ部４０には、約５μｌ以下の血液試料が導入される。
【００１６】
絶縁基板２０１は、その表面上に、それぞれの一部分がキャピラリ部４０に面するように配置された３つの電極１１，１２，１３と、電解質を含む反応試薬が予め設けられた反応試薬層２０と、を有している。
反応試薬層２０は、電極１１，１２，１３の上に載置される。
また、カバー２０３には、キャピラリ４０を形成する切欠部２０４の奥側（生体試料導入口１７とは反対側）に対向する位置に空気抜き口１６が設けられている。
【００１７】
これにより、キャピラリ４０に導入された生体試料（血液試料）は毛細管現象により、電極１１，１２、１３および試薬反応層２０から構成される検出部に律速で流れるようになり、生体試料である血液試料の点着を確実にするとともに、測定の安定性を向上させている。
また、キャピラリ４０の内部の面は、親水性の処理または親水性材料で形成されていてもよい。これにより、生体試料である血液試料の点着（取り込み）が容易になり、確実性がより向上する。
【００１８】
電極１１，１２，１３は、互いに対向する位置に配置されており、図３に示すように、それぞれ後述する血液試料中に含まれるグルコースの濃度測定時には、電極１１が作用極Ａ、電極１２が対極Ｂとして、約１５秒以下の時間だけ所定の直流電圧（例えば、０．２５Ｖ）が印加される。また、検体を検知する際には、電極１３が作用極Ａ、電極１２が対極Ｂとして、所定の直流電圧が印加される。さらに、血液試料の温度を測定する際には、グルコース濃度の測定時と同様に、電極１１が作用極Ａ、電極１２が対極Ｂとして、約１５秒以下の時間だけ所定の電圧が印加される。すなわち、本実施形態では、温度電極および分析電極として、電極１１，１２を用いており、検体検知電極として、電極１３，１２を用いている。
【００１９】
ここで、血液試料の温度測定時には、電極１１，１２（温度電極、分析電極、第１の温度測定部、分析物測定部）に対して、１Ｖ以上（例えば、１．５Ｖ）の直流電圧が印加される。この１．５Ｖという電圧は、グルコース等の濃度測定時の印加電圧（０．２５〜０．５０Ｖ）と比較して高く設定されているが、血液試料中に含まれるグルコースやヘマトクリットの量の増減による影響を受けにくくして、精度よく血液試料の温度測定を行うために設定されている。
【００２０】
温度測定時には、温度電極（電極１１，１２）に流れる電流の量に基づいて、血液試料の温度に関連するデータａを取得する。温度電極上で電気化学反応する物質としては、主に血液試料中の成分であれば、水であってもよく、赤血球および白血球などの血球成分であってもよい。分析物の濃度測定時には、分析電極（電極１１，１２）間に流れる電流の量に基づいて、血液試料中の分析物の濃度に関連するデータｂを取得する。分析電極上で電気化学反応する物質としては、主に、酸化還元酵素と電子の授受がなされた電子メディエータがある。そして、本実施形態のバイオセンサシステム１００では、血液試料の温度に関するデータａを用いて、血液試料の分析物の濃度に関するデータｂを補正して、分析物の濃度を算出する。
【００２１】
検体検知を行う際には、キャピラリ部４０の奥側の端部近傍に配置された電極１３と、電極１２との間に電圧を印加する。これにより、血液試料がキャピラリ部４０の奥にまで導入されたことを容易に検知することができる。
また、電極１１，１２，１３は、それぞれリード（図示せず）と連結されている。リードの一端は、各電極間に電圧を印加できるように、スペーサ２０２およびカバー２０３で覆われていない絶縁基板２０１の端部においてセンサチップ２００の外部に露出している。
【００２２】
ここで、電極１１，１２，１３は、絶縁基板２０１上に形成されていて、電極１１，１２，１３は平面的に対向する位置であるが、立体的に配置されていてもよい。
例えば、電極１２が、カバー２０３（図２参照）の下面で、キャピラリ４０に対向した位置に設けられ、電極１１，１３が絶縁基板２０１に配置された場合などである。
反応試薬層２０は、電解質を含む試薬が予め塗布された層であって、絶縁基板２０１上における電極１１，１２，１３が重なった部分を覆うように形成されている。反応試薬層２０は、血液試料中の分析物を基質とする酸化還元酵素と電子メディエータとを含有している。本実施形態では、反応試薬層２０として塗布された試薬として、図４に示すように、Ｈ2Ｏ（水）中に、ＣＭＣ（ＨＥ−１５００Ｆ）を０．０５ｗｔ％、フェリシアン化カリウムを１．７ｗｔ％、タウリンを１．０ｗｔ％、マルチトールを０．１ｗｔ％、酵素（ＦＡＤ−ＧＤＨ（池田糖化工業社製））を１．５Ｕ／セルだけ溶解させたものが使用されている。この試薬を、センサチップ２００の電極１１，１２，１３上に０．９ｍｇ滴下し、乾燥させて形成する。
【００２３】
なお、反応試薬層２０は、フェリシアン化カリウム、ｐ−ベンゾキノン、ｐ−ベンゾキノン誘導体、酸化型フェナジンメトサルフェート、メチレンブルー、フェリシニウムおよびフェリシニウム誘導体といった、酵素反応にて生じた電子を電極に受け渡す機能を有する電子メディエータを含有することが望ましい。反応試薬層２０は、反応試薬層の成形性を高めるために、水溶性高分子化合物を含有してもよい。水溶性高分子化合物としては、カルボキシメチルセルロースおよびその塩、ヒドロキシエチルセルロース、ヒドロキシプロピルセルロース、メチルセルロース、エチルセルロース、エチルヒドロキシエチルセルロース、カルボキシエチルセルロースおよびその塩、ポリビニルアルコール、ポリビニルピロリドン、ポリリジンといったポリアミノ酸、ポリスチレンスルホン酸およびその塩、ゼラチンおよびその誘導体、ポリアクリル酸およびその塩、ポリメタクリル酸およびその塩、スターチおよびその誘導体、無水マレイン酸重合体およびその塩、アガロースゲルおよびその誘導体、から選ばれる少なくとも１種を例示できる。
【００２４】
空気抜き口１６は、キャピラリ部４０における血液試料が点着される先端側とは反対側の端部に設けられている。これにより、毛管現象によって、血液試料導入口１７に点着された血液試料をキャピラリ部４０の内部に吸引して、キャピラリ部４０における電極１１，１２，１３上における所定の位置まで血液試料を充填させることができる。
なお、電極１１，１２，１３の材料としては、パラジウム、白金、金、銀、チタン、銅、ニッケルおよび炭素といった、公知の導電性材料を用いることができる。
【００２５】
（測定器１０１）
測定器１０１は、図５に示すように、センサチップ２００における電極１１，１２，１３（図２および図３参照）のうち選択された少なくとも２つの電極間に電圧を印加する制御回路３００と、測定結果を表示する表示部１０３とを有している。
制御回路３００は、図５に示すように、３つのコネクタ３０１ａ，３０１ｂ，３０１ｃと、切換回路３０２と、電流／電圧変換回路３０３と、アナログ／デジタル変換回路（以下、Ａ／Ｄ変換回路と示す。）３０４と、基準電圧源（電圧印加部）３０５と、演算部（濃度決定部）３０６とを有している。制御回路３００は、切換回路３０２を介して、１つの電極を陽極（Anode）または陰極（Cathode）として使用できるように、当該電極に印加する電位を切り換えることができる。
【００２６】
演算部３０６は、公知の中央演算装置（ＣＰＵ）と、上記のデータａおよびデータｂに基づいて血液試料中の分析物濃度を決定するための換算テーブルと、を有している。そして、演算部３０６は、環境温度に基づく補正係数が記述された換算テーブルを参照することによって、血液試料中の分析物の濃度を補正する。より具体的には、仮測定用の換算テーブルを参照して分析物濃度が仮算出された後、温度補正用の換算テーブルを参照して分析物濃度を補正して、最終的な分析物の濃度を決定する。
【００２７】
また、演算部３０６では、上述した濃度決定部としての機能以外に、切換回路３０２の切替制御、Ａ／Ｄ変換回路３０４からの入力、印加電圧部としての基準電圧源３０５の電圧制御、温度測定や濃度測定の印加タイミング・印加時間もしくは切換タイミングの測定手順の制御、表示部１０３への表示データ出力および外部機器との通信機能を有し、測定器全体のコントロールも行っている。
【００２８】
＜血液試料の温度測定、分析物濃度の測定＞
本実施形態では、バイオセンサシステム１００（図１参照）を用いて、例えば、図６に示すように、血液試料の温度測定、および血液試料中の分析物濃度の測定を行う。
まず、演算部３０６（図５参照）のＣＰＵの指令により、電極１３がコネクタ３０１ｂを介して電流／電圧変換回路３０３（図５参照）に接続され、電極１２がコネクタ３０１ｃを介して基準電圧源３０５（図５参照）に接続される。その後、ＣＰＵの指令により、両電極間に一定の電圧が印加される（ステップＳ１）。当該電圧は、例えば、電極１３を陽極（Anode）、電極１２を陰極（Cathode）としたときに０．０１〜２．０Ｖ、好ましくは０．１〜１．０Ｖ、より好ましくは０．２〜０．５Ｖの大きさとなる電圧である。この電圧は、センサチップが測定器１０１に挿入されてから、血液試料がキャピラリ部４０の奥まで導入されるまでの間、印加される。
【００２９】
センサチップ２００の血液試料導入口１７からキャピラリ部４０に血液試料が導入されると、電極１３と電極１２との間に電流が流れる。そのときの単位時間当たりの電流の増加量を識別することによって、キャピラリ部４０が血液試料にて満たされたことを検知する。この電流の値は、電流／電圧変換回路３０３により電圧値に変換された後にＡ／Ｄ変換回路３０４によりデジタル値に変換されＣＰＵに入力される。ＣＰＵは、このデジタル値に基づいて血液試料がキャピラリ部の奥にまで導入されたことを検知する。
【００３０】
血液試料の導入後、例えば、０〜６０秒、好ましくは０〜１５秒、より好ましくは０〜５秒の範囲で、血液試料中の分析物と酵素および酵素と電子メディエータとを反応させる。
続いて、以下のようにして上述した血液試料の温度に関するデータａを取得する（ステップＳ２）。
【００３１】
まず、上記ＣＰＵの指令により、切換回路３０２が作動して、電極１１がコネクタ３０１ａを介して電流／電圧変換回路３０３に接続され、電極１２がコネクタ３０１ｃを介して基準電圧源３０５に接続される。続いて、ＣＰＵの指令により、両電極間に一定の電圧が印加される。後述するように、当該電圧は、例えば、電極１１を陽極（Anode）、電極１２を陰極（Cathode）と表示したときに１．０〜５．０Ｖ、好ましくは、１．０〜３．０Ｖの大きさとなる電圧である。なお、電極１１と電極１２の極性は反転させても良い。すなわち、電極１２に対して印加される電圧に対して、電極１１に印加される電圧がマイナスであっても良い。特に、電極１１と電極１２とが電位的にほぼ等価であるとみなせる場合には、上記形態の適用が容易である。電圧の印加時間は、０．１〜３０秒、好ましくは０．５〜１０秒、より好ましくは１〜５秒の範囲にある。当該電圧の印加に伴って両電極間に流れた電流量は、データａの取得を指示する信号が制御回路から与えられることによって、電流／電圧変換回路３０３により電圧値に変換される。その後、変換された電圧値は、Ａ／Ｄ変換回路３０４によりデジタル値に変換されＣＰＵに入力され、データａとして演算部３０６のメモリに格納される。
【００３２】
その後、上述した血液試料の分析物の濃度に関するデータｂを、以下のようにして取得する（ステップＳ３）。
まず、ＣＰＵの指令により、切換回路３０２が作動して、電極１１がコネクタ３０１ａを介して電流／電圧変換回路３０３に接続され、電極１２がコネクタ３０１ｃを介して基準電圧源３０５に接続される。その後、ＣＰＵの指令により、測定シーケンスが入力される。その際、当該電圧は、例えば、電極１１を陽極（Anode）、電極１２を陰極（Cathode）としたときに０．０５〜１．０Ｖ、好ましくは０．１〜０．８Ｖ、より好ましくは０．２〜０．５Ｖの大きさとなる電圧である。電圧の印加時間は０．１〜３０秒、好ましくは０．１〜１５秒、より好ましくは０．１〜５秒の範囲にある。当該電圧の印加に伴って両電極間に流れた電流量は、データｂの取得を指示する信号が制御回路から測定部に与えられることによって、電流／電圧変換回路３０３により電圧値に変換される。その後、変換された電圧値は、Ａ／Ｄ変換回路３０４によりデジタル値に変換されＣＰＵに入力され、データｂとして演算部３０６のメモリに格納される。
【００３３】
なお、分析物濃度の測定を迅速化する観点からは、制御回路は、血液試料がセンサチップのキャピラリ部４０に導入された時点から０．５秒以上５秒以下の範囲内に、データｂの取得を指示する信号を測定部に与えることが好ましい。
また、データｂは、データａよりも先に取得してもよいが、データｂ取得に至るまでには、試薬の溶解、酵素反応、電子メディエータと酵素間の反応などに十分な時間を要するため、データｂは後に取得することが好ましい。また、二組の電極系を備えたセンサチップを用いてデータｂとデータａとを同時に取得してもよいが、その際には一つの溶液系内において、二組の電極系に同時に電圧を印加することになるため、それぞれの電流が互いに干渉しあうおそれがある。そのため、データａの取得とデータｂの取得とは、別々に行うことが好ましい。
【００３４】
なお、例えば、温度測定時における好ましい印加電圧の範囲としては、直接的な数値による特定以外にも、グルコース濃度測定時における印加電圧に対する比や電位差等の数値として特定することも可能である。また、グルコース濃度測定時における印加電圧についても、温度測定時における印加電圧に対する比や電位差等の数値として好ましい範囲を特定することも可能である。
【００３５】
以下、実施例により、本発明についてさらに詳細に説明する。
（実施例１）
本発明の一実施例について、図９および図１０、図１１〜図１６のグラフを用いて説明すれば以下の通りである。
すなわち、本実施例では、図９に示すように、キャピラリ寸法が１．０×３．５×０．１４５ｍｍであって、６つの電極Ａ〜Ｆを含むセンサチップを用いて、グルコース濃度、ヘマトクリット（Ｈｃｔ）値、血液試料の温度条件を変えながら、各電極において検出される電流値を測定した。
【００３６】
具体的には、グルコース濃度を測定する場合には作用極Ｄ−対極ＢＥＣを組み合わせて使用し、検体検知の際には作用極Ｃ−対極Ｂを組み合わせて使用し、血液試料の温度を測定する際には作用極Ａ−対極Ｂを組み合わせて使用した。
なお、電極上に配置された試薬としては、上記実施形態で説明した試薬（図４参照）と同じものを使用した。
【００３７】
ここで、図９に示す電極構成を備えたセンサチップにおいて、各測定を行う際には、図１０に示すように、各電極Ａ〜Ｆに対して所定の電圧を所定時間印加して測定を行った。
つまり、まず検体検知を行うために、作用極Ｃ−対極Ｂに対して、ここでは０．２５Ｖの電圧を印加した。次に、血液試料中のグルコース濃度を測定する際には、分析電極としての作用極Ｄ−対極ＢＥＣに対して、測定時間１．０〜３．０秒の間に０．２５Ｖの電圧を印加して測定を行った。次に、血液試料の温度を測定する際には、温度電極としての作用極Ａ−対極Ｂに対して、測定時間３．５〜５．０秒の間に１．５Ｖの電圧を印加して測定を行った。次に、Ｈｃｔ値の測定を行う際には、作用極Ｆ−対極ＡＢＣＤＥに対して、測定時間５．０〜５．５秒の間に２．５Ｖの電圧を印加して測定を行った。
【００３８】
なお、本実施例では、従来のセンサチップにおけるグルコース濃度等を測定する際の印加電圧０．２５〜０．５Ｖに対して、１．５Ｖという高い電圧を印加した。これは、後述する参考例１と比較して、グルコース濃度やＨｃｔ値の増減による影響を排除して、温度による影響だけを取り出して、センサチップを高精度な温度センサとして用いるためである。また、図１０において、作用極を２つに分けてそれぞれの測定を行ったのは、温度測定時やＨｃｔ値測定時に、１．５〜２．５Ｖという比較的高い電圧が印加されるため、低い電圧（０．２５Ｖ）で測定されるグルコース濃度の分解能が低下しないようにするためである。
【００３９】
図１１および図１２には、Ｈｃｔ値の増減による応答電流値への影響を調べるために、グルコース濃度、温度を一定にした場合の各電極における応答電流値の測定結果を示している。
具体的には、図１１では、グルコース濃度１００ｍｇ／ｄｌ、温度２５℃で一定とし、Ｈｃｔ値を２５，４５，６５と数値を振った場合の応答電流値の変化を調べた。一方、図１２では、グルコース濃度４００ｍｇ／ｄｌ、温度２５℃で一定とし、同様に、Ｈｃｔ値を２５，４５，６５と数値を振った場合の応答電流値の変化を調べた。
【００４０】
その結果、図１１の左上に示すように、グルコース濃度測定時には、グルコース濃度が一定であってもＨｃｔ値の大きさに応じて応答電流値にばらつきがあり、同図左下に示すように、Ｈｃｔ値４５を基準とした場合のＨｃｔ値２５，６５のばらつきが±３０％以上あることが分かった。
そして、血液試料の温度、Ｈｃｔ値測定時には、図１１右上に示すように、３つのＨｃｔ値に対する応答電流値が温度測定のための測定時間３．５〜５．０ｓｅｃの期間においてほとんど差がなくなっており、同図中右下に示すように、Ｈｃｔ値４５を基準にした場合のばらつきも２〜３％程度に抑制されていた。
【００４１】
グルコース濃度４００ｍｇ／ｄｌとした図１２についても同様に、図中左上下に示すように、グルコース濃度測定時には±３０％以上のばらつきが見られた。一方、温度、Ｈｃｔ値測定時には、図中右上下に示すように、数％程度のばらつきに抑制されていることが分かった。
本実施例では、図１１および図１２に示す応答電流の測定結果から、グルコース測定時における印加電圧では、グルコース濃度が一定であってもＨｃｔ値の増減によって応答電流値に差が生じる一方で、温度電極として機能する電極に対して、グルコース測定時よりも高い所定の電圧１．５Ｖを印加した場合には、Ｈｃｔ値の増減による影響を排除した応答電流値を得ることができることが分かった。
【００４２】
次に、図１３および図１４には、温度の上昇、下降による検出電流値への影響を調べるために、グルコース濃度を１００ｍｇ／ｄｌ、４００ｍｇ／ｄｌ、Ｈｃｔ値を４５と一定にした場合の各電極における応答電流値の測定結果を示している。
具体的には、図１３では、グルコース濃度１００ｍｇ／ｄｌ、Ｈｃｔ値４５で一定とし、温度を１５，２５，３５℃と数値を振った場合の応答電流値の変化を調べた。一方、図１４では、グルコース濃度４００ｍｇ／ｄｌ、Ｈｃｔ値４５で一定とし、同様に、温度を１５，２５，３５℃と数値を振った場合の応答電流値の変化を調べた。
【００４３】
その結果、図１３の左上に示すように、グルコース濃度測定時には、グルコース濃度が一定であっても温度の大きさに応じて応答電流値にばらつきがあり、同図左下に示すように、温度２５℃を基準とした場合の温度１５，３５℃のばらつきが±２０％程度あることが分かった。
そして、温度、Ｈｃｔ値測定時には、図１３右上に示すように、３つの温度に対する応答電流値が温度測定のための測定時間３．５〜５．０ｓｅｃの期間において差が生じており、同図中右下に示すように、温度２５℃を基準にした場合のばらつきも±１０％の範囲内となっていた。
【００４４】
グルコース濃度４００ｍｇ／ｄｌとした図１４についても同様に、図中左上下に示すように、グルコース濃度測定時には±２０％以上のばらつきが見られた。一方、温度、Ｈｃｔ値測定時には、図中右上下に示すように、±１０％程度の範囲内で差が生じることが分かった。
本実施例では、図１３および図１４に示す応答電流の測定結果から、温度測定時に１．５Ｖの高電圧を印加した場合には、温度の上昇、下降による影響を応答電流値として取り出せることが分かった。温度測定時における応答電流値は、約１℃／１％の感度での測定が可能であった。
【００４５】
図１５には、グルコース濃度の影響を調べるためにＨｃｔ値、温度を一定にした場合の各電極における応答電流値の測定結果を示している。
具体的には、図１５では、Ｈｃｔ値４５、温度２５℃で一定とし、グルコース濃度を１００，４００ｍｇ／ｄｌと数値を振った場合の応答電流値の変化を調べた。
その結果、図１５の左上に示すように、グルコース濃度測定時には、グルコース濃度が１００ｍｇ／ｄｌと４００ｍｇ／ｄｌと変化した場合には、その差が応答電流値として検出できており、同図左下に示すように、グルコース濃度１００ｍｇ／ｄｌを基準とした場合には、グルコース濃度４００ｍｇ／ｄｌは＋１５０〜２００％程度の差として検出できることが分かった。
【００４６】
そして、温度、Ｈｃｔ値測定時には、図１５右上に示すように、２つのグルコース濃度に対する応答電流値が温度測定のための測定時間３．５〜５．０ｓｅｃの期間においてほとんど差が生じておらず、同図中右下に示すように、グルコース濃度１００ｍｇ／ｄｌを基準にした場合のばらつきも±数％程度に抑制できることが分かった。
本実施例では、図１５に示す応答電流の測定結果から、グルコース濃度の増減に応じてグルコース濃度に対応した応答電流値を検出できるとともに、温度測定時に１．５Ｖの高電圧を印加した場合には、グルコース濃度の増減による影響をほとんど受けない応答電流値を取り出せることが分かった。
【００４７】
図１６には、図１１〜図１４に示した応答電流値の測定結果をまとめて、Ｈｃｔ値およびグルコース濃度を変えた場合の、温度（Ｘ軸）に対する応答電流値（Ｙ軸）のばらつきを示している。
具体的には、図中上に示すように、温度測定のための電圧印加時間３．５〜５．０ｓｅｃの期間に含まれる測定時間４．０ｓｅｃのタイミングで測定した応答電流値では、温度の変化に応じて応答電流値がほぼ直線的に変化していることが分かった。また、そのばらつきとしては、例えば、応答電流値６０μＡの場合には、約２４〜２７℃程度の精度で温度測定が可能であった。
【００４８】
また、図中下に示すように、測定時間５．０ｓｅｃのタイミングで測定した応答電流値についても、温度の変化に応じて応答電流値がほぼ直線的に変化していることが分かった。また、そのばらつきとしては、例えば、応答電流値４５μＡの場合には、約２３〜２６℃程度の精度で温度測定が可能であった。
以上の測定結果から、本実施例のように、グルコース濃度測定時に印加される電圧０．２５〜０．５０Ｖに対して高い所定の電圧１．５Ｖ程度を温度測定時に印加することで、グルコース濃度、Ｈｃｔ値の増減に関わらず、温度変化だけに依存する応答電流値を検出できることが分かった。よって、本実施例に係るセンサチップを、血液試料の温度を直接的に測定するための高精度な温度センサとして活用できることが分かった。
【００４９】
（実施例２）
本発明の他の実施例について、図１７および図１８、図１９〜図８８のグラフを用いて説明すれば以下の通りである。
すなわち、本実施例では、図１７に示す電極パターンを有するセンサチップを用いて、本実施例のセンサチップにおいて、どのような範囲で電圧を印加すれば、血液試料中のグルコース濃度やＨｃｔ値の増減等の影響を受けることなく、血液試料の温度を測定することができるのかについて検証するために応答電流値の測定を行った。
【００５０】
具体的には、本実施例で使用したセンサチップは、３つの電極Ａ，Ｂ，Ｃを有し、長さ２２．０ｍｍ、幅１０．５０ｍｍのサイズのチップである。電極Ａと電極Ｂとの重なり部分の寸法は、電極Ａ側が０．５ｍｍ幅、電極Ｂ側が直径２．０ｍｍの円形となっている。また、電極Ａ，Ｂが対向するように重なる位置に設けられたキャピラリ部は、長さ３．５０ｍｍ、幅１．００ｍｍで形成されている。さらに、電極Ａ，Ｂ，Ｃが配置されたＰｄ基板は厚さ１８８μｍ、スペーサは厚さ１００μｍ、上カバーは厚さ１００μｍ、キャピラリ部の容積は、０．３５μＬとなっている。
【００５１】
次に、電極Ａ，Ｂ，Ｃに対して印加した電圧および印加した時間については、図１８に示すように、まず、電極Ａ−ＢＣ間にグルコース濃度を測定するための電圧として、０．２５Ｖを測定時間１．０〜３．０ｓｅｃまでの約２秒間印加した。そして、電極Ａ−ＢＣ間に温度測定を行うための電圧として、０．５Ｖ〜３．０Ｖまで変化させながら測定時間３．１〜５．０ｓｅｃまでの約１．９秒間印加した。なお、測定開始のタイミングとしては、Ｃ−Ｂ電極間に電圧を０．５Ｖ印加した状態において、０．０５μＡの電流増加が検出された際を基準とした。
【００５２】
以下で、印加電圧０．５Ｖ〜３．０Ｖまで変化させた際の温度の測定に対するグルコース濃度、Ｈｃｔ値の増減による影響を調べた結果について説明する。
＜印加電圧０．５Ｖ＞
ここでは、電極Ａ−ＢＣ間に印加される電圧を０．５Ｖに設定し、血液試料の温度（１０℃、２５℃、４０℃）、Ｈｃｔ値（２５，４５，６５）、グルコース濃度（１００ｍｇ／ｄｌ、４００ｍｇ／ｄｌ）を変化させた際の応答電流値への影響について調べるために、測定を行った。
【００５３】
図１９には、図中上段に、左から温度を１０℃、２５℃、４０℃と変化させた際の応答電流値の変化を示しており、各グラフ中においてＨｃｔ値を２５，４５，６５と変化させた際の応答電流値の変化を示している。また、同図中下段に、上段に示したグラフにおいて、Ｈｃｔ値４５を基準とした場合のＨｃｔ値２５，６５の応答電流値のばらつきの度合いを示している。
【００５４】
その結果、図１９のグラフに示されているように、血液試料の温度が１０℃、２５℃、４０℃のいずれの場合でも、Ｈｃｔ値の増減によって、グルコース濃度測定時、温度測定時のいずれの場合も応答電流値が大きくばらつくことが分かった。
図２０には、図１９のグルコース濃度を１００ｍｇ／ｄｌから４００ｍｇ／ｄｌに変化させた場合の測定結果を示している。
【００５５】
この場合でも、上記の結果と同様に、血液試料の温度が１０℃、２５℃、４０℃のいずれの場合でも、Ｈｃｔ値の増減によって、グルコース濃度測定時、温度測定時のいずれの場合も応答電流値が大きくばらつくことが分かった。
図２１には、血液試料の温度による影響を分かり易くするために、各グラフ内で温度条件（１０℃、２５℃、４０℃）を変えた場合の測定結果を示している。なお、図中左上下がグルコース濃度１００ｍｇ／ｄｌ、図中右上下がグルコース濃度４００ｍｇ／ｄｌの場合の応答電流値の測定結果を示している。
【００５６】
その結果、グルコース濃度が１００ｍｇ／ｄｌ、４００ｍｇ／ｄｌのいずれの場合でも、血液試料の温度が変化した場合には、温度測定時はもちろん、グルコース濃度時の応答電流値についても大きくばらついてしまうことが分かった。
図２２には、グルコース濃度による影響を分かり易くするために、各グラフ内でグルコース濃度（１００ｍｇ／ｄｌ、４００ｍｇ／ｄｌ）を変えた場合の測定結果を示している。なお、図中上段がグルコース濃度１００ｍｇ／ｄｌ、４００ｍｇ／ｄｌのそれぞれの応答電流値の測定結果、図中下段がそのばらつきを示している。
【００５７】
その結果、グルコース濃度が１００ｍｇ／ｄｌ、４００ｍｇ／ｄｌと変化した場合には、グルコース濃度測定時はもちろん、温度測定時の応答電流値についても大きくばらついてしまうことが分かった。
以上の結果から、電極Ａ−ＢＣ間に０．５Ｖの電圧を印加して応答電流値の測定を行った場合には、グルコース濃度、Ｈｃｔ値、温度のそれぞれの変化による影響を受けてしまっており、温度変化だけを抽出して取り出すことはできないことが分かった。
【００５８】
＜印加電圧０．７Ｖ＞
ここでは、電極Ａ−ＢＣ間に印加される電圧を０．７Ｖに設定し、温度（１０℃、２５℃、４０℃）、Ｈｃｔ値（２５，４５，６５）、グルコース濃度（１００ｍｇ／ｄｌ、４００ｍｇ／ｄｌ）を変化させた際の応答電流値への影響について調べるために、測定を行った。
【００５９】
図２３には、図中上段に、左から温度を１０℃、２５℃、４０℃と変化させた際の応答電流値の変化を示しており、各グラフ中においてＨｃｔ値を２５，４５，６５と変化させた際の応答電流値の変化を示している。また、同図中下段に、上段に示したグラフにおいて、Ｈｃｔ値４５を基準とした場合のＨｃｔ値２５，６５の応答電流値のばらつきの度合いを示している。
【００６０】
その結果、図２３のグラフに示されているように、血液試料の温度が１０℃、２５℃、４０℃のいずれの場合でも、Ｈｃｔ値の増減によって、グルコース濃度測定時、温度測定時のいずれの場合も応答電流値が大きくばらつくことが分かった。
図２４には、図２３のグルコース濃度を１００ｍｇ／ｄｌから４００ｍｇ／ｄｌに変化させた場合の測定結果を示している。
【００６１】
この場合でも、上記の結果と同様に、血液試料の温度が１０℃、２５℃、４０℃のいずれの場合でも、Ｈｃｔ値の増減によって、グルコース濃度測定時、温度測定時のいずれの場合も応答電流値が大きくばらつくことが分かった。
図２５には、血液試料の温度による影響を分かり易くするために、各グラフ内で温度条件（１０℃、２５℃、４０℃）を変えた場合の測定結果を示している。なお、図中左上下がグルコース濃度１００ｍｇ／ｄｌ、図中右上下がグルコース濃度４００ｍｇ／ｄｌの場合の応答電流値の測定結果を示している。
【００６２】
その結果、グルコース濃度が１００ｍｇ／ｄｌ、４００ｍｇ／ｄｌのいずれの場合でも、血液試料の温度が変化した場合には、温度測定時はもちろん、グルコース濃度時の応答電流値についても大きくばらついてしまうことが分かった。
図２６には、グルコース濃度による影響を分かり易くするために、各グラフ内でグルコース濃度（１００ｍｇ／ｄｌ、４００ｍｇ／ｄｌ）を変えた場合の測定結果を示している。なお、図中上段がグルコース濃度１００ｍｇ／ｄｌ、４００ｍｇ／ｄｌのそれぞれの応答電流値の測定結果、図中下段がそのばらつきを示している。
【００６３】
その結果、グルコース濃度が１００ｍｇ／ｄｌ、４００ｍｇ／ｄｌと変化した場合には、グルコース濃度測定時はもちろん、温度測定時の応答電流値についても大きくばらついてしまうことが分かった。
以上の結果から、電極Ａ−ＢＣ間に０．７Ｖの電圧を印加して応答電流値の測定を行った場合には、グルコース濃度、Ｈｃｔ値、温度のそれぞれの変化による影響を受けてしまっており、温度変化だけを抽出して取り出すことはできないことが分かった。
【００６４】
＜印加電圧０．８Ｖ＞
ここでは、電極Ａ−ＢＣ間に印加される電圧を０．８Ｖに設定し、温度（１０℃、２５℃、４０℃）、Ｈｃｔ値（２５，４５，６５）、グルコース濃度（１００ｍｇ／ｄｌ、４００ｍｇ／ｄｌ）を変化させた際の応答電流値への影響について調べるために、測定を行った。
【００６５】
図２７には、図中上段に、左から温度を１０℃、２５℃、４０℃と変化させた際の応答電流値の変化を示しており、各グラフ中においてＨｃｔ値を２５，４５，６５と変化させた際の応答電流値の変化を示している。また、同図中下段に、上段に示したグラフにおいて、Ｈｃｔ値４５を基準とした場合のＨｃｔ値２５，６５の応答電流値のばらつきの度合いを示している。
【００６６】
その結果、図２７のグラフに示されているように、血液試料の温度が１０℃、２５℃、４０℃のいずれの場合でも、Ｈｃｔ値の増減によって、グルコース濃度測定時、温度測定時のいずれの場合も応答電流値が大きくばらつくことが分かった。
図２８には、図２７のグルコース濃度を１００ｍｇ／ｄｌから４００ｍｇ／ｄｌに変化させた場合の測定結果を示している。
【００６７】
この場合でも、上記の結果と同様に、血液試料の温度が１０℃、２５℃、４０℃のいずれの場合でも、Ｈｃｔ値の増減によって、グルコース濃度測定時、温度測定時のいずれの場合も応答電流値が大きくばらつくことが分かった。
図２９には、血液試料の温度による影響を分かり易くするために、各グラフ内で温度条件（１０℃、２５℃、４０℃）を変えた場合の測定結果を示している。なお、図中左上下がグルコース濃度１００ｍｇ／ｄｌ、図中右上下がグルコース濃度４００ｍｇ／ｄｌの場合の応答電流値の測定結果を示している。
【００６８】
その結果、グルコース濃度が１００ｍｇ／ｄｌ、４００ｍｇ／ｄｌのいずれの場合でも、血液試料の温度が変化した場合には、温度測定時はもちろん、グルコース濃度時の応答電流値についても大きくばらついてしまうことが分かった。
図３０には、グルコース濃度による影響を分かり易くするために、各グラフ内でグルコース濃度（１００ｍｇ／ｄｌ、４００ｍｇ／ｄｌ）を変えた場合の測定結果を示している。なお、図中上段がグルコース濃度１００ｍｇ／ｄｌ、４００ｍｇ／ｄｌのそれぞれの応答電流値の測定結果、図中下段がそのばらつきを示している。
【００６９】
その結果、グルコース濃度が１００ｍｇ／ｄｌ、４００ｍｇ／ｄｌと変化した場合には、グルコース濃度測定時はもちろん、温度測定時の応答電流値についても大きくばらついてしまうことが分かった。
以上の結果から、電極Ａ−ＢＣ間に０．８Ｖの電圧を印加して応答電流値の測定を行った場合には、グルコース濃度、Ｈｃｔ値、温度のそれぞれの変化による影響を受けてしまっており、温度変化だけを抽出して取り出すことはできないことが分かった。
【００７０】
＜印加電圧０．９Ｖ＞
ここでは、電極Ａ−ＢＣ間に印加される電圧を０．９Ｖに設定し、温度（１０℃、２５℃、４０℃）、Ｈｃｔ値（２５，４５，６５）、グルコース濃度（１００ｍｇ／ｄｌ、４００ｍｇ／ｄｌ）を変化させた際の応答電流値への影響について調べるために、測定を行った。
【００７１】
図３１には、図中上段に、左から温度を１０℃、２５℃、４０℃と変化させた際の応答電流値の変化を示しており、各グラフ中においてＨｃｔ値を２５，４５，６５と変化させた際の応答電流値の変化を示している。また、同図中下段に、上段に示したグラフにおいて、Ｈｃｔ値４５を基準とした場合のＨｃｔ値２５，６５の応答電流値のばらつきの度合いを示している。
【００７２】
その結果、図３１のグラフに示されているように、血液試料の温度が１０℃、２５℃、４０℃のいずれの場合でも、Ｈｃｔ値の増減によって、グルコース濃度測定時には応答電流値がばらつくことが分かった。温度測定時については、上述した０．５〜０．８Ｖの結果と比較して、Ｈｃｔ値の増減による影響は少なくなっているものの、まだ±１０％程度の範囲内でばらつきが見られた。
【００７３】
図３２には、図３１のグルコース濃度を１００ｍｇ／ｄｌから４００ｍｇ／ｄｌに変化させた場合の測定結果を示している。
この場合でも、上記の結果と同様に、血液試料の温度が１０℃、２５℃、４０℃のいずれの場合でも、Ｈｃｔ値の増減によって、グルコース濃度測定時、温度測定時のいずれの場合も応答電流値がばらつくことが分かった。
【００７４】
図３３には、血液試料の温度による影響を分かり易くするために、各グラフ内で温度条件（１０℃、２５℃、４０℃）を変えた場合の測定結果を示している。なお、図中左上下がグルコース濃度１００ｍｇ／ｄｌ、図中右上下がグルコース濃度４００ｍｇ／ｄｌの場合の応答電流値の測定結果を示している。
その結果、グルコース濃度が１００ｍｇ／ｄｌ、４００ｍｇ／ｄｌのいずれの場合でも、血液試料の温度が変化した場合には、温度測定時はもちろん、グルコース濃度時の応答電流値についても大きくばらついてしまうことが分かった。
【００７５】
図３４には、グルコース濃度による影響を分かり易くするために、各グラフ内でグルコース濃度（１００ｍｇ／ｄｌ、４００ｍｇ／ｄｌ）を変えた場合の測定結果を示している。なお、図中上段がグルコース濃度１００ｍｇ／ｄｌ、４００ｍｇ／ｄｌのそれぞれの応答電流値の測定結果、図中下段がそのばらつきを示している。
その結果、グルコース濃度が１００ｍｇ／ｄｌ、４００ｍｇ／ｄｌと変化した場合には、グルコース濃度測定時はもちろん、温度測定時の応答電流値についてもばらついてしまうことが分かった。
【００７６】
以上の結果から、電極Ａ−ＢＣ間に０．９Ｖの電圧を印加して応答電流値の測定を行った場合には、グルコース濃度、Ｈｃｔ値、温度のそれぞれの変化による影響を受けてしまっており、温度変化だけを抽出して取り出すことはできないことが分かった。
＜印加電圧１．０Ｖ＞
ここでは、電極Ａ−ＢＣ間に印加される電圧を１．０Ｖに設定し、温度（１０℃、２５℃、４０℃）、Ｈｃｔ値（２５，４５，６５）、グルコース濃度（１００ｍｇ／ｄｌ、４００ｍｇ／ｄｌ）を変化させた際の応答電流値への影響について調べるために、測定を行った。
【００７７】
図３５には、図中上段に、左から温度を１０℃、２５℃、４０℃と変化させた際の応答電流値の変化を示しており、各グラフ中においてＨｃｔ値を２５，４５，６５と変化させた際の応答電流値の変化を示している。また、同図中下段に、上段に示したグラフにおいて、Ｈｃｔ値４５を基準とした場合のＨｃｔ値２５，６５の応答電流値のばらつきの度合いを示している。
【００７８】
その結果、図３５のグラフに示されているように、血液試料の温度が１０℃、２５℃、４０℃のいずれの場合でも、Ｈｃｔ値の増減によって、グルコース濃度測定時の応答電流値が大きくばらつくことが分かった。一方、温度測定時の応答電流値については、Ｈｃｔ値の増減によるばらつきは小さくなっているものの、まだ±数％の範囲内でばらつきが見られた。
【００７９】
図３６には、図３５のグルコース濃度を１００ｍｇ／ｄｌから４００ｍｇ／ｄｌに変化させた場合の測定結果を示している。
この場合でも、上記の結果と同様に、血液試料の温度が１０℃、２５℃、４０℃のいずれの場合でも、Ｈｃｔ値の増減によって、グルコース濃度測定時、温度測定時のいずれの場合も応答電流値が大きくばらつくことが分かった。
【００８０】
図３７には、血液試料の温度による影響を分かり易くするために、各グラフ内で温度条件（１０℃、２５℃、４０℃）を変えた場合の測定結果を示している。なお、図中左上下がグルコース濃度１００ｍｇ／ｄｌ、図中右上下がグルコース濃度４００ｍｇ／ｄｌの場合の応答電流値の測定結果を示している。
その結果、グルコース濃度が１００ｍｇ／ｄｌ、４００ｍｇ／ｄｌのいずれの場合でも、血液試料の温度が変化した場合には、温度測定時はもちろん、グルコース濃度時の応答電流値についても大きくばらついてしまうことが分かった。
【００８１】
図３８には、グルコース濃度による影響を分かり易くするために、各グラフ内でグルコース濃度（１００ｍｇ／ｄｌ、４００ｍｇ／ｄｌ）を変えた場合の測定結果を示している。なお、図中上段がグルコース濃度１００ｍｇ／ｄｌ、４００ｍｇ／ｄｌのそれぞれの応答電流値の測定結果、図中下段がそのばらつきを示している。
その結果、グルコース濃度が１００ｍｇ／ｄｌ、４００ｍｇ／ｄｌと変化した場合には、グルコース濃度測定時は当然に応答電流値の変化が見られた一方で、温度測定時の応答電流値については、ほとんどばらつきが見られなくなっていた。
【００８２】
以上の結果から、電極Ａ−ＢＣ間に１．０Ｖの電圧を印加して応答電流値の測定を行った場合には、Ｈｃｔ値、温度のそれぞれの変化による影響を受けてしまっており、温度変化だけを抽出して取り出すことはできないことが分かった。ただし、図３８に示す結果から、電極Ａ−ＢＣ間に１．０Ｖの電圧を印加した場合には、温度測定時（測定時間３．０〜５．０ｓｅｃ）には、グルコース濃度の増減による影響はほとんど受けないことが分かった。
【００８３】
＜印加電圧１．１Ｖ＞
ここでは、電極Ａ−ＢＣ間に印加される電圧を１．１Ｖに設定し、温度（１０℃、２５℃、４０℃）、Ｈｃｔ値（２５，４５，６５）、グルコース濃度（１００ｍｇ／ｄｌ、４００ｍｇ／ｄｌ）を変化させた際の応答電流値への影響について調べるために、測定を行った。
【００８４】
図３９には、図中上段に、左から温度を１０℃、２５℃、４０℃と変化させた際の応答電流値の変化を示しており、各グラフ中においてＨｃｔ値を２５，４５，６５と変化させた際の応答電流値の変化を示している。また、同図中下段に、上段に示したグラフにおいて、Ｈｃｔ値４５を基準とした場合のＨｃｔ値２５，６５の応答電流値のばらつきの度合いを示している。
【００８５】
その結果、図３９のグラフに示されているように、血液試料の温度が１０℃、２５℃、４０℃のいずれの場合でも、Ｈｃｔ値の増減によって、グルコース濃度測定時の応答電流値が大きくばらつくことが分かった。一方、温度測定時の応答電流値については、Ｈｃｔ値の増減によるばらつきは小さくなっているものの、まだ±数％の範囲内でばらつきが見られた。
【００８６】
図４０には、図３９のグルコース濃度を１００ｍｇ／ｄｌから４００ｍｇ／ｄｌに変化させた場合の測定結果を示している。
この場合でも、上記の結果と同様に、血液試料の温度が１０℃、２５℃、４０℃のいずれの場合でも、Ｈｃｔ値の増減によって、グルコース濃度測定時、温度測定時のいずれの場合も応答電流値がばらつくことが分かった。ただし、温度測定時については、上述した０．５〜１．０Ｖ印加時と比較して、応答電流値のばらつきが±１０％未満まで抑えられていた。
【００８７】
図４１には、血液試料の温度による影響を分かり易くするために、各グラフ内で温度条件（１０℃、２５℃、４０℃）を変えた場合の測定結果を示している。なお、図中左上下がグルコース濃度１００ｍｇ／ｄｌ、図中右上下がグルコース濃度４００ｍｇ／ｄｌの場合の応答電流値の測定結果を示している。
その結果、グルコース濃度が１００ｍｇ／ｄｌ、４００ｍｇ／ｄｌのいずれの場合でも、血液試料の温度が変化した場合には、温度測定時はもちろん、グルコース濃度時の応答電流値についても大きくばらついてしまうことが分かった。
【００８８】
図４２には、グルコース濃度による影響を分かり易くするために、各グラフ内でグルコース濃度（１００ｍｇ／ｄｌ、４００ｍｇ／ｄｌ）を変えた場合の測定結果を示している。なお、図中上段がグルコース濃度１００ｍｇ／ｄｌ、４００ｍｇ／ｄｌのそれぞれの応答電流値の測定結果、図中下段がそのばらつきを示している。
その結果、グルコース濃度が１００ｍｇ／ｄｌ、４００ｍｇ／ｄｌと変化した場合には、グルコース濃度測定時は当然に応答電流値の変化が見られた一方で、上述した１．０Ｖ印加時と同様に、温度測定時の応答電流値については、ほとんどばらつきが見られなくなっていた。
【００８９】
以上の結果から、電極Ａ−ＢＣ間に１．１Ｖの電圧を印加して応答電流値の測定を行った場合には、Ｈｃｔ値、温度のそれぞれの変化による影響を受けてしまっており、温度変化だけを抽出して取り出すことはできないことが分かった。ただし、図４２に示す結果から、電極Ａ−ＢＣ間に１．１Ｖの電圧を印加した場合には、温度測定時（測定時間３．０〜５．０ｓｅｃ）には、グルコース濃度の増減による影響はほとんど受けないことが分かった。
【００９０】
＜印加電圧１．２Ｖ＞
ここでは、電極Ａ−ＢＣ間に印加される電圧を１．２Ｖに設定し、温度（１０℃、２５℃、４０℃）、Ｈｃｔ値（２５，４５，６５）、グルコース濃度（１００ｍｇ／ｄｌ、４００ｍｇ／ｄｌ）を変化させた際の応答電流値への影響について調べるために、測定を行った。
【００９１】
図４３には、図中上段に、左から温度を１０℃、２５℃、４０℃と変化させた際の応答電流値の変化を示しており、各グラフ中においてＨｃｔ値を２５，４５，６５と変化させた際の応答電流値の変化を示している。また、同図中下段に、上段に示したグラフにおいて、Ｈｃｔ値４５を基準とした場合のＨｃｔ値２５，６５の応答電流値のばらつきの度合いを示している。
【００９２】
その結果、図４３のグラフに示されているように、血液試料の温度が１０℃、２５℃、４０℃のいずれの場合でも、Ｈｃｔ値の増減によって、グルコース濃度測定時の応答電流値が大きくばらつくことが分かった。一方、温度測定時の応答電流値については、Ｈｃｔ値の増減によるばらつきは小さくなっているものの、まだ±数％の範囲内でばらつきが見られた。
【００９３】
図４４には、図４３のグルコース濃度を１００ｍｇ／ｄｌから４００ｍｇ／ｄｌに変化させた場合の測定結果を示している。
この場合でも、上記の結果と同様に、血液試料の温度が１０℃、２５℃、４０℃のいずれの場合でも、Ｈｃｔ値の増減によって、グルコース濃度測定時、温度測定時のいずれの場合も応答電流値がばらつくことが分かった。ただし、温度測定時については、上述した０．５〜１．２Ｖ印加時と比較して、応答電流値のばらつきが±数％未満まで抑えられていた。
【００９４】
図４５には、血液試料の温度による影響を分かり易くするために、各グラフ内で温度条件（１０℃、２５℃、４０℃）を変えた場合の測定結果を示している。なお、図中左上下がグルコース濃度１００ｍｇ／ｄｌ、図中右上下がグルコース濃度４００ｍｇ／ｄｌの場合の応答電流値の測定結果を示している。
その結果、グルコース濃度が１００ｍｇ／ｄｌ、４００ｍｇ／ｄｌのいずれの場合でも、血液試料の温度が変化した場合には、温度測定時はもちろん、グルコース濃度時の応答電流値についても大きくばらついてしまうことが分かった。
【００９５】
図４６には、グルコース濃度による影響を分かり易くするために、各グラフ内でグルコース濃度（１００ｍｇ／ｄｌ、４００ｍｇ／ｄｌ）を変えた場合の測定結果を示している。なお、図中上段がグルコース濃度１００ｍｇ／ｄｌ、４００ｍｇ／ｄｌのそれぞれの応答電流値の測定結果、図中下段がそのばらつきを示している。
その結果、グルコース濃度が１００ｍｇ／ｄｌ、４００ｍｇ／ｄｌと変化した場合には、グルコース濃度測定時は当然に応答電流値の変化が見られた一方で、上述した１．０Ｖ、１．１Ｖ印加時と同様に、温度測定時の応答電流値については、ほとんどばらつきが見られなくなっていた。
【００９６】
以上の結果から、電極Ａ−ＢＣ間に１．２Ｖの電圧を印加して応答電流値の測定を行った場合には、Ｈｃｔ値、温度のそれぞれの変化による影響を受けてしまっており、温度変化だけを抽出して取り出すことはできないことが分かった。ただし、図４６に示す結果から、電極Ａ−ＢＣ間に１．２Ｖの電圧を印加した場合には、温度測定時（測定時間３．０〜５．０ｓｅｃ）には、グルコース濃度の増減による影響はほとんど受けないことが分かった。
【００９７】
＜印加電圧１．５Ｖ＞
ここでは、電極Ａ−ＢＣ間に印加される電圧を１．５Ｖに設定し、温度（１０℃、２５℃、４０℃）、Ｈｃｔ値（２５，４５，６５）、グルコース濃度（１００ｍｇ／ｄｌ、４００ｍｇ／ｄｌ）を変化させた際の応答電流値への影響について調べるために、測定を行った。
【００９８】
図４７には、図中上段に、左から温度を１０℃、２５℃、４０℃と変化させた際の応答電流値の変化を示しており、各グラフ中においてＨｃｔ値を２５，４５，６５と変化させた際の応答電流値の変化を示している。また、同図中下段に、上段に示したグラフにおいて、Ｈｃｔ値４５を基準とした場合のＨｃｔ値２５，６５の応答電流値のばらつきの度合いを示している。
【００９９】
その結果、図４７のグラフに示されているように、血液試料の温度が１０℃、２５℃、４０℃のいずれの場合でも、Ｈｃｔ値の増減によって、グルコース濃度測定時の応答電流値が大きくばらつくことが分かった。一方、温度測定時の応答電流値については、Ｈｃｔ値の増減によるばらつきはほとんど見られなくなっていた。
図４８には、図４７のグルコース濃度を１００ｍｇ／ｄｌから４００ｍｇ／ｄｌに変化させた場合の測定結果を示している。
【０１００】
この場合でも、上記の結果と同様に、血液試料の温度が１０℃、２５℃、４０℃のいずれの場合でも、Ｈｃｔ値の増減によって、グルコース濃度測定時には応答電流値がばらつくことが分かった。一方、温度測定時については、図４７に示すグルコース濃度１００ｍｇ／ｄｌの場合と同様に、Ｈｃｔ値の増減によるばらつきはほとんど見られなくなっていた。
【０１０１】
図４９には、血液試料の温度による影響を分かり易くするために、各グラフ内で温度条件（１０℃、２５℃、４０℃）を変えた場合の測定結果を示している。なお、図中左上下がグルコース濃度１００ｍｇ／ｄｌ、図中右上下がグルコース濃度４００ｍｇ／ｄｌの場合の応答電流値の測定結果を示している。
その結果、グルコース濃度が１００ｍｇ／ｄｌ、４００ｍｇ／ｄｌのいずれの場合でも、血液試料の温度が変化した場合には、温度測定時はもちろん、グルコース濃度時の応答電流値についてもばらつきが見られた。ここで、血液試料の温度が変化した場合には、約１℃／１％程度の感度で応答電流値も変化することが分かった。これは、本実施例のセンサチップが温度センサとして機能することを意味している。
【０１０２】
図５０には、グルコース濃度による影響を分かり易くするために、各グラフ内でグルコース濃度（１００ｍｇ／ｄｌ、４００ｍｇ／ｄｌ）を変えた場合の測定結果を示している。なお、図中上段がグルコース濃度１００ｍｇ／ｄｌ、４００ｍｇ／ｄｌのそれぞれの応答電流値の測定結果、図中下段がそのばらつきを示している。
その結果、グルコース濃度が１００ｍｇ／ｄｌ、４００ｍｇ／ｄｌと変化した場合には、グルコース濃度測定時は当然に応答電流値の変化が見られた一方で、上述した１．０〜１．２Ｖ印加時と同様に、温度測定時の応答電流値については、ほとんどばらつきが見られなくなっていた。
【０１０３】
以上の結果から、電極Ａ−ＢＣ間に１．５Ｖの電圧を印加して応答電流値の測定を行った場合には、グルコース濃度およびＨｃｔ値の変化による影響を受けることなく、温度変化だけを抽出して取り出すことができることが分かった。
よって、本実施例においては、電極Ａ−ＢＣ間への印加電圧を１．５Ｖに設定して測定を行うことで、グルコース濃度やＨｃｔ値の増減による影響を排除して、本センサチップを温度センサとして使用することができる。
【０１０４】
＜印加電圧１．７５Ｖ＞
ここでは、電極Ａ−ＢＣ間に印加される電圧を１．７５Ｖに設定し、温度（１０℃、２５℃、４０℃）、Ｈｃｔ値（２５，４５，６５）、グルコース濃度（１００ｍｇ／ｄｌ、４００ｍｇ／ｄｌ）を変化させた際の応答電流値への影響について調べるために、測定を行った。
【０１０５】
図５１には、図中上段に、左から温度を１０℃、２５℃、４０℃と変化させた際の応答電流値の変化を示しており、各グラフ中においてＨｃｔ値を２５，４５，６５と変化させた際の応答電流値の変化を示している。また、同図中下段に、上段に示したグラフにおいて、Ｈｃｔ値４５を基準とした場合のＨｃｔ値２５，６５の応答電流値のばらつきの度合いを示している。
【０１０６】
その結果、図５１のグラフに示されているように、血液試料の温度が１０℃、２５℃、４０℃のいずれの場合でも、Ｈｃｔ値の増減によって、グルコース濃度測定時の応答電流値が大きくばらつくことが分かった。一方、温度測定時の応答電流値については、上述した１．５Ｖ印加時と同様に、Ｈｃｔ値の増減によるばらつきはほとんど見られなくなっていた。
【０１０７】
図５２には、図５１のグルコース濃度を１００ｍｇ／ｄｌから４００ｍｇ／ｄｌに変化させた場合の測定結果を示している。
この場合でも、上記の結果と同様に、血液試料の温度が１０℃、２５℃、４０℃のいずれの場合でも、Ｈｃｔ値の増減によって、グルコース濃度測定時には応答電流値がばらつくことが分かった。一方、温度測定時については、図５１に示すグルコース濃度１００ｍｇ／ｄｌの場合と同様に、Ｈｃｔ値の増減によるばらつきはほとんど見られなくなっていた。
【０１０８】
図５３には、血液試料の温度による影響を分かり易くするために、各グラフ内で温度条件（１０℃、２５℃、４０℃）を変えた場合の測定結果を示している。なお、図中左上下がグルコース濃度１００ｍｇ／ｄｌ、図中右上下がグルコース濃度４００ｍｇ／ｄｌの場合の応答電流値の測定結果を示している。
その結果、グルコース濃度が１００ｍｇ／ｄｌ、４００ｍｇ／ｄｌのいずれの場合でも、血液試料の温度が変化した場合には、温度測定時はもちろん、グルコース濃度時の応答電流値についてもばらつきが見られた。ここでも、上述した１．５Ｖ印加時と同様に、約１℃／１％程度の感度での温度を測定することが可能であった。
【０１０９】
図５４には、グルコース濃度による影響を分かり易くするために、各グラフ内でグルコース濃度（１００ｍｇ／ｄｌ、４００ｍｇ／ｄｌ）を変えた場合の測定結果を示している。なお、図中上段がグルコース濃度１００ｍｇ／ｄｌ、４００ｍｇ／ｄｌのそれぞれの応答電流値の測定結果、図中下段がそのばらつきを示している。
その結果、グルコース濃度が１００ｍｇ／ｄｌ、４００ｍｇ／ｄｌと変化した場合には、グルコース濃度測定時は当然に応答電流値の変化が見られた一方で、上述した１．０〜１．５Ｖ印加時と同様に、温度測定時の応答電流値については、ほとんどばらつきが見られなくなっていた。
【０１１０】
以上の結果から、電極Ａ−ＢＣ間に１．７５Ｖの電圧を印加して応答電流値の測定を行った場合には、１．５Ｖ印加時と同様に、グルコース濃度およびＨｃｔ値の変化による影響を受けることなく、温度変化だけを抽出して取り出すことができることが分かった。
よって、本実施例においては、電極Ａ−ＢＣ間への印加電圧を１．５Ｖ以上に設定して測定を行うことで、グルコース濃度やＨｃｔ値の増減による影響を排除して、本センサチップを温度センサとして使用することができる。
【０１１１】
＜印加電圧２．０Ｖ＞
ここでは、電極Ａ−ＢＣ間に印加される電圧を２．０Ｖに設定し、温度（１０℃、２５℃、４０℃）、Ｈｃｔ値（２５，４５，６５）、グルコース濃度（１００ｍｇ／ｄｌ、４００ｍｇ／ｄｌ）を変化させた際の応答電流値への影響について調べるために、測定を行った。
【０１１２】
図５５には、図中上段に、左から温度を１０℃、２５℃、４０℃と変化させた際の応答電流値の変化を示しており、各グラフ中においてＨｃｔ値を２５，４５，６５と変化させた際の応答電流値の変化を示している。また、同図中下段に、上段に示したグラフにおいて、Ｈｃｔ値４５を基準とした場合のＨｃｔ値２５，６５の応答電流値のばらつきの度合いを示している。
【０１１３】
その結果、図５５のグラフに示されているように、血液試料の温度が１０℃、２５℃、４０℃のいずれの場合でも、Ｈｃｔ値の増減によって、グルコース濃度測定時の応答電流値が大きくばらつくことが分かった。一方、温度測定時の応答電流値については、上述した１．５Ｖ印加時と同様に、Ｈｃｔ値の増減によるばらつきはほとんど見られなくなっていた。
【０１１４】
図５６には、図５５のグルコース濃度を１００ｍｇ／ｄｌから４００ｍｇ／ｄｌに変化させた場合の測定結果を示している。
この場合でも、上記の結果と同様に、血液試料の温度が１０℃、２５℃、４０℃のいずれの場合でも、Ｈｃｔ値の増減によって、グルコース濃度測定時には応答電流値がばらつくことが分かった。一方、温度測定時については、図５５に示すグルコース濃度１００ｍｇ／ｄｌの場合と同様に、Ｈｃｔ値の増減によるばらつきはほとんど見られなくなっていた。
【０１１５】
図５７には、血液試料の温度による影響を分かり易くするために、各グラフ内で温度条件（１０℃、２５℃、４０℃）を変えた場合の測定結果を示している。なお、図中左上下がグルコース濃度１００ｍｇ／ｄｌ、図中右上下がグルコース濃度４００ｍｇ／ｄｌの場合の応答電流値の測定結果を示している。
その結果、グルコース濃度が１００ｍｇ／ｄｌ、４００ｍｇ／ｄｌのいずれの場合でも、血液試料の温度が変化した場合には、温度測定時はもちろん、グルコース濃度時の応答電流値についてもばらつきが見られた。ここでも、上述した１．５Ｖ印加時と同様に、約１℃／１％程度の感度での温度を測定することが可能であった。
【０１１６】
図５８には、グルコース濃度による影響を分かり易くするために、各グラフ内でグルコース濃度（１００ｍｇ／ｄｌ、４００ｍｇ／ｄｌ）を変えた場合の測定結果を示している。なお、図中上段がグルコース濃度１００ｍｇ／ｄｌ、４００ｍｇ／ｄｌのそれぞれの応答電流値の測定結果、図中下段がそのばらつきを示している。
その結果、グルコース濃度が１００ｍｇ／ｄｌ、４００ｍｇ／ｄｌと変化した場合には、グルコース濃度測定時は当然に応答電流値の変化が見られた一方で、上述した１．０〜１．７５Ｖ印加時と同様に、温度測定時の応答電流値については、ほとんどばらつきが見られなくなっていた。
【０１１７】
以上の結果から、電極Ａ−ＢＣ間に２．０Ｖの電圧を印加して応答電流値の測定を行った場合には、１．５V、１．７５Ｖ印加時と同様に、グルコース濃度およびＨｃｔ値の変化による影響を受けることなく、温度変化だけを抽出して取り出すことができることが分かった。
よって、本実施例においては、電極Ａ−ＢＣ間への印加電圧を１．５Ｖ以上に設定して測定を行うことで、グルコース濃度やＨｃｔ値の増減による影響を排除して、本センサチップを温度センサとして使用することができる。
【０１１８】
＜印加電圧２．５Ｖ＞
ここでは、電極Ａ−ＢＣ間に印加される電圧を２．５Ｖに設定し、温度（１０℃、２５℃、４０℃）、Ｈｃｔ値（２５，４５，６５）、グルコース濃度（１００ｍｇ／ｄｌ、４００ｍｇ／ｄｌ）を変化させた際の応答電流値への影響について調べるために、測定を行った。
【０１１９】
図５９には、図中上段に、左から温度を１０℃、２５℃、４０℃と変化させた際の応答電流値の変化を示しており、各グラフ中においてＨｃｔ値を２５，４５，６５と変化させた際の応答電流値の変化を示している。また、同図中下段に、上段に示したグラフにおいて、Ｈｃｔ値４５を基準とした場合のＨｃｔ値２５，６５の応答電流値のばらつきの度合いを示している。
【０１２０】
その結果、図５９のグラフに示されているように、血液試料の温度が１０℃、２５℃、４０℃のいずれの場合でも、Ｈｃｔ値の増減によって、グルコース濃度測定時の応答電流値が大きくばらつくことが分かった。一方、温度測定時の応答電流値については、上述した１．５Ｖ〜２．０Ｖ印加時と同様に、Ｈｃｔ値の増減によるばらつきはほとんど見られなくなっていた。
【０１２１】
図６０には、図５９のグルコース濃度を１００ｍｇ／ｄｌから４００ｍｇ／ｄｌに変化させた場合の測定結果を示している。
この場合でも、上記の結果と同様に、血液試料の温度が１０℃、２５℃、４０℃のいずれの場合でも、Ｈｃｔ値の増減によって、グルコース濃度測定時には応答電流値がばらつくことが分かった。一方、温度測定時については、図５９に示すグルコース濃度１００ｍｇ／ｄｌの場合と同様に、Ｈｃｔ値の増減によるばらつきはほとんど見られなくなっていた。
【０１２２】
図６１には、血液試料の温度による影響を分かり易くするために、各グラフ内で温度条件（１０℃、２５℃、４０℃）を変えた場合の測定結果を示している。なお、図中左上下がグルコース濃度１００ｍｇ／ｄｌ、図中右上下がグルコース濃度４００ｍｇ／ｄｌの場合の応答電流値の測定結果を示している。
その結果、グルコース濃度が１００ｍｇ／ｄｌ、４００ｍｇ／ｄｌのいずれの場合でも、血液試料の温度が変化した場合には、グルコース濃度時の応答電流値についてもばらつきが見られたものの、温度測定時には、血液試料の温度が変化しているにも関わらず、応答電流値にはほとんど差がなくなってしまうことが分かった。
【０１２３】
図６２には、グルコース濃度による影響を分かり易くするために、各グラフ内でグルコース濃度（１００ｍｇ／ｄｌ、４００ｍｇ／ｄｌ）を変えた場合の測定結果を示している。なお、図中上段がグルコース濃度１００ｍｇ／ｄｌ、４００ｍｇ／ｄｌのそれぞれの応答電流値の測定結果、図中下段がそのばらつきを示している。
その結果、グルコース濃度が１００ｍｇ／ｄｌ、４００ｍｇ／ｄｌと変化した場合には、グルコース濃度測定時は当然に応答電流値の変化が見られた一方で、上述した１．０〜１．７５Ｖ印加時と同様に、温度測定時の応答電流値については、ほとんどばらつきが見られなくなっていた。
【０１２４】
以上の結果から、電極Ａ−ＢＣ間に２．５Ｖの電圧を印加して応答電流値の測定を行った場合には、１．５〜２．０Ｖ印加時と同様に、グルコース濃度およびＨｃｔ値の変化による影響を受けることはない一方で、温度変化による影響も受けないことが分かった。
よって、本実施例においては、電極Ａ−ＢＣ間への印加電圧を２．５Ｖに設定して測定を行った場合には、グルコース濃度やＨｃｔ値の増減による影響を排除できるものの、印加電圧が高過ぎるために、温度センサとしての感度が低下してしまって、温度センサとして使用できないことが分かった。
【０１２５】
＜印加電圧３．０Ｖ＞
ここでは、電極Ａ−ＢＣ間に印加される電圧を３．０Ｖに設定し、温度（１０℃、２５℃、４０℃）、Ｈｃｔ値（２５，４５，６５）、グルコース濃度（１００ｍｇ／ｄｌ、４００ｍｇ／ｄｌ）を変化させた際の応答電流値への影響について調べるために、測定を行った。
【０１２６】
図６３には、図中上段に、左から温度を１０℃、２５℃、４０℃と変化させた際の応答電流値の変化を示しており、各グラフ中においてＨｃｔ値を２５，４５，６５と変化させた際の応答電流値の変化を示している。また、同図中下段に、上段に示したグラフにおいて、Ｈｃｔ値４５を基準とした場合のＨｃｔ値２５，６５の応答電流値のばらつきの度合いを示している。
【０１２７】
その結果、図６３のグラフに示されているように、血液試料の温度が１０℃、２５℃、４０℃のいずれの場合でも、Ｈｃｔ値の増減によって、グルコース濃度測定時の応答電流値が大きくばらつくことが分かった。一方、温度測定時の応答電流値については、上述した１．５Ｖ〜２．５Ｖ印加時と同様に、Ｈｃｔ値の増減によるばらつきはほとんど見られなくなっていた。
【０１２８】
図６４には、図６３のグルコース濃度を１００ｍｇ／ｄｌから４００ｍｇ／ｄｌに変化させた場合の測定結果を示している。
この場合でも、上記の結果と同様に、血液試料の温度が１０℃、２５℃、４０℃のいずれの場合でも、Ｈｃｔ値の増減によって、グルコース濃度測定時には応答電流値がばらつくことが分かった。一方、温度測定時については、図６３に示すグルコース濃度１００ｍｇ／ｄｌの場合と同様に、Ｈｃｔ値の増減によるばらつきはほとんど見られなくなっていた。
【０１２９】
図６５には、血液試料の温度による影響を分かり易くするために、各グラフ内で温度条件（１０℃、２５℃、４０℃）を変えた場合の測定結果を示している。なお、図中左上下がグルコース濃度１００ｍｇ／ｄｌ、図中右上下がグルコース濃度４００ｍｇ／ｄｌの場合の応答電流値の測定結果を示している。
その結果、グルコース濃度が１００ｍｇ／ｄｌ、４００ｍｇ／ｄｌのいずれの場合でも、血液試料の温度が変化した場合には、グルコース濃度時の応答電流値についてもばらつきが見られたものの、温度測定時には、血液試料の温度が変化しているにも関わらず、応答電流値にはほとんど差がなくなってしまうことが分かった。
【０１３０】
図６６には、グルコース濃度による影響を分かり易くするために、各グラフ内でグルコース濃度（１００ｍｇ／ｄｌ、４００ｍｇ／ｄｌ）を変えた場合の測定結果を示している。なお、図中上段がグルコース濃度１００ｍｇ／ｄｌ、４００ｍｇ／ｄｌのそれぞれの応答電流値の測定結果、図中下段がそのばらつきを示している。
その結果、グルコース濃度が１００ｍｇ／ｄｌ、４００ｍｇ／ｄｌと変化した場合には、グルコース濃度測定時は当然に応答電流値の変化が見られた一方で、上述した１．０〜２．５Ｖ印加時と同様に、温度測定時の応答電流値については、ほとんどばらつきが見られなくなっていた。
【０１３１】
以上の結果から、電極Ａ−ＢＣ間に３．０Ｖの電圧を印加して応答電流値の測定を行った場合には、１．５〜２．５Ｖ印加時と同様に、グルコース濃度およびＨｃｔ値の変化による影響を受けることはない一方で、温度変化による影響も受けないことが分かった。
よって、本実施例においては、電極Ａ−ＢＣ間への印加電圧を３．０Ｖに設定して測定を行った場合には、グルコース濃度やＨｃｔ値の増減による影響を排除できるものの、印加電圧が高過ぎるために、温度センサとしての感度が低下してしまって、温度センサとして使用できないことが分かった。
【０１３２】
＜試薬量１．５倍＞
ここでは、電極ＡＢＣ上に配置された反応試薬層の試薬量を１．５倍とした場合に、電極間Ａ−ＢＣ間に印加される電圧を１．０Ｖに設定し、温度（１０℃、２５℃、４０℃）、Ｈｃｔ値（２５，４５，６５）、グルコース濃度（１００ｍｇ／ｄｌ、４００ｍｇ／ｄｌ）を変化させた際の応答電流値への影響について調べるために、測定を行った。
【０１３３】
具体的には、図４に示す上記実施形態の反応試薬層２０と比較して、Ｈ2Ｏ（水）中に、フェリシアン化カリウムを１．７ｗｔ％から２．５５ｗｔ％とし、タウリンを１．０ｗｔ％から１．５ｗｔ％とし、マルチトールを０．１ｗｔ％から０．２ｗｔ％としたものを使用した。
図６７には、図中上段に、左から温度を１０℃、２５℃、４０℃と変化させた際の応答電流値の変化を示しており、各グラフ中においてＨｃｔ値を２５，４５，６５と変化させた際の応答電流値の変化を示している。また、同図中下段に、上段に示したグラフにおいて、Ｈｃｔ値４５を基準とした場合のＨｃｔ値２５，６５の応答電流値のばらつきの度合いを示している。
【０１３４】
その結果、図６７のグラフに示されているように、血液試料の温度が１０℃、２５℃、４０℃のいずれの場合でも、Ｈｃｔ値の増減によって、グルコース濃度測定時、温度測定時のいずれの場合も応答電流値が大きくばらつくことが分かった。
図６８には、図６７のグルコース濃度を１００ｍｇ／ｄｌから４００ｍｇ／ｄｌに変化させた場合の測定結果を示している。
【０１３５】
この場合でも、上記の結果と同様に、血液試料の温度が１０℃、２５℃、４０℃のいずれの場合でも、Ｈｃｔ値の増減によって、グルコース濃度測定時、温度測定時のいずれの場合も応答電流値が大きくばらつくことが分かった。
図６９には、血液試料の温度による影響を分かり易くするために、各グラフ内で温度条件（１０℃、２５℃、４０℃）を変えた場合の測定結果を示している。なお、図中左上下がグルコース濃度１００ｍｇ／ｄｌ、図中右上下がグルコース濃度４００ｍｇ／ｄｌの場合の応答電流値の測定結果を示している。
【０１３６】
その結果、グルコース濃度が１００ｍｇ／ｄｌ、４００ｍｇ／ｄｌのいずれの場合でも、血液試料の温度が変化した場合には、温度測定時はもちろん、グルコース濃度時の応答電流値についても大きくばらついてしまうことが分かった。
図７０には、グルコース濃度による影響を分かり易くするために、各グラフ内でグルコース濃度（１００ｍｇ／ｄｌ、４００ｍｇ／ｄｌ）を変えた場合の測定結果を示している。なお、図中上段がグルコース濃度１００ｍｇ／ｄｌ、４００ｍｇ／ｄｌのそれぞれの応答電流値の測定結果、図中下段がそのばらつきを示している。
【０１３７】
その結果、グルコース濃度が１００ｍｇ／ｄｌ、４００ｍｇ／ｄｌと変化した場合には、グルコース濃度測定時は当然に応答電流値の変化が見られた一方で、温度測定時の応答電流値については、ほとんどばらつきが見られなくなっていた。
以上の結果から、電極上に配置される反応試薬層の試薬量を１．５倍とし、電極Ａ−ＢＣ間に１．０Ｖの電圧を印加して応答電流値の測定を行った場合には、Ｈｃｔ値、温度のそれぞれの変化による影響を受けてしまっており、温度変化だけを抽出して取り出すことはできないことが分かった。ただし、図７０に示す結果から、通常の試薬量の場合と同様に、電極Ａ−ＢＣ間に１．０Ｖの電圧を印加した場合には、温度測定時（測定時間３．０〜５．０ｓｅｃ）には、グルコース濃度の増減による影響はほとんど受けないことが分かった。
【０１３８】
＜試薬量０．５倍＞
ここでは、電極ＡＢＣ上に配置された試薬層の試薬量を０．５倍とした場合に、電極間Ａ−ＢＣ間に印加される電圧を１．０Ｖに設定し、温度（１０℃、２５℃、４０℃）、Ｈｃｔ値（２５，４５，６５）、グルコース濃度（１００ｍｇ／ｄｌ、４００ｍｇ／ｄｌ）を変化させた際の応答電流値への影響について調べるために、測定を行った。
【０１３９】
具体的には、図４に示す上記実施形態の反応試薬層２０と比較して、Ｈ2Ｏ（水）中に、フェリシアン化カリウムを１．７ｗｔ％から０．８５ｗｔ％とし、タウリンを１．０ｗｔ％から０．５ｗｔ％とし、マルチトールを０．１ｗｔ％から０．０５ｗｔ％としたものを使用した。
図７１には、図中上段に、左から温度を１０℃、２５℃、４０℃と変化させた際の応答電流値の変化を示しており、各グラフ中においてＨｃｔ値を２５，４５，６５と変化させた際の応答電流値の変化を示している。また、同図中下段に、上段に示したグラフにおいて、Ｈｃｔ値４５を基準とした場合のＨｃｔ値２５，６５の応答電流値のばらつきの度合いを示している。
【０１４０】
その結果、図７１のグラフに示されているように、血液試料の温度が１０℃、２５℃、４０℃のいずれの場合でも、Ｈｃｔ値の増減によって、グルコース濃度測定時、温度測定時のいずれの場合も応答電流値がばらつくことが分かった。
図７２には、図７１のグルコース濃度を１００ｍｇ／ｄｌから４００ｍｇ／ｄｌに変化させた場合の測定結果を示している。
【０１４１】
この場合でも、上記の結果と同様に、血液試料の温度が１０℃、２５℃、４０℃のいずれの場合でも、Ｈｃｔ値の増減によって、グルコース濃度測定時、温度測定時のいずれの場合も応答電流値がばらつくことが分かった。
図７３には、血液試料の温度による影響を分かり易くするために、各グラフ内で温度条件（１０℃、２５℃、４０℃）を変えた場合の測定結果を示している。なお、図中左上下がグルコース濃度１００ｍｇ／ｄｌ、図中右上下がグルコース濃度４００ｍｇ／ｄｌの場合の応答電流値の測定結果を示している。
【０１４２】
その結果、グルコース濃度が１００ｍｇ／ｄｌ、４００ｍｇ／ｄｌのいずれの場合でも、血液試料の温度が変化した場合には、温度測定時はもちろん、グルコース濃度時の応答電流値についても大きくばらついてしまうことが分かった。
図７４には、グルコース濃度による影響を分かり易くするために、各グラフ内でグルコース濃度（１００ｍｇ／ｄｌ、４００ｍｇ／ｄｌ）を変えた場合の測定結果を示している。なお、図中上段がグルコース濃度１００ｍｇ／ｄｌ、４００ｍｇ／ｄｌのそれぞれの応答電流値の測定結果、図中下段がそのばらつきを示している。
【０１４３】
その結果、グルコース濃度が１００ｍｇ／ｄｌ、４００ｍｇ／ｄｌと変化した場合には、グルコース濃度測定時は当然に応答電流値の変化が見られた一方で、温度測定時の応答電流値については、ほとんどばらつきが見られなくなっていた。
以上の結果から、電極上に配置される試薬層の試薬量を半分の０．５倍とし、電極Ａ−ＢＣ間に１．０Ｖの電圧を印加して応答電流値の測定を行った場合には、Ｈｃｔ値、温度のそれぞれの変化による影響を受けてしまっており、温度変化だけを抽出して取り出すことはできないことが分かった。ただし、図７４に示す結果から、通常の試薬量の場合と同様に、電極Ａ−ＢＣ間に１．０Ｖの電圧を印加した場合には、温度測定時（測定時間３．０〜５．０ｓｅｃ）には、グルコース濃度の増減による影響はほとんど受けないことが分かった。
【０１４４】
よって、試薬量０．５倍、１．０倍、１．５倍として、電極Ａ−ＢＣに対して同じ電圧１．０Ｖを印加して測定を行った場合でも、応答電流値にはほとんど影響しないことが分かった。この結果、試薬量の増減による応答電流値への影響はほとんどないものと考えられる。
＜スペーサ厚５０μｍ＞
ここでは、基板と上カバーとの間の挿入されるスペーサの厚みを、１００μｍから５０μｍとした場合に、電極間Ａ−ＢＣ間に印加される電圧を１．５Ｖに設定し、温度（１０℃、２５℃、４０℃）、Ｈｃｔ値（２５，４５，６５）、グルコース濃度（１００ｍｇ／ｄｌ、４００ｍｇ／ｄｌ）を変化させた際の応答電流値への影響について調べるために、測定を行った。
【０１４５】
図７５には、図中上段に、左から温度を１０℃、２５℃、４０℃と変化させた際の応答電流値の変化を示しており、各グラフ中においてＨｃｔ値を２５，４５，６５と変化させた際の応答電流値の変化を示している。また、同図中下段に、上段に示したグラフにおいて、Ｈｃｔ値４５を基準とした場合のＨｃｔ値２５，６５の応答電流値のばらつきの度合いを示している。
【０１４６】
その結果、図７５のグラフに示されているように、血液試料の温度が１０℃、２５℃、４０℃のいずれの場合でも、Ｈｃｔ値の増減によって、グルコース濃度測定時の応答電流値が大きくばらつくことが分かった。一方、温度測定時の応答電流値については、Ｈｃｔ値の増減によるばらつきは−数％の範囲内で抑えられていた。
図７６には、図７５のグルコース濃度を１００ｍｇ／ｄｌから４００ｍｇ／ｄｌに変化させた場合の測定結果を示している。
【０１４７】
この場合でも、上記の結果と同様に、血液試料の温度が１０℃、２５℃、４０℃のいずれの場合でも、Ｈｃｔ値の増減によって、グルコース濃度測定時には応答電流値がばらつくことが分かった。一方、温度測定時については、図７５に示すグルコース濃度１００ｍｇ／ｄｌの場合と同様に、Ｈｃｔ値の増減によるばらつきは抑えられていた。
図７７には、血液試料の温度による影響を分かり易くするために、各グラフ内で温度条件（１０℃、２５℃、４０℃）を変えた場合の測定結果を示している。なお、図中左上下がグルコース濃度１００ｍｇ／ｄｌ、図中右上下がグルコース濃度４００ｍｇ／ｄｌの場合の応答電流値の測定結果を示している。
【０１４８】
その結果、グルコース濃度が１００ｍｇ／ｄｌ、４００ｍｇ／ｄｌのいずれの場合でも、血液試料の温度が変化した場合には、温度測定時はもちろん、グルコース濃度時の応答電流値についてもばらつきが見られた。ここで、血液試料の温度が変化した場合には、約１℃／１％程度の感度で応答電流値も変化することが分かった。これは、本実施例のセンサチップが温度センサとして機能することを意味している。
【０１４９】
図７８には、グルコース濃度による影響を分かり易くするために、各グラフ内でグルコース濃度（１００ｍｇ／ｄｌ、４００ｍｇ／ｄｌ）を変えた場合の測定結果を示している。なお、図中上段がグルコース濃度１００ｍｇ／ｄｌ、４００ｍｇ／ｄｌのそれぞれの応答電流値の測定結果、図中下段がそのばらつきを示している。
その結果、グルコース濃度が１００ｍｇ／ｄｌ、４００ｍｇ／ｄｌと変化した場合には、グルコース濃度測定時は当然に応答電流値の変化が見られた一方で、温度測定時の応答電流値については、ほとんどばらつきが見られなくなっていた。
【０１５０】
以上の結果から、電極Ａ−ＢＣ間に１．５Ｖの電圧を印加して応答電流値の測定を行った場合には、スペーサを薄くしたこととは無関係に、グルコース濃度およびＨｃｔ値の変化による影響を受けることなく、温度変化だけを抽出して取り出すことができることが分かった。
よって、本実施例においては、電極Ａ−ＢＣ間への印加電圧を１．５Ｖに設定して測定を行うことで、グルコース濃度やＨｃｔ値の増減による影響に加えて、スペーサの厚みによる影響まで排除して、本センサチップを温度センサとして使用することができる。
【０１５１】
＜スペーサ厚１５０μｍ＞
ここでは、基板と上カバーとの間の挿入されるスペーサの厚みを、１００μｍから１５０μｍとした場合に、電極間Ａ−ＢＣ間に印加される電圧を１．５Ｖに設定し、温度（１０℃、２５℃、４０℃）、Ｈｃｔ値（２５，４５，６５）、グルコース濃度（１００ｍｇ／ｄｌ、４００ｍｇ／ｄｌ）を変化させた際の応答電流値への影響について調べるために、測定を行った。
【０１５２】
図７９には、図中上段に、左から温度を１０℃、２５℃、４０℃と変化させた際の応答電流値の変化を示しており、各グラフ中においてＨｃｔ値を２５，４５，６５と変化させた際の応答電流値の変化を示している。また、同図中下段に、上段に示したグラフにおいて、Ｈｃｔ値４５を基準とした場合のＨｃｔ値２５，６５の応答電流値のばらつきの度合いを示している。
【０１５３】
その結果、図７９のグラフに示されているように、血液試料の温度が１０℃、２５℃、４０℃のいずれの場合でも、Ｈｃｔ値の増減によって、グルコース濃度測定時の応答電流値が大きくばらつくことが分かった。一方、温度測定時の応答電流値については、Ｈｃｔ値の増減によるばらつきはほとんど見られなくなっていた。
図８０には、図７９のグルコース濃度を１００ｍｇ／ｄｌから４００ｍｇ／ｄｌに変化させた場合の測定結果を示している。
【０１５４】
この場合でも、上記の結果と同様に、血液試料の温度が１０℃、２５℃、４０℃のいずれの場合でも、Ｈｃｔ値の増減によって、グルコース濃度測定時には応答電流値がばらつくことが分かった。一方、温度測定時については、図７９に示すグルコース濃度１００ｍｇ／ｄｌの場合と同様に、Ｈｃｔ値の増減によるばらつきは抑えられていた。
図８１には、血液試料の温度による影響を分かり易くするために、各グラフ内で温度条件（１０℃、２５℃、４０℃）を変えた場合の測定結果を示している。なお、図中左上下がグルコース濃度１００ｍｇ／ｄｌ、図中右上下がグルコース濃度４００ｍｇ／ｄｌの場合の応答電流値の測定結果を示している。
【０１５５】
その結果、グルコース濃度が１００ｍｇ／ｄｌ、４００ｍｇ／ｄｌのいずれの場合でも、血液試料の温度が変化した場合には、温度測定時はもちろん、グルコース濃度時の応答電流値についてもばらつきが見られた。ここで、血液試料の温度が変化した場合には、約１℃／１％程度の感度で応答電流値も変化することが分かった。これは、本実施例のセンサチップが温度センサとして機能することを意味している。
【０１５６】
図８２には、グルコース濃度による影響を分かり易くするために、各グラフ内でグルコース濃度（１００ｍｇ／ｄｌ、４００ｍｇ／ｄｌ）を変えた場合の測定結果を示している。なお、図中上段がグルコース濃度１００ｍｇ／ｄｌ、４００ｍｇ／ｄｌのそれぞれの応答電流値の測定結果、図中下段がそのばらつきを示している。
その結果、グルコース濃度が１００ｍｇ／ｄｌ、４００ｍｇ／ｄｌと変化した場合には、グルコース濃度測定時は当然に応答電流値の変化が見られた一方で、温度測定時の応答電流値については、ほとんどばらつきが見られなくなっていた。
【０１５７】
以上の結果から、電極Ａ−ＢＣ間に１．５Ｖの電圧を印加して応答電流値の測定を行った場合には、スペーサを厚くしたこととは無関係に、グルコース濃度およびＨｃｔ値の変化による影響を受けることなく、温度変化だけを抽出して取り出すことができることが分かった。
よって、本実施例においては、電極Ａ−ＢＣ間への印加電圧を１．５Ｖに設定して測定を行うことで、グルコース濃度やＨｃｔ値の増減による影響に加えて、スペーサの厚みによる影響まで排除して、本センサチップを温度センサとして使用することができる。
【０１５８】
＜まとめ＞
以上のように応答電流値の測定結果をまとめたデータを、図８３および図８４に示す。
図８３には、上述した各印加電圧に対して、グルコース濃度１００ｍｇ／ｄｌを基準とした場合のグルコース濃度の増減による応答電流値への影響をまとめたグラフを示している。なお、グラフ中の各プロットは、測定時間帯として温度測定時としての範囲内で、３．５〜５．０ｓｅｃ間で０．５ｓｅｃ単位でデータを採取したものである。
【０１５９】
その結果、図８３に示すように、グルコース濃度の増減による影響は、０．５〜１．０Ｖの印加電圧範囲で見られたものの、１．０〜１．５Ｖの印加電圧範囲ではほとんど無いことが分かった。
図８４には、上述した実施例２における各温度、Ｈｃｔ値で条件を変えた場合に、印加電圧に対する応答電流値のばらつきをまとめたグラフを示している。なお、同図中左のグラフは、グルコース濃度１００ｍｇ／ｄｌ、右側のグラフは、グルコース濃度４００ｍｇ／ｄｌとし、それぞれ測定ポイント３．５ｓｅｃでの測定結果を示している。
【０１６０】
その結果、図８４に示すように、グルコース濃度１００ｍｇ／ｄｌ、４００ｍｇ／ｄｌの双方ともに、印加電圧１．２Ｖ付近からばらつきが収束し始めて、印加電圧１．５Ｖ付近ではほとんどばらつきが見られなくなっていることが分かった。
以上の結果から、本実施例のセンサチップ構成において、血液試料の温度を正確に測定するためには、グルコース濃度、Ｈｃｔ値による双方の影響を排除することが可能な印加電圧の範囲として、一般的なグルコース濃度測定時の電圧（０．２５Ｖ程度）よりも高い電圧（１．５Ｖ以上の電圧）が必要であることが分かった。
【０１６１】
（実施例３）
本発明に係るさらに他の実施例について、図９８〜図１０３のグラフを用いて説明すれば以下の通りである。
本実施例では、上述した実施例１とは異なるセンサチップ構成（図９８参照）を用いて、実施例１と同様に、０．５〜２．０Ｖまでの電圧を印加して測定を行った。
【０１６２】
本実施例で使用したセンサチップは、図９８に示すように、作用極、対極、検知極を含んでおり、電極材料がＰｄ、酵素がグルコースデヒドロゲナーゼ、メディエータがフェリシアン化カリウムを用いて構成されている。
さらに、本実施例で使用したセンサチップは、３つの電極Ｇ，Ｅ，Ｃを有しており、電極Ｇ，Ｅ，Ｃに対して印加した電圧および印加した時間については、図９８の下段に示すように、まず、測定開始のタイミングとしては、Ｅ−Ｇ電極間に電圧を０．５Ｖ（５００ｍＶ）印加した状態において、０．０５μＡの電流増加が検出された際を基準とした。次に、電極Ｃ−ＧＥ間にグルコース濃度を測定するための電圧として、０．５Ｖを約２秒間印加した。そして、電極Ｃ−ＧＥ間に温度測定を行うための電圧として、０．５Ｖ〜２．０Ｖまで変化させながら約３．0秒間印加した。
【０１６３】
以下で、印加電圧０．５Ｖ〜２．０Ｖまで変化させた際の温度の測定に対するグルコース濃度の増減による影響を調べた結果について説明する。
＜印加電圧０．５Ｖ＞
ここでは、電極間に印加される電圧を０．５Ｖに設定し、グルコース濃度（１００ｍｇ／ｄｌ、４００ｍｇ／ｄｌ）、温度（１０℃、２５℃、４０℃）を変化させた際の応答電流値への影響について調べるために、測定を行った。
【０１６４】
図９９の左段には、グルコース濃度による影響を分かり易くするために、各グラフ内でグルコース濃度（１００ｍｇ／ｄｌ、４００ｍｇ／ｄｌ）を変えた場合の測定結果を示している。なお、図中左上段がグルコース濃度１００ｍｇ／ｄｌ、４００ｍｇ／ｄｌのそれぞれの応答電流値の測定結果、図中左下段がそのばらつきを示している。
その結果、グルコース濃度が１００ｍｇ／ｄｌ、４００ｍｇ／ｄｌと変化した場合には、グルコース濃度測定時はもちろん、温度測定時の応答電流値についても大きくばらついてしまうことが分かった。
【０１６５】
また、図１０１の左段には、血液試料の温度による影響を分かり易くするために、各グラフ内で温度（１０℃、２５℃、４０℃）を変えた場合の測定結果を示している。なお、図中左上段がグルコース濃度１００ｍｇ／ｄｌでの測定結果、図中左下段がグルコース濃度４００ｍｇ／ｄｌのそれぞれの応答電流値の測定結果のばらつきを示している。
その結果、グルコース濃度が１００ｍｇ／ｄｌ、４００ｍｇ／ｄｌのいずれの場合でも、血液試料の温度が変化した場合には、温度測定時はもちろん、グルコース濃度時の応答電流値についても大きくばらついてしまうことが分かった。
【０１６６】
以上の結果から、電極間に０．５Ｖの電圧を印加して応答電流値の測定を行った場合には、グルコース濃度、温度のそれぞれの変化による影響を受けてしまっており、温度変化だけを抽出して取り出すことはできないことが分かった。
＜印加電圧０．７５Ｖ＞
ここでは、電極間に印加される電圧を０．７５Ｖに設定し、グルコース濃度（１００ｍｇ／ｄｌ、４００ｍｇ／ｄｌ）、温度（１０℃、２５℃、４０℃）を変化させた際の応答電流値への影響について調べるために、測定を行った。
【０１６７】
図９９の中段には、グルコース濃度による影響を分かり易くするために、各グラフ内でグルコース濃度（１００ｍｇ／ｄｌ、４００ｍｇ／ｄｌ）を変えた場合の測定結果を示している。なお、図中の中上段がグルコース濃度１００ｍｇ／ｄｌ、４００ｍｇ／ｄｌのそれぞれの応答電流値の測定結果、図中の中下段がそのばらつきを示している。
その結果、グルコース濃度が１００ｍｇ／ｄｌ、４００ｍｇ／ｄｌと変化した場合には、グルコース濃度測定時はもちろん、温度測定時の応答電流値についても大きくばらついてしまうことが分かった。
【０１６８】
また、図１０１の中段には、血液試料の温度による影響を分かり易くするために、各グラフ内で温度（１０℃、２５℃、４０℃）を変えた場合の測定結果を示している。なお、図中の中上段がグルコース濃度１００ｍｇ／ｄｌでの測定結果、図中の中下段がグルコース濃度４００ｍｇ／ｄｌのそれぞれの応答電流値の測定結果のばらつきを示している。
その結果、グルコース濃度が１００ｍｇ／ｄｌ、４００ｍｇ／ｄｌのいずれの場合でも、血液試料の温度が変化した場合には、温度測定時はもちろん、グルコース濃度時の応答電流値についても大きくばらついてしまうことが分かった。
【０１６９】
以上の結果から、電極間に０．７５Ｖの電圧を印加して応答電流値の測定を行った場合には、グルコース濃度、温度のそれぞれの変化による影響を受けてしまっており、温度変化だけを抽出して取り出すことはできないことが分かった。
＜印加電圧１．０Ｖ＞
ここでは、電極間に印加される電圧を１．０Ｖに設定し、グルコース濃度（１００ｍｇ／ｄｌ、４００ｍｇ／ｄｌ）を変化させた際の応答電流値への影響について調べるために、測定を行った。
【０１７０】
図９９の右段には、グルコース濃度による影響を分かり易くするために、各グラフ内でグルコース濃度（１００ｍｇ／ｄｌ、４００ｍｇ／ｄｌ）を変えた場合の測定結果を示している。なお、図中右上段がグルコース濃度１００ｍｇ／ｄｌ、４００ｍｇ／ｄｌのそれぞれの応答電流値の測定結果、図中右下段がそのばらつきを示している。
その結果、グルコース濃度が１００ｍｇ／ｄｌ、４００ｍｇ／ｄｌと変化した場合には、グルコース濃度測定時は当然に応答電流値の変化が見られた一方で、温度測定時の応答電流値については、ばらつきが３０％程度の差の範囲内に抑制されてきていることが分かった。
【０１７１】
また、図１０１の右段には、血液試料の温度による影響を分かり易くするために、各グラフ内で温度（１０℃、２５℃、４０℃）を変えた場合の測定結果を示している。なお、図中右上段がグルコース濃度１００ｍｇ／ｄｌでの測定結果、図中右下段がグルコース濃度４００ｍｇ／ｄｌのそれぞれの応答電流値の測定結果のばらつきを示している。
その結果、グルコース濃度が１００ｍｇ／ｄｌ、４００ｍｇ／ｄｌのいずれの場合でも、血液試料の温度が変化した場合には、温度測定時はもちろん、グルコース濃度時の応答電流値についても大きくばらついてしまうことが分かった。
【０１７２】
以上の結果から、電極間に１．０Ｖの電圧を印加して応答電流値の測定を行った場合には、グルコース濃度測定時、温度測定時ともに、温度の変化による影響を受けることが分かった。ただし、図９９の右下段のグラフに示すように、電極間に１．０Ｖの電圧を印加した場合には、温度測定時には、グルコース濃度の増減による影響は抑えられてくる傾向があることが分かった。
【０１７３】
＜印加電圧１．２５Ｖ＞
ここでは、電極間に印加される電圧を１．２５Ｖに設定し、グルコース濃度（１００ｍｇ／ｄｌ、４００ｍｇ／ｄｌ）を変化させた際の応答電流値への影響について調べるために、測定を行った。
図１００の左段には、グルコース濃度による影響を分かり易くするために、各グラフ内でグルコース濃度（１００ｍｇ／ｄｌ、４００ｍｇ／ｄｌ）を変えた場合の測定結果を示している。なお、図中左上段がグルコース濃度１００ｍｇ／ｄｌ、４００ｍｇ／ｄｌのそれぞれの応答電流値の測定結果、図中左下段がそのばらつきを示している。
【０１７４】
その結果、グルコース濃度が１００ｍｇ／ｄｌ、４００ｍｇ／ｄｌと変化した場合には、グルコース濃度測定時は当然に応答電流値の変化が見られた一方で、温度測定時の応答電流値については、ばらつきがほとんどなくなっていることが分かった。
また、図１０２の左段には、血液試料の温度による影響を分かり易くするために、各グラフ内で温度（１０℃、２５℃、４０℃）を変えた場合の測定結果を示している。なお、図中左上段がグルコース濃度１００ｍｇ／ｄｌでの測定結果、図中左下段がグルコース濃度４００ｍｇ／ｄｌのそれぞれの応答電流値の測定結果のばらつきを示している。
【０１７５】
その結果、グルコース濃度が１００ｍｇ／ｄｌ、４００ｍｇ／ｄｌのいずれの場合でも、血液試料の温度が変化した場合には、温度測定時はもちろん、グルコース濃度時の応答電流値についても大きくばらついてしまうことが分かった。
以上の結果から、電極間に１．２５Ｖの電圧を印加して応答電流値の測定を行った場合には、グルコース濃度測定時、温度測定時ともに、温度の変化による影響を受けることが分かった。ただし、図１００の左下段のグラフに示すように、電極間に１．２５Ｖの電圧を印加した場合には、温度測定時には、グルコース濃度の増減による影響はほとんどないことが分かった。
【０１７６】
＜印加電圧１．５Ｖ＞
ここでは、電極間に印加される電圧を１．５Ｖに設定し、グルコース濃度（１００ｍｇ／ｄｌ、４００ｍｇ／ｄｌ）を変化させた際の応答電流値への影響について調べるために、測定を行った。
図１００の中段には、グルコース濃度による影響を分かり易くするために、各グラフ内でグルコース濃度（１００ｍｇ／ｄｌ、４００ｍｇ／ｄｌ）を変えた場合の測定結果を示している。なお、図中の中上段がグルコース濃度１００ｍｇ／ｄｌ、４００ｍｇ／ｄｌのそれぞれの応答電流値の測定結果、図中の中下段がそのばらつきを示している。
【０１７７】
その結果、グルコース濃度が１００ｍｇ／ｄｌ、４００ｍｇ／ｄｌと変化した場合には、グルコース濃度測定時は当然に応答電流値の変化が見られた一方で、温度測定時の応答電流値については、ばらつきがほとんどなくなっていることが分かった。
また、図１０２の中段には、血液試料の温度による影響を分かり易くするために、各グラフ内で温度（１０℃、２５℃、４０℃）を変えた場合の測定結果を示している。なお、図中の中上段がグルコース濃度１００ｍｇ／ｄｌでの測定結果、図中の中下段がグルコース濃度４００ｍｇ／ｄｌのそれぞれの応答電流値の測定結果のばらつきを示している。
【０１７８】
その結果、グルコース濃度が１００ｍｇ／ｄｌ、４００ｍｇ／ｄｌのいずれの場合でも、血液試料の温度が変化した場合には、温度測定時はもちろん、グルコース濃度時の応答電流値についても大きくばらついてしまうことが分かった。
以上の結果から、電極間に１．５Ｖの電圧を印加して応答電流値の測定を行った場合には、グルコース濃度測定時、温度測定時ともに、温度の変化による影響を受けることが分かった。ただし、図１００の中下段のグラフに示すように、電極間に１．５Ｖの電圧を印加した場合には、温度測定時には、グルコース濃度の増減による影響はほとんどないことが分かった。
【０１７９】
＜印加電圧２．０Ｖ＞
ここでは、電極間に印加される電圧を２．０Ｖに設定し、グルコース濃度（１００ｍｇ／ｄｌ、４００ｍｇ／ｄｌ）を変化させた際の応答電流値への影響について調べるために、測定を行った。
図１００の右段には、グルコース濃度による影響を分かり易くするために、各グラフ内でグルコース濃度（１００ｍｇ／ｄｌ、４００ｍｇ／ｄｌ）を変えた場合の測定結果を示している。なお、図中の右上段がグルコース濃度１００ｍｇ／ｄｌ、４００ｍｇ／ｄｌのそれぞれの応答電流値の測定結果、図中の右下段がそのばらつきを示している。
【０１８０】
その結果、グルコース濃度が１００ｍｇ／ｄｌ、４００ｍｇ／ｄｌと変化した場合には、グルコース濃度測定時は当然に応答電流値の変化が見られた一方で、温度測定時の応答電流値については、ばらつきがほとんどなくなっていることが分かった。
また、図１０２の右段には、血液試料の温度による影響を分かり易くするために、各グラフ内で温度（１０℃、２５℃、４０℃）を変えた場合の測定結果を示している。なお、図中の右上段がグルコース濃度１００ｍｇ／ｄｌでの測定結果、図中の右下段がグルコース濃度４００ｍｇ／ｄｌのそれぞれの応答電流値の測定結果のばらつきを示している。
【０１８１】
その結果、グルコース濃度が１００ｍｇ／ｄｌ、４００ｍｇ／ｄｌのいずれの場合でも、血液試料の温度が変化した場合には、温度測定時はもちろん、グルコース濃度時の応答電流値についても大きくばらついてしまうことが分かった。
以上の結果から、電極間に２．０Ｖの電圧を印加して応答電流値の測定を行った場合には、グルコース濃度測定時、温度測定時ともに、温度の変化による影響を受けることが分かった。ただし、図１００の右下段のグラフに示すように、電極間に２．０Ｖの電圧を印加した場合には、温度測定時には、グルコース濃度の増減による影響はほとんどないことが分かった。
【０１８２】
＜まとめ＞
以上の結果から、本実施例のセンサチップ構成において、上記各条件下においてグルコース濃度および温度の測定を実施した結果、図１０３に示すように、温度測定時に１．２５Ｖ以上の電圧を印加した場合には、グルコース濃度の影響を受けることなく、正確に温度測定を実施できることが分かった。
【０１８３】
（実施例４）
本発明に係るさらに他の実施例について、図１０４〜図１０９のグラフを用いて説明すれば以下の通りである。
すなわち、本実施例では、上述した実施例１とは異なるセンサチップ構成（図１０４参照）を用いて、実施例１と同様に、０．５〜２．０Ｖまでの電圧を印加して測定を行った。
【０１８４】
本実施例で使用したセンサチップは、図１０４に示すように、作用極、対極、検知極を含んでおり、電極材料がカーボン、酵素がグルコースオキシターゼ、メディエータがフェリシアン化カリウムを用いて構成されている。
さらに、本実施例で使用したセンサチップは、３つの電極Ｂ，Ｃ，Ｄを有しており、電極Ｂ，Ｃ，Ｄに対して印加した電圧および印加した時間については、図１０４の下段に示すように、まず、測定開始のタイミングとしては、Ｃ−Ｄ電極間に電圧を０．５Ｖ（５００ｍＶ）印加した状態において、０．０５μＡの電流増加が検出された際を基準とした。次に、電極Ｂ−Ｄ間にグルコース濃度を測定するための電圧として、０．５Ｖを約２秒間印加した。そして、電極Ｂ−Ｄ間に温度測定を行うための電圧として、０．５Ｖ〜２．０Ｖまで変化させながら約３．0秒間印加した。
【０１８５】
以下で、印加電圧０．５Ｖ〜２．０Ｖまで変化させた際の温度の測定に対するグルコース濃度の増減による影響を調べた結果について説明する。
＜印加電圧０．５Ｖ＞
ここでは、電極間に印加される電圧を０．５Ｖに設定し、グルコース濃度（１００ｍｇ／ｄｌ、４００ｍｇ／ｄｌ）を変化させた際の応答電流値への影響について調べるために、測定を行った。
【０１８６】
図１０５の左段には、グルコース濃度による影響を分かり易くするために、各グラフ内でグルコース濃度（１００ｍｇ／ｄｌ、４００ｍｇ／ｄｌ）を変えた場合の測定結果を示している。なお、図中左上段がグルコース濃度１００ｍｇ／ｄｌ、４００ｍｇ／ｄｌのそれぞれの応答電流値の測定結果、図中左下段がそのばらつきを示している。
その結果、グルコース濃度が１００ｍｇ／ｄｌ、４００ｍｇ／ｄｌと変化した場合には、グルコース濃度測定時はもちろん、温度測定時の応答電流値についても大きくばらついてしまうことが分かった。
【０１８７】
また、図１０７の左段には、血液試料の温度による影響を分かり易くするために、各グラフ内で温度（１０℃、２５℃、４０℃）を変えた場合の測定結果を示している。なお、図中左上段がグルコース濃度１００ｍｇ／ｄｌでの測定結果、図中左下段がグルコース濃度４００ｍｇ／ｄｌのそれぞれの応答電流値の測定結果のばらつきを示している。
その結果、グルコース濃度が１００ｍｇ／ｄｌ、４００ｍｇ／ｄｌのいずれの場合でも、血液試料の温度が変化した場合には、温度測定時はもちろん、グルコース濃度時の応答電流値についても大きくばらついてしまうことが分かった。
【０１８８】
以上の結果から、電極間に０．５Ｖの電圧を印加して応答電流値の測定を行った場合には、グルコース濃度、温度のそれぞれの変化による影響を受けてしまっており、温度変化だけを抽出して取り出すことはできないことが分かった。
＜印加電圧０．７５Ｖ＞
ここでは、電極間に印加される電圧を０．７５Ｖに設定し、グルコース濃度（１００ｍｇ／ｄｌ、４００ｍｇ／ｄｌ）を変化させた際の応答電流値への影響について調べるために、測定を行った。
【０１８９】
図１０５の中段には、グルコース濃度による影響を分かり易くするために、各グラフ内でグルコース濃度（１００ｍｇ／ｄｌ、４００ｍｇ／ｄｌ）を変えた場合の測定結果を示している。なお、図中の中上段がグルコース濃度１００ｍｇ／ｄｌ、４００ｍｇ／ｄｌのそれぞれの応答電流値の測定結果、図中の中下段がそのばらつきを示している。
その結果、グルコース濃度が１００ｍｇ／ｄｌ、４００ｍｇ／ｄｌと変化した場合には、グルコース濃度測定時はもちろん、温度測定時の応答電流値についても大きくばらついてしまうことが分かった。
【０１９０】
また、図１０７の中段には、血液試料の温度による影響を分かり易くするために、各グラフ内で温度（１０℃、２５℃、４０℃）を変えた場合の測定結果を示している。なお、図中の中上段がグルコース濃度１００ｍｇ／ｄｌでの測定結果、図中の中下段がグルコース濃度４００ｍｇ／ｄｌのそれぞれの応答電流値の測定結果のばらつきを示している。
その結果、グルコース濃度が１００ｍｇ／ｄｌ、４００ｍｇ／ｄｌのいずれの場合でも、血液試料の温度が変化した場合には、温度測定時はもちろん、グルコース濃度時の応答電流値についても大きくばらついてしまうことが分かった。
【０１９１】
以上の結果から、電極間に０．７５Ｖの電圧を印加して応答電流値の測定を行った場合には、グルコース濃度、温度のそれぞれの変化による影響を受けてしまっており、温度変化だけを抽出して取り出すことはできないことが分かった。
＜印加電圧１．０Ｖ＞
ここでは、電極間に印加される電圧を１．０Ｖに設定し、グルコース濃度（１００ｍｇ／ｄｌ、４００ｍｇ／ｄｌ）を変化させた際の応答電流値への影響について調べるために、測定を行った。
【０１９２】
図１０５の右段には、グルコース濃度による影響を分かり易くするために、各グラフ内でグルコース濃度（１００ｍｇ／ｄｌ、４００ｍｇ／ｄｌ）を変えた場合の測定結果を示している。なお、図中右上段がグルコース濃度１００ｍｇ／ｄｌ、４００ｍｇ／ｄｌのそれぞれの応答電流値の測定結果、図中右下段がそのばらつきを示している。
その結果、グルコース濃度が１００ｍｇ／ｄｌ、４００ｍｇ／ｄｌと変化した場合には、グルコース濃度測定時、温度測定時ともに応答電流値の大きな差が見られることが分かった。
【０１９３】
また、図１０７の右段には、血液試料の温度による影響を分かり易くするために、各グラフ内で温度（１０℃、２５℃、４０℃）を変えた場合の測定結果を示している。なお、図中右上段がグルコース濃度１００ｍｇ／ｄｌでの測定結果、図中右下段がグルコース濃度４００ｍｇ／ｄｌのそれぞれの応答電流値の測定結果のばらつきを示している。
その結果、グルコース濃度が１００ｍｇ／ｄｌ、４００ｍｇ／ｄｌのいずれの場合でも、血液試料の温度が変化した場合には、温度測定時はもちろん、グルコース濃度時の応答電流値についても大きくばらついてしまうことが分かった。
【０１９４】
以上の結果から、電極間に１．０Ｖの電圧を印加して応答電流値の測定を行った場合には、温度の変化による影響を受けてしまっており、温度変化だけを抽出して取り出すことは難しいことが分かった。
＜印加電圧１．２５Ｖ＞
ここでは、電極間に印加される電圧を１．２５Ｖに設定し、グルコース濃度（１００ｍｇ／ｄｌ、４００ｍｇ／ｄｌ）を変化させた際の応答電流値への影響について調べるために、測定を行った。
【０１９５】
図１０６の左段には、グルコース濃度による影響を分かり易くするために、各グラフ内でグルコース濃度（１００ｍｇ／ｄｌ、４００ｍｇ／ｄｌ）を変えた場合の測定結果を示している。なお、図中左上段がグルコース濃度１００ｍｇ／ｄｌ、４００ｍｇ／ｄｌのそれぞれの応答電流値の測定結果、図中左下段がそのばらつきを示している。
その結果、グルコース濃度が１００ｍｇ／ｄｌ、４００ｍｇ／ｄｌと変化した場合には、グルコース濃度測定時、温度測定時ともに応答電流値の大きな差が見られることが分かった。
【０１９６】
また、図１０８の左段には、血液試料の温度による影響を分かり易くするために、各グラフ内で温度（１０℃、２５℃、４０℃）を変えた場合の測定結果を示している。なお、図中左上段がグルコース濃度１００ｍｇ／ｄｌでの測定結果、図中左下段がグルコース濃度４００ｍｇ／ｄｌのそれぞれの応答電流値の測定結果のばらつきを示している。
その結果、グルコース濃度が１００ｍｇ／ｄｌ、４００ｍｇ／ｄｌのいずれの場合でも、血液試料の温度が変化した場合には、温度測定時はもちろん、グルコース濃度時の応答電流値についても大きくばらついてしまうことが分かった。
【０１９７】
以上の結果から、電極間に１．２５Ｖの電圧を印加して応答電流値の測定を行った場合には、温度の変化による影響を受けてしまっており、温度変化だけを抽出して取り出すことは難しいことが分かった。
＜印加電圧１．５Ｖ＞
ここでは、電極間に印加される電圧を１．５Ｖに設定し、グルコース濃度（１００ｍｇ／ｄｌ、４００ｍｇ／ｄｌ）を変化させた際の応答電流値への影響について調べるために、測定を行った。
【０１９８】
図１０６の中段には、グルコース濃度による影響を分かり易くするために、各グラフ内でグルコース濃度（１００ｍｇ／ｄｌ、４００ｍｇ／ｄｌ）を変えた場合の測定結果を示している。なお、図中の中上段がグルコース濃度１００ｍｇ／ｄｌ、４００ｍｇ／ｄｌのそれぞれの応答電流値の測定結果、図中の中下段がそのばらつきを示している。
その結果、グルコース濃度が１００ｍｇ／ｄｌ、４００ｍｇ／ｄｌと変化した場合には、グルコース濃度測定時は当然に応答電流値の変化が見られた一方で、温度測定時の応答電流値については、ばらつきがほとんどなくなっていることが分かった。
【０１９９】
また、図１０８の中段には、血液試料の温度による影響を分かり易くするために、各グラフ内で温度（１０℃、２５℃、４０℃）を変えた場合の測定結果を示している。なお、図中の中上段がグルコース濃度１００ｍｇ／ｄｌでの測定結果、図中の中下段がグルコース濃度４００ｍｇ／ｄｌのそれぞれの応答電流値の測定結果のばらつきを示している。
その結果、グルコース濃度が１００ｍｇ／ｄｌ、４００ｍｇ／ｄｌのいずれの場合でも、血液試料の温度が変化した場合には、温度測定時はもちろん、グルコース濃度時の応答電流値についても大きくばらついてしまうことが分かった。
【０２００】
以上の結果から、電極間に１．５Ｖの電圧を印加して応答電流値の測定を行った場合には、グルコース濃度測定時、温度測定時ともに、温度の変化による影響を受けることが分かった。ただし、図１０６の中下段のグラフに示すように、電極間に１．５Ｖの電圧を印加した場合には、温度測定時には、グルコース濃度の増減による影響はほとんどないことが分かった。
【０２０１】
＜印加電圧２．０Ｖ＞
ここでは、電極間に印加される電圧を２．０Ｖに設定し、グルコース濃度（１００ｍｇ／ｄｌ、４００ｍｇ／ｄｌ）を変化させた際の応答電流値への影響について調べるために、測定を行った。
図１０６の右段には、グルコース濃度による影響を分かり易くするために、各グラフ内でグルコース濃度（１００ｍｇ／ｄｌ、４００ｍｇ／ｄｌ）を変えた場合の測定結果を示している。なお、図中の右上段がグルコース濃度１００ｍｇ／ｄｌ、４００ｍｇ／ｄｌのそれぞれの応答電流値の測定結果、図中の右下段がそのばらつきを示している。
【０２０２】
その結果、グルコース濃度が１００ｍｇ／ｄｌ、４００ｍｇ／ｄｌと変化した場合には、グルコース濃度測定時は当然に応答電流値の変化が見られた一方で、温度測定時の応答電流値については、ばらつきがほとんどなくなっていることが分かった。
また、図１０８の右段には、血液試料の温度による影響を分かり易くするために、各グラフ内で温度（１０℃、２５℃、４０℃）を変えた場合の測定結果を示している。なお、図中の右上段がグルコース濃度１００ｍｇ／ｄｌでの測定結果、図中の右下段がグルコース濃度４００ｍｇ／ｄｌのそれぞれの応答電流値の測定結果のばらつきを示している。
【０２０３】
その結果、グルコース濃度が１００ｍｇ／ｄｌ、４００ｍｇ／ｄｌのいずれの場合でも、血液試料の温度が変化した場合には、温度測定時はもちろん、グルコース濃度時の応答電流値についても大きくばらついてしまうことが分かった。
以上の結果から、電極間に２．０Ｖの電圧を印加して応答電流値の測定を行った場合には、グルコース濃度測定時、温度測定時ともに、温度の変化による影響を受けることが分かった。ただし、図１０６の右下段のグラフに示すように、電極間に２．０Ｖの電圧を印加した場合には、温度測定時には、グルコース濃度の増減による影響はほとんどないことが分かった。
【０２０４】
＜まとめ＞
以上の結果から、本実施例のセンサチップ構成において、上記各条件下においてグルコース濃度および温度の測定を実施した結果、図１０９に示すように、温度測定時に１．５Ｖ以上の電圧を印加した場合には、グルコース濃度の影響を受けることなく、正確に温度測定を実施できることが分かった。
【０２０５】
（実施例５）
本発明に係るさらに他の実施例について、図１１０〜図１１５のグラフを用いて説明すれば以下の通りである。
すなわち、本実施例では、上述した実施例１とは異なるセンサチップ構成（図１１０参照）を用いて、実施例１と同様の条件（０．５〜２．０Ｖまでの電圧を印加）で測定を行った。
【０２０６】
本実施例で使用したセンサチップは、図１１０に示すように、作用極、対極、２つの検知極を含んでおり、電極材料がＡｕ、酵素がグルコースデヒドロゲナーゼ、メディエータがＮ，Ｎ−ビス−（ヒドロキシエチル）−３−メトキシ−ｐ−ニトロソアニリンを用いて構成されている。
さらに、本実施例で使用したセンサチップは、４つの電極Ｇ，Ｆ，Ｅ，Ｂを有しており、電極Ｇ，Ｆ，Ｅ，Ｂに対して印加した電圧および印加した時間については、図１１０の下段に示すように、まず、測定開始のタイミングとしては、Ｅ−Ｆ電極間に電圧を０．５Ｖ（５００ｍＶ）印加した状態において、０．０５μＡの電流増加が検出された際を基準とした。次に、電極Ｇ−Ｂ間にグルコース濃度を測定するための電圧として、０．５Ｖを約２秒間印加した。そして、電極Ｇ−Ｂ間に温度測定を行うための電圧として、０．５Ｖ〜２．０Ｖまで変化させながら約３．0秒間印加した。
【０２０７】
以下で、印加電圧０．５Ｖ〜２．０Ｖまで変化させた際の温度の測定に対するグルコース濃度の増減による影響を調べた結果について説明する。
＜印加電圧０．５Ｖ＞
ここでは、電極間に印加される電圧を０．５Ｖに設定し、グルコース濃度（１００ｍｇ／ｄｌ、４００ｍｇ／ｄｌ）を変化させた際の応答電流値への影響について調べるために、測定を行った。
【０２０８】
図１１１の左段には、グルコース濃度による影響を分かり易くするために、各グラフ内でグルコース濃度（１００ｍｇ／ｄｌ、４００ｍｇ／ｄｌ）を変えた場合の測定結果を示している。なお、図中左上段がグルコース濃度１００ｍｇ／ｄｌ、４００ｍｇ／ｄｌのそれぞれの応答電流値の測定結果、図中左下段がそのばらつきを示している。
その結果、グルコース濃度が１００ｍｇ／ｄｌ、４００ｍｇ／ｄｌと変化した場合には、グルコース濃度測定時はもちろん、温度測定時の応答電流値についても大きくばらついてしまうことが分かった。
【０２０９】
また、図１１３の左段には、血液試料の温度による影響を分かり易くするために、各グラフ内で温度（１０℃、２５℃、４０℃）を変えた場合の測定結果を示している。なお、図中左上段がグルコース濃度１００ｍｇ／ｄｌでの測定結果、図中左下段がグルコース濃度４００ｍｇ／ｄｌのそれぞれの応答電流値の測定結果のばらつきを示している。
その結果、グルコース濃度が１００ｍｇ／ｄｌ、４００ｍｇ／ｄｌのいずれの場合でも、血液試料の温度が変化した場合には、温度測定時はもちろん、グルコース濃度時の応答電流値についても大きくばらついてしまうことが分かった。
【０２１０】
以上の結果から、電極間に０．５Ｖの電圧を印加して応答電流値の測定を行った場合には、グルコース濃度、温度のそれぞれの変化による影響を受けてしまっており、温度変化だけを抽出して取り出すことはできないことが分かった。
＜印加電圧０．７５Ｖ＞
ここでは、電極間に印加される電圧を０．７５Ｖに設定し、グルコース濃度（１００ｍｇ／ｄｌ、４００ｍｇ／ｄｌ）を変化させた際の応答電流値への影響について調べるために、測定を行った。
【０２１１】
図１１１の中段には、グルコース濃度による影響を分かり易くするために、各グラフ内でグルコース濃度（１００ｍｇ／ｄｌ、４００ｍｇ／ｄｌ）を変えた場合の測定結果を示している。なお、図中の中上段がグルコース濃度１００ｍｇ／ｄｌ、４００ｍｇ／ｄｌのそれぞれの応答電流値の測定結果、図中の中下段がそのばらつきを示している。
その結果、グルコース濃度が１００ｍｇ／ｄｌ、４００ｍｇ／ｄｌと変化した場合には、グルコース濃度測定時はもちろん、温度測定時の応答電流値についても大きくばらついてしまうことが分かった。
【０２１２】
また、図１１３の中段には、血液試料の温度による影響を分かり易くするために、各グラフ内で温度（１０℃、２５℃、４０℃）を変えた場合の測定結果を示している。なお、図中の中上段がグルコース濃度１００ｍｇ／ｄｌでの測定結果、図中の中下段がグルコース濃度４００ｍｇ／ｄｌのそれぞれの応答電流値の測定結果のばらつきを示している。
その結果、グルコース濃度が１００ｍｇ／ｄｌ、４００ｍｇ／ｄｌのいずれの場合でも、血液試料の温度が変化した場合には、温度測定時はもちろん、グルコース濃度時の応答電流値についても大きくばらついてしまうことが分かった。
【０２１３】
以上の結果から、電極間に０．７５Ｖの電圧を印加して応答電流値の測定を行った場合には、グルコース濃度、温度のそれぞれの変化による影響を受けてしまっており、温度変化だけを抽出して取り出すことはできないことが分かった。
＜印加電圧１．０Ｖ＞
ここでは、電極間に印加される電圧を１．０Ｖに設定し、グルコース濃度（１００ｍｇ／ｄｌ、４００ｍｇ／ｄｌ）を変化させた際の応答電流値への影響について調べるために、測定を行った。
【０２１４】
図１１１の右段には、グルコース濃度による影響を分かり易くするために、各グラフ内でグルコース濃度（１００ｍｇ／ｄｌ、４００ｍｇ／ｄｌ）を変えた場合の測定結果を示している。なお、図中右上段がグルコース濃度１００ｍｇ／ｄｌ、４００ｍｇ／ｄｌのそれぞれの応答電流値の測定結果、図中右下段がそのばらつきを示している。
その結果、グルコース濃度が１００ｍｇ／ｄｌ、４００ｍｇ／ｄｌと変化した場合には、グルコース濃度測定時には当然に応答電流値に差が出る一方、温度測定時には応答電流値の差がほとんどなくなっていることが分かった。
【０２１５】
また、図１１３の右段には、血液試料の温度による影響を分かり易くするために、各グラフ内で温度（１０℃、２５℃、４０℃）を変えた場合の測定結果を示している。なお、図中右上段がグルコース濃度１００ｍｇ／ｄｌでの測定結果、図中右下段がグルコース濃度４００ｍｇ／ｄｌのそれぞれの応答電流値の測定結果のばらつきを示している。
その結果、グルコース濃度が１００ｍｇ／ｄｌ、４００ｍｇ／ｄｌのいずれの場合でも、血液試料の温度が変化した場合には、温度測定時はもちろん、グルコース濃度時の応答電流値についても大きくばらついてしまうことが分かった。
【０２１６】
以上の結果から、電極間に１．０Ｖの電圧を印加して応答電流値の測定を行った場合には、グルコース濃度測定時、温度測定時ともに、温度の変化による影響を受けることが分かった。ただし、図１１１の右下段に示すグラフから、電極間に１．０Ｖの電圧を印加した場合には、温度測定時には、グルコース濃度の増減による影響はほとんど受けないことが分かった。
【０２１７】
＜印加電圧１．２５Ｖ＞
ここでは、電極間に印加される電圧を１．２５Ｖに設定し、グルコース濃度（１００ｍｇ／ｄｌ、４００ｍｇ／ｄｌ）を変化させた際の応答電流値への影響について調べるために、測定を行った。
図１１２の左段には、グルコース濃度による影響を分かり易くするために、各グラフ内でグルコース濃度（１００ｍｇ／ｄｌ、４００ｍｇ／ｄｌ）を変えた場合の測定結果を示している。なお、図中左上段がグルコース濃度１００ｍｇ／ｄｌ、４００ｍｇ／ｄｌのそれぞれの応答電流値の測定結果、図中左下段がそのばらつきを示している。
【０２１８】
その結果、グルコース濃度が１００ｍｇ／ｄｌ、４００ｍｇ／ｄｌと変化した場合には、グルコース濃度測定時は当然に応答電流値の変化が見られた一方で、温度測定時の応答電流値については、ばらつきがほとんどなくなっていることが分かった。
また、図１１４の左段には、血液試料の温度による影響を分かり易くするために、各グラフ内で温度（１０℃、２５℃、４０℃）を変えた場合の測定結果を示している。なお、図中左上段がグルコース濃度１００ｍｇ／ｄｌでの測定結果、図中左下段がグルコース濃度４００ｍｇ／ｄｌのそれぞれの応答電流値の測定結果のばらつきを示している。
【０２１９】
その結果、グルコース濃度が１００ｍｇ／ｄｌ、４００ｍｇ／ｄｌのいずれの場合でも、血液試料の温度が変化した場合には、温度測定時はもちろん、グルコース濃度時の応答電流値についても大きくばらついてしまうことが分かった。
以上の結果から、電極間に１．２５Ｖの電圧を印加して応答電流値の測定を行った場合には、グルコース濃度測定時、温度測定時ともに、温度の変化による影響を受けることが分かった。ただし、図１１２の左下段のグラフに示すように、電極間に１．２５Ｖの電圧を印加した場合には、温度測定時には、グルコース濃度の増減による影響はほとんどないことが分かった。
【０２２０】
＜印加電圧１．５Ｖ＞
ここでは、電極間に印加される電圧を１．５Ｖに設定し、グルコース濃度（１００ｍｇ／ｄｌ、４００ｍｇ／ｄｌ）を変化させた際の応答電流値への影響について調べるために、測定を行った。
図１１２の中段には、グルコース濃度による影響を分かり易くするために、各グラフ内でグルコース濃度（１００ｍｇ／ｄｌ、４００ｍｇ／ｄｌ）を変えた場合の測定結果を示している。なお、図中の中上段がグルコース濃度１００ｍｇ／ｄｌ、４００ｍｇ／ｄｌのそれぞれの応答電流値の測定結果、図中の中下段がそのばらつきを示している。
【０２２１】
その結果、グルコース濃度が１００ｍｇ／ｄｌ、４００ｍｇ／ｄｌと変化した場合には、グルコース濃度測定時は当然に応答電流値の変化が見られた一方で、温度測定時の応答電流値については、ばらつきがほとんどなくなっていることが分かった。
また、図１１４の中段には、血液試料の温度による影響を分かり易くするために、各グラフ内で温度（１０℃、２５℃、４０℃）を変えた場合の測定結果を示している。なお、図中の中上段がグルコース濃度１００ｍｇ／ｄｌでの測定結果、図中の中下段がグルコース濃度４００ｍｇ／ｄｌのそれぞれの応答電流値の測定結果のばらつきを示している。
【０２２２】
その結果、グルコース濃度が１００ｍｇ／ｄｌ、４００ｍｇ／ｄｌのいずれの場合でも、血液試料の温度が変化した場合には、温度測定時はもちろん、グルコース濃度時の応答電流値についても大きくばらついてしまうことが分かった。
以上の結果から、電極間に１．５Ｖの電圧を印加して応答電流値の測定を行った場合には、グルコース濃度測定時、温度測定時ともに、温度の変化による影響を受けることが分かった。ただし、図１１２の中下段のグラフに示すように、電極間に１．５Ｖの電圧を印加した場合には、温度測定時には、グルコース濃度の増減による影響はほとんどないことが分かった。
【０２２３】
＜印加電圧２．０Ｖ＞
ここでは、電極間に印加される電圧を２．０Ｖに設定し、グルコース濃度（１００ｍｇ／ｄｌ、４００ｍｇ／ｄｌ）を変化させた際の応答電流値への影響について調べるために、測定を行った。
図１１２の右段には、グルコース濃度による影響を分かり易くするために、各グラフ内でグルコース濃度（１００ｍｇ／ｄｌ、４００ｍｇ／ｄｌ）を変えた場合の測定結果を示している。なお、図中の右上段がグルコース濃度１００ｍｇ／ｄｌ、４００ｍｇ／ｄｌのそれぞれの応答電流値の測定結果、図中の右下段がそのばらつきを示している。
【０２２４】
その結果、グルコース濃度が１００ｍｇ／ｄｌ、４００ｍｇ／ｄｌと変化した場合には、グルコース濃度測定時は当然に応答電流値の変化が見られた一方で、温度測定時の応答電流値については、ばらつきがほとんどなくなっていることが分かった。
また、図１１４の右段には、血液試料の温度による影響を分かり易くするために、各グラフ内で温度（１０℃、２５℃、４０℃）を変えた場合の測定結果を示している。なお、図中の右上段がグルコース濃度１００ｍｇ／ｄｌでの測定結果、図中の右下段がグルコース濃度４００ｍｇ／ｄｌのそれぞれの応答電流値の測定結果のばらつきを示している。
【０２２５】
その結果、グルコース濃度が１００ｍｇ／ｄｌ、４００ｍｇ／ｄｌのいずれの場合でも、血液試料の温度が変化した場合には、温度測定時はもちろん、グルコース濃度時の応答電流値についても大きくばらついてしまうことが分かった。
以上の結果から、電極間に２．０Ｖの電圧を印加して応答電流値の測定を行った場合には、グルコース濃度測定時、温度測定時ともに、温度の変化による影響を受けることが分かった。ただし、図１１２の右下段のグラフに示すように、電極間に２．０Ｖの電圧を印加した場合には、温度測定時には、グルコース濃度の増減による影響はほとんどないことが分かった。
【０２２６】
＜まとめ＞
以上の結果から、本実施例のセンサチップ構成において、上記各条件下においてグルコース濃度および温度の測定を実施した結果、図１１５に示すように、温度測定時に１．０Ｖ以上の電圧を印加した場合には、グルコース濃度の影響を受けることなく、正確に温度測定を実施できることが分かった。
【０２２７】
（実施例６）
本発明に係るさらに他の実施例について、図１１６〜図１２１のグラフを用いて説明すれば以下の通りである。
すなわち、本参考例では、上述した実施例１とは異なるセンサチップ構成（図１１６参照）を用いて、実施例１と同様に、０．５〜２．０Ｖまでの電圧を印加して測定を行った。
【０２２８】
本実施例で使用したセンサチップは、図１１６に示すように、作用極、対極、検知極を含んでおり、電極材料がカーボン／Ａｇ、酵素がグルコースデヒドロゲナーゼを用いて構成されている。なお、試薬は電極材料に練り込まれて担持されている。
さらに、本実施例で使用したセンサチップは、３つの電極Ａ，Ｂ，Ｃを有しており、電極Ａ，Ｂ，Ｃに対して印加した電圧および印加した時間については、図１１６の下段に示すように、まず、測定開始のタイミングとしては、Ｃ−Ｂ電極間に電圧を０．５Ｖ（５００ｍＶ）印加した状態において、０．０５μＡの電流増加が検出された際を基準とした。次に、電極Ａ−Ｂ間にグルコース濃度を測定するための電圧として、０．５Ｖを約２秒間印加した。そして、電極Ａ−Ｂ間に温度測定を行うための電圧として、０．５Ｖ〜２．０Ｖまで変化させながら約３．0秒間印加した。
【０２２９】
以下で、印加電圧０．５Ｖ〜２．０Ｖまで変化させた際の温度の測定に対するグルコース濃度の増減による影響を調べた結果について説明する。
＜印加電圧０．５Ｖ＞
ここでは、電極間に印加される電圧を０．５Ｖに設定し、グルコース濃度（１００ｍｇ／ｄｌ、４００ｍｇ／ｄｌ）を変化させた際の応答電流値への影響について調べるために、測定を行った。
【０２３０】
図１１７の左段には、グルコース濃度による影響を分かり易くするために、各グラフ内でグルコース濃度（１００ｍｇ／ｄｌ、４００ｍｇ／ｄｌ）を変えた場合の測定結果を示している。なお、図中左上段がグルコース濃度１００ｍｇ／ｄｌ、４００ｍｇ／ｄｌのそれぞれの応答電流値の測定結果、図中左下段がそのばらつきを示している。
その結果、グルコース濃度が１００ｍｇ／ｄｌ、４００ｍｇ／ｄｌと変化した場合には、グルコース濃度測定時はもちろん、温度測定時の応答電流値についても大きくばらついてしまうことが分かった。
【０２３１】
また、図１１９の左段には、血液試料の温度による影響を分かり易くするために、各グラフ内で温度（１０℃、２５℃、４０℃）を変えた場合の測定結果を示している。なお、図中左上段がグルコース濃度１００ｍｇ／ｄｌでの測定結果、図中左下段がグルコース濃度４００ｍｇ／ｄｌのそれぞれの応答電流値の測定結果のばらつきを示している。
その結果、グルコース濃度が１００ｍｇ／ｄｌ、４００ｍｇ／ｄｌのいずれの場合でも、血液試料の温度が変化した場合には、温度測定時はもちろん、グルコース濃度時の応答電流値についても大きくばらついてしまうことが分かった。
【０２３２】
以上の結果から、電極間に０．５Ｖの電圧を印加して応答電流値の測定を行った場合には、グルコース濃度、温度のそれぞれの変化による影響を受けてしまっており、温度変化だけを抽出して取り出すことはできないことが分かった。
＜印加電圧０．７５Ｖ＞
ここでは、電極間に印加される電圧を０．７５Ｖに設定し、グルコース濃度（１００ｍｇ／ｄｌ、４００ｍｇ／ｄｌ）を変化させた際の応答電流値への影響について調べるために、測定を行った。
【０２３３】
図１１７の中段には、グルコース濃度による影響を分かり易くするために、各グラフ内でグルコース濃度（１００ｍｇ／ｄｌ、４００ｍｇ／ｄｌ）を変えた場合の測定結果を示している。なお、図中の中上段がグルコース濃度１００ｍｇ／ｄｌ、４００ｍｇ／ｄｌのそれぞれの応答電流値の測定結果、図中の中下段がそのばらつきを示している。
その結果、グルコース濃度が１００ｍｇ／ｄｌ、４００ｍｇ／ｄｌと変化した場合には、グルコース濃度測定時はもちろん、温度測定時の応答電流値についても大きくばらついてしまうことが分かった。
【０２３４】
また、図１１９の中段には、血液試料の温度による影響を分かり易くするために、各グラフ内で温度（１０℃、２５℃、４０℃）を変えた場合の測定結果を示している。なお、図中の中上段がグルコース濃度１００ｍｇ／ｄｌでの測定結果、図中の中下段がグルコース濃度４００ｍｇ／ｄｌのそれぞれの応答電流値の測定結果のばらつきを示している。
その結果、グルコース濃度が１００ｍｇ／ｄｌ、４００ｍｇ／ｄｌのいずれの場合でも、血液試料の温度が変化した場合には、温度測定時はもちろん、グルコース濃度時の応答電流値についても大きくばらついてしまうことが分かった。
【０２３５】
以上の結果から、電極間に０．７５Ｖの電圧を印加して応答電流値の測定を行った場合には、グルコース濃度、温度のそれぞれの変化による影響を受けてしまっており、温度変化だけを抽出して取り出すことはできないことが分かった。
＜印加電圧１．０Ｖ＞
ここでは、電極間に印加される電圧を１．０Ｖに設定し、グルコース濃度（１００ｍｇ／ｄｌ、４００ｍｇ／ｄｌ）を変化させた際の応答電流値への影響について調べるために、測定を行った。
【０２３６】
図１１７の右段には、グルコース濃度による影響を分かり易くするために、各グラフ内でグルコース濃度（１００ｍｇ／ｄｌ、４００ｍｇ／ｄｌ）を変えた場合の測定結果を示している。なお、図中右上段がグルコース濃度１００ｍｇ／ｄｌ、４００ｍｇ／ｄｌのそれぞれの応答電流値の測定結果、図中右下段がそのばらつきを示している。
その結果、グルコース濃度が１００ｍｇ／ｄｌ、４００ｍｇ／ｄｌと変化した場合には、グルコース濃度測定時には当然に応答電流値に差が出る一方、温度測定時には測定時間が４．０ｓ以降において応答電流値の差がほとんどなくなっていることが分かった。
【０２３７】
また、図１１９の右段には、血液試料の温度による影響を分かり易くするために、各グラフ内で温度（１０℃、２５℃、４０℃）を変えた場合の測定結果を示している。なお、図中右上段がグルコース濃度１００ｍｇ／ｄｌでの測定結果、図中右下段がグルコース濃度４００ｍｇ／ｄｌのそれぞれの応答電流値の測定結果のばらつきを示している。
その結果、グルコース濃度が１００ｍｇ／ｄｌ、４００ｍｇ／ｄｌのいずれの場合でも、血液試料の温度が変化した場合には、温度測定時はもちろん、グルコース濃度時の応答電流値についても大きくばらついてしまうことが分かった。
【０２３８】
以上の結果から、電極間に１．０Ｖの電圧を印加して応答電流値の測定を行った場合には、グルコース濃度測定時、温度測定時ともに、温度の変化による影響を受けることが分かった。ただし、図１１７の右下段に示すグラフから、電極間に１．０Ｖの電圧を印加した場合には、温度測定時には、測定時間が４．０ｓ以降においてグルコース濃度の増減による影響はほとんど受けないことが分かった。
【０２３９】
＜印加電圧１．２５Ｖ＞
ここでは、電極間に印加される電圧を１．２５Ｖに設定し、グルコース濃度（１００ｍｇ／ｄｌ、４００ｍｇ／ｄｌ）を変化させた際の応答電流値への影響について調べるために、測定を行った。
図１１８の左段には、グルコース濃度による影響を分かり易くするために、各グラフ内でグルコース濃度（１００ｍｇ／ｄｌ、４００ｍｇ／ｄｌ）を変えた場合の測定結果を示している。なお、図中左上段がグルコース濃度１００ｍｇ／ｄｌ、４００ｍｇ／ｄｌのそれぞれの応答電流値の測定結果、図中左下段がそのばらつきを示している。
【０２４０】
その結果、グルコース濃度が１００ｍｇ／ｄｌ、４００ｍｇ／ｄｌと変化した場合には、グルコース濃度測定時は当然に応答電流値の変化が見られた一方で、温度測定時の応答電流値については、ばらつきがほとんどなくなっていることが分かった。
また、図１２０の左段には、血液試料の温度による影響を分かり易くするために、各グラフ内で温度（１０℃、２５℃、４０℃）を変えた場合の測定結果を示している。なお、図中左上段がグルコース濃度１００ｍｇ／ｄｌでの測定結果、図中左下段がグルコース濃度４００ｍｇ／ｄｌのそれぞれの応答電流値の測定結果のばらつきを示している。
【０２４１】
その結果、グルコース濃度が１００ｍｇ／ｄｌ、４００ｍｇ／ｄｌのいずれの場合でも、血液試料の温度が変化した場合には、温度測定時はもちろん、グルコース濃度時の応答電流値についても大きくばらついてしまうことが分かった。
以上の結果から、電極間に１．２５Ｖの電圧を印加して応答電流値の測定を行った場合には、グルコース濃度測定時、温度測定時ともに、温度の変化による影響を受けることが分かった。ただし、図１１８の左下段のグラフに示すように、電極間に１．２５Ｖの電圧を印加した場合には、温度測定時には、グルコース濃度の増減による影響はほとんどないことが分かった。
【０２４２】
＜印加電圧１．５Ｖ＞
ここでは、電極間に印加される電圧を１．５Ｖに設定し、グルコース濃度（１００ｍｇ／ｄｌ、４００ｍｇ／ｄｌ）を変化させた際の応答電流値への影響について調べるために、測定を行った。
図１１８の中段には、グルコース濃度による影響を分かり易くするために、各グラフ内でグルコース濃度（１００ｍｇ／ｄｌ、４００ｍｇ／ｄｌ）を変えた場合の測定結果を示している。なお、図中の中上段がグルコース濃度１００ｍｇ／ｄｌ、４００ｍｇ／ｄｌのそれぞれの応答電流値の測定結果、図中の中下段がそのばらつきを示している。
【０２４３】
その結果、グルコース濃度が１００ｍｇ／ｄｌ、４００ｍｇ／ｄｌと変化した場合には、グルコース濃度測定時は当然に応答電流値の変化が見られた一方で、温度測定時の応答電流値については、ばらつきがほとんどなくなっていることが分かった。
また、図１２０の中段には、血液試料の温度による影響を分かり易くするために、各グラフ内で温度（１０℃、２５℃、４０℃）を変えた場合の測定結果を示している。なお、図中の中上段がグルコース濃度１００ｍｇ／ｄｌでの測定結果、図中の中下段がグルコース濃度４００ｍｇ／ｄｌのそれぞれの応答電流値の測定結果のばらつきを示している。
【０２４４】
その結果、グルコース濃度が１００ｍｇ／ｄｌ、４００ｍｇ／ｄｌのいずれの場合でも、血液試料の温度が変化した場合には、温度測定時はもちろん、グルコース濃度時の応答電流値についても大きくばらついてしまうことが分かった。
以上の結果から、電極間に１．５Ｖの電圧を印加して応答電流値の測定を行った場合には、グルコース濃度測定時、温度測定時ともに、温度の変化による影響を受けることが分かった。ただし、図１１８の中下段のグラフに示すように、電極間に１．５Ｖの電圧を印加した場合には、温度測定時には、グルコース濃度の増減による影響はほとんどないことが分かった。
【０２４５】
＜印加電圧２．０Ｖ＞
ここでは、電極間に印加される電圧を２．０Ｖに設定し、グルコース濃度（１００ｍｇ／ｄｌ、４００ｍｇ／ｄｌ）を変化させた際の応答電流値への影響について調べるために、測定を行った。
図１１８の右段には、グルコース濃度による影響を分かり易くするために、各グラフ内でグルコース濃度（１００ｍｇ／ｄｌ、４００ｍｇ／ｄｌ）を変えた場合の測定結果を示している。なお、図中の右上段がグルコース濃度１００ｍｇ／ｄｌ、４００ｍｇ／ｄｌのそれぞれの応答電流値の測定結果、図中の右下段がそのばらつきを示している。
【０２４６】
その結果、グルコース濃度が１００ｍｇ／ｄｌ、４００ｍｇ／ｄｌと変化した場合には、グルコース濃度測定時は当然に応答電流値の変化が見られた一方で、温度測定時の応答電流値については、ばらつきがほとんどなくなっていることが分かった。
また、図１２０の右段には、血液試料の温度による影響を分かり易くするために、各グラフ内で温度（１０℃、２５℃、４０℃）を変えた場合の測定結果を示している。なお、図中の右上段がグルコース濃度１００ｍｇ／ｄｌでの測定結果、図中の右下段がグルコース濃度４００ｍｇ／ｄｌのそれぞれの応答電流値の測定結果のばらつきを示している。
【０２４７】
その結果、グルコース濃度が１００ｍｇ／ｄｌ、４００ｍｇ／ｄｌのいずれの場合でも、血液試料の温度が変化した場合には、温度測定時はもちろん、グルコース濃度時の応答電流値についても大きくばらついてしまうことが分かった。
以上の結果から、電極間に２．０Ｖの電圧を印加して応答電流値の測定を行った場合には、グルコース濃度測定時、温度測定時ともに、温度の変化による影響を受けることが分かった。ただし、図１１８の右下段のグラフに示すように、電極間に２．０Ｖの電圧を印加した場合には、温度測定時には、グルコース濃度の増減による影響はほとんどないことが分かった。
【０２４８】
＜まとめ＞
以上の結果から、本実施例のセンサチップ構成において、上記各条件下においてグルコース濃度および温度の測定を実施した結果、図１２１に示すように、温度測定時に１．０Ｖ以上の電圧を印加した場合には、概ねグルコース濃度の影響を受けることなく、正確に温度測定を実施できることが分かった。
ただし、印加電圧１．０Ｖの場合、測定時間が４．０ｓ以降という条件でグルコース濃度の影響を受けることなく、正確に温度測定を実施できることが分かった。
【０２４９】
（実施例７）
本発明に係るさらに他の実施例について、図１２２〜図１３３のグラフを用いて説明すれば以下の通りである。
【０２５０】
本実施例では、上述した実施例において説明した構成を備えたセンサチップを用いて、最初にグルコース濃度の測定、次に温度測定のための最適な電圧を各電極に対して印加して、それぞれの測定を行った。つまり、図９６（ｂ）〜図９６（ｅ）に示した温度測定とグルコース濃度の測定の順番を入れ替えても、両値を適切に測定可能であることを証明するための試験を行った結果を以下に示す。
【０２５１】
＜血液試料１０℃＞
＜条件１（Ｐ３）＞
ここでは、図１２２の左段に示すように、グルコース濃度が１００ｍｇ／ｌ、４００ｍｇ／ｌの２種類で１０℃の血液試料を用いて、グルコース濃度測定、温度測定の順に各電極に対して、０．２５Ｖ、１．２５Ｖの電圧を印加して応答電流値を調べた。また、温度測定時には０．５ｓ間だけ電圧を印加し、グルコース濃度測定と温度測定との間隔は２．０ｓであった。
【０２５２】
なお、図１２２の左上段のグラフには、測定時の経過時間と応答電流値との関係を示している。また、図１２２左下段のグラフには、測定時の経過時間とグルコース濃度１００ｍｇ／ｌの応答電流値に対するグルコース濃度４００ｍｇ／ｌの応答電流値の割合を示している。以下、図１２３以降のグラフについても同様である。
この結果、図１２２の左段に示すように、１．２５Ｖの電圧を印加した温度測定時には、グルコース濃度（１００ｍｇ／ｌ、４００ｍｇ／ｌ）に起因する応答電流値の差はほとんどないことが分かった。
【０２５３】
そして、０．２５Ｖの電圧を印加したグルコース濃度測定時には、グルコース濃度４００ｍｇ／ｌの応答電流値が１００ｍｇ／ｌの応答電流値よりも高く検出されていた。
この結果、温度測定時にはグルコース濃度に起因する応答電流値の差を生じさせることなく、グルコース濃度測定時にだけグルコース濃度に起因する応答電流値の差をはっきりと検出できることが分かった。よって、これらの条件下であれば、温度とグルコース濃度を正確に検出できることが分かった。
【０２５４】
＜条件２（Ｐ４）＞
ここでは、図１２２の右段に示すように、グルコース濃度が１００ｍｇ／ｌ、４００ｍｇ／ｌの２種類で１０℃の血液試料を用いて、グルコース濃度測定、温度測定の順に各電極に対して、０．５Ｖ、１．２５Ｖの電圧を印加して応答電流値を調べた。また、温度測定時には０．５ｓ間だけ電圧を印加し、グルコース濃度測定と温度測定との間隔は２．０ｓであった。つまり、グルコース測定時の印加電圧が０．２５Ｖから０．５Ｖに変わった点だけが、条件１と異なっている。
【０２５５】
なお、図１２２の右上段のグラフには、測定時の経過時間と応答電流値との関係を示している。また、図１２２右下段のグラフには、測定時の経過時間とグルコース濃度１００ｍｇ／ｌの応答電流値に対するグルコース濃度４００ｍｇ／ｌの応答電流値の割合を示している。以下、図１２３以降のグラフについても同様である。
この結果、図１２２の右段に示すように、１．２５Ｖの電圧を印加した温度測定時には、グルコース濃度（１００ｍｇ／ｌ、４００ｍｇ／ｌ）に起因する応答電流値の差はほとんどないことが分かった。
【０２５６】
そして、０．５Ｖの電圧を印加したグルコース濃度測定時には、グルコース濃度４００ｍｇ／ｌの応答電流値が１００ｍｇ／ｌの応答電流値よりも高く検出されていた。
この結果、温度測定時にはグルコース濃度に起因する応答電流値の差を生じさせることなく、グルコース濃度測定時にだけグルコース濃度に起因する応答電流値の差をはっきりと検出できることが分かった。よって、これらの条件下であれば、温度とグルコース濃度を正確に検出できることが分かった。
【０２５７】
＜条件３（Ｐ５）＞
ここでは、図１２３の左段に示すように、グルコース濃度が１００ｍｇ／ｌ、４００ｍｇ／ｌの２種類で１０℃の血液試料を用いて、グルコース濃度測定、温度測定の順に各電極に対して、０．２５Ｖ、１．２５Ｖの電圧を印加して応答電流値を調べた。また、温度測定時には１．０ｓ間だけ電圧を印加し、グルコース濃度測定と温度測定との間隔は２．０ｓであった。つまり、温度測定時の電圧印加時間が０．５ｓから１．０ｓに変わった点だけが、条件１と異なっている。
【０２５８】
この結果、図１２３の左段に示すように、１．２５Ｖの電圧を印加した温度測定時には、グルコース濃度（１００ｍｇ／ｌ、４００ｍｇ／ｌ）に起因する応答電流値の差はほとんどないことが分かった。
そして、０．２５Ｖの電圧を印加したグルコース濃度測定時には、グルコース濃度４００ｍｇ／ｌの応答電流値が１００ｍｇ／ｌの応答電流値よりも高く検出されていた。
【０２５９】
この結果、温度測定時にはグルコース濃度に起因する応答電流値の差を生じさせることなく、グルコース濃度測定時にだけグルコース濃度に起因する応答電流値の差をはっきりと検出できることが分かった。よって、これらの条件下であれば、温度とグルコース濃度を正確に検出できることが分かった。
＜条件４（Ｐ６）＞
ここでは、図１２３の右段に示すように、グルコース濃度が１００ｍｇ／ｌ、４００ｍｇ／ｌの２種類で１０℃の血液試料を用いて、グルコース濃度測定、温度測定の順に各電極に対して、０．５Ｖ、１．２５Ｖの電圧を印加して応答電流値を調べた。また、温度測定時には０．５ｓ間だけ電圧を印加し、グルコース濃度測定と温度測定との間隔は２．０ｓであった。つまり、グルコース測定時の印加電圧が０．２５Ｖから０．５Ｖに変わった点だけが、条件３と異なっている。
【０２６０】
なお、図１２３の右上段のグラフには、測定時の経過時間と応答電流値との関係を示している。また、図１２３右下段のグラフには、測定時の経過時間とグルコース濃度１００ｍｇ／ｌの応答電流値に対するグルコース濃度４００ｍｇ／ｌの応答電流値の割合を示している。
この結果、図１２３の右段に示すように、１．２５Ｖの電圧を印加した温度測定時には、グルコース濃度（１００ｍｇ／ｌ、４００ｍｇ／ｌ）に起因する応答電流値の差はほとんどないことが分かった。
【０２６１】
そして、０．５Ｖの電圧を印加したグルコース濃度測定時には、グルコース濃度４００ｍｇ／ｌの応答電流値が１００ｍｇ／ｌの応答電流値よりも高く検出されていた。
この結果、温度測定時にはグルコース濃度に起因する応答電流値の差を生じさせることなく、グルコース濃度測定時にだけグルコース濃度に起因する応答電流値の差をはっきりと検出できることが分かった。よって、これらの条件下であれば、温度とグルコース濃度を正確に検出できることが分かった。
【０２６２】
＜条件５（Ｐ７）＞
ここでは、図１２４の左段に示すように、グルコース濃度が１００ｍｇ／ｌ、４００ｍｇ／ｌの２種類で１０℃の血液試料を用いて、グルコース濃度測定、温度測定の順に各電極に対して、０．２５Ｖ、１．２５Ｖの電圧を印加して応答電流値を調べた。また、温度測定時には１．０ｓ間だけ電圧を印加し、グルコース濃度測定と温度測定との間隔は４．０ｓであった。つまり、温度測定とグルコース測定との間隔が２．０ｓから４．０ｓに変わった点だけが、条件３と異なっている。
【０２６３】
この結果、図１２４の左段に示すように、１．２５Ｖの電圧を印加した温度測定時には、グルコース濃度（１００ｍｇ／ｌ、４００ｍｇ／ｌ）に起因する応答電流値の差はほとんどないことが分かった。
そして、０．２５Ｖの電圧を印加したグルコース濃度測定時には、グルコース濃度４００ｍｇ／ｌの応答電流値が１００ｍｇ／ｌの応答電流値よりも高く検出されていた。
【０２６４】
この結果、温度測定時にはグルコース濃度に起因する応答電流値の差を生じさせることなく、グルコース濃度測定時にだけグルコース濃度に起因する応答電流値の差をはっきりと検出できることが分かった。よって、これらの条件下であれば、温度とグルコース濃度を正確に検出できることが分かった。
＜条件６（Ｐ８）＞
ここでは、図１２４の右段に示すように、グルコース濃度が１００ｍｇ／ｌ、４００ｍｇ／ｌの２種類で１０℃の血液試料を用いて、グルコース濃度測定、温度測定の順に各電極に対して、０．５Ｖ、１．２５Ｖの電圧を印加して応答電流値を調べた。また、温度測定時には０．５ｓ間だけ電圧を印加し、グルコース濃度測定と温度測定との間隔は４．０ｓであった。つまり、グルコース測定時の印加電圧が０．２５Ｖから０．５Ｖに変わった点だけが、条件５と異なっている。
【０２６５】
なお、図１２４の右上段のグラフには、測定時の経過時間と応答電流値との関係を示している。また、図１２４右下段のグラフには、測定時の経過時間とグルコース濃度１００ｍｇ／ｌの応答電流値に対するグルコース濃度４００ｍｇ／ｌの応答電流値の割合を示している。
この結果、図１２４の右段に示すように、１．２５Ｖの電圧を印加した温度測定時には、グルコース濃度（１００ｍｇ／ｌ、４００ｍｇ／ｌ）に起因する応答電流値の差はほとんどないことが分かった。
【０２６６】
そして、０．５Ｖの電圧を印加したグルコース濃度測定時には、グルコース濃度４００ｍｇ／ｌの応答電流値が１００ｍｇ／ｌの応答電流値よりも高く検出されていた。
この結果、温度測定時にはグルコース濃度に起因する応答電流値の差を生じさせることなく、グルコース濃度測定時にだけグルコース濃度に起因する応答電流値の差をはっきりと検出できることが分かった。よって、これらの条件下であれば、温度とグルコース濃度を正確に検出できることが分かった。
【０２６７】
＜条件７（Ｐ９）＞
ここでは、図１２５の左段に示すように、グルコース濃度が１００ｍｇ／ｌ、４００ｍｇ／ｌの２種類で１０℃の血液試料を用いて、グルコース濃度測定、温度測定の順に各電極に対して、０．２５Ｖ、１．５Ｖの電圧を印加して応答電流値を調べた。また、温度測定時には１．０ｓ間だけ電圧を印加し、グルコース濃度測定と温度測定との間隔は２．０ｓであった。つまり、温度測定時の印加電圧が１．２５Ｖから１．５Ｖに変わった点だけが、条件３と異なっている。
【０２６８】
この結果、図１２５の左段に示すように、１．５Ｖの電圧を印加した温度測定時には、グルコース濃度（１００ｍｇ／ｌ、４００ｍｇ／ｌ）に起因する応答電流値の差はほとんどないことが分かった。
そして、０．２５Ｖの電圧を印加したグルコース濃度測定時には、グルコース濃度４００ｍｇ／ｌの応答電流値が１００ｍｇ／ｌの応答電流値よりも高く検出されていた。
【０２６９】
この結果、温度測定時にはグルコース濃度に起因する応答電流値の差を生じさせることなく、グルコース濃度測定時にだけグルコース濃度に起因する応答電流値の差をはっきりと検出できることが分かった。よって、これらの条件下であれば、温度とグルコース濃度を正確に検出できることが分かった。
＜条件８（Ｐ１０）＞
ここでは、図１２５の右段に示すように、グルコース濃度が１００ｍｇ／ｌ、４００ｍｇ／ｌの２種類で１０℃の血液試料を用いて、グルコース濃度測定、温度測定の順に各電極に対して、０．５Ｖ、１．５Ｖの電圧を印加して応答電流値を調べた。また、温度測定時には１．０ｓ間だけ電圧を印加し、グルコース濃度測定と温度測定との間隔は２．０ｓであった。つまり、グルコース測定時の印加電圧が０．２５Ｖから０．５Ｖに変わった点だけが、条件７と異なっている。
【０２７０】
なお、図１２５の右上段のグラフには、測定時の経過時間と応答電流値との関係を示している。また、図１２５右下段のグラフには、測定時の経過時間とグルコース濃度１００ｍｇ／ｌの応答電流値に対するグルコース濃度４００ｍｇ／ｌの応答電流値の割合を示している。
この結果、図１２５の右段に示すように、１．５Ｖの電圧を印加した温度測定時には、グルコース濃度（１００ｍｇ／ｌ、４００ｍｇ／ｌ）に起因する応答電流値の差はほとんどないことが分かった。
【０２７１】
そして、０．５Ｖの電圧を印加したグルコース濃度測定時には、グルコース濃度４００ｍｇ／ｌの応答電流値が１００ｍｇ／ｌの応答電流値よりも高く検出されていた。
この結果、温度測定時にはグルコース濃度に起因する応答電流値の差を生じさせることなく、グルコース濃度測定時にだけグルコース濃度に起因する応答電流値の差をはっきりと検出できることが分かった。よって、これらの条件下であれば、温度とグルコース濃度を正確に検出できることが分かった。
【０２７２】
＜血液試料２５℃＞
以下、図１２６〜図１２９では、上述した条件１〜条件８での測定を、２５℃の血液試料を用いて行った結果を示す。
この結果、上述した図１２２〜図１２５と同様に、各条件において、温度測定時にはグルコース濃度に起因する応答電流値の差を生じさせることなく、グルコース濃度測定時にだけグルコース濃度に起因する応答電流値の差をはっきりと検出できることが分かった。よって、これらの条件下であれば、温度とグルコース濃度を正確に検出できることが分かった。
【０２７３】
＜血液試料４０℃＞
以下、図１３０〜図１３３では、上述した条件１〜条件８での測定を、４０℃の血液試料を用いて行った結果を示す。
この結果、上述した図１２２〜図１２５と同様に、各条件において、温度測定時にはグルコース濃度に起因する応答電流値の差を生じさせることなく、グルコース濃度測定時にだけグルコース濃度に起因する応答電流値の差をはっきりと検出できることが分かった。よって、これらの条件下であれば、温度とグルコース濃度を正確に検出できることが分かった。
【０２７４】
＜まとめ＞
以上の結果から、上述した実施例１，２において検証された温度測定時の最適な印加電圧１．２５Ｖあるいは１．５Ｖ、グルコース濃度測定時の最適な印加電圧０．２５Ｖあるいは０．５Ｖを印加して、温度測定とグルコース濃度測定とを行った場合には、その測定順序に関わらず、精度よく温度とグルコース濃度とを測定できることが分かった。
【０２７５】
（実施例８）
本発明のさらに他の実施例について、図１３４〜図１３８のグラフを用いて説明すれば以下の通りである。
本実施例では、上述した実施例５において説明した構成を備えたセンサチップ（図１１０参照）を用いて、グルコース濃度測定時における印加電圧を低い側に変更して測定を行った。つまり、上述した温度測定時における最適な印加電圧の範囲の検証ではなく、グルコース濃度の測定時における最適な印加電圧の範囲を検証するための試験を行った結果を以下に示す。以下では、グルコース濃度測定時における印加電圧を、０．５Ｖ、０．３Ｖ、０．２Ｖ、０．１Ｖと順次下げていった場合の測定結果について説明する。
【０２７６】
＜印加電圧０．５Ｖ＞
ここでは、グルコース濃度測定時に印加される電圧を０．５Ｖ、温度測定時に印加される電圧を１．０Ｖに設定し、グルコース濃度（１００ｍｇ／ｄｌ、４００ｍｇ／ｄｌ）を変化させた際の応答電流値への影響について調べるために、測定を行った。
図１３４の左段には、グルコース濃度による影響を分かり易くするために、各グラフ内でグルコース濃度（１００ｍｇ／ｄｌ、４００ｍｇ／ｄｌ）を変えた場合の測定結果を示している。なお、図中左上段がグルコース濃度１００ｍｇ／ｄｌ、４００ｍｇ／ｄｌのそれぞれの応答電流値の測定結果、図中左下段がそのばらつきを示している。
【０２７７】
その結果、グルコース濃度が１００ｍｇ／ｄｌ、４００ｍｇ／ｄｌと変化した場合には、グルコース濃度測定時にははっきりと応答電流値に差が生じ、温度測定時の応答電流値についてはほとんど差が生じないことが分かった。
また、図１３６の左段には、血液試料の温度による影響を分かり易くするために、各グラフ内で温度（１０℃、２５℃、４０℃）を変えた場合の測定結果を示している。なお、図中左上段がグルコース濃度１００ｍｇ／ｄｌでの測定結果、図中左下段がグルコース濃度４００ｍｇ／ｄｌのそれぞれの応答電流値の測定結果のばらつきを示している。
【０２７８】
その結果、グルコース濃度が１００ｍｇ／ｄｌ、４００ｍｇ／ｄｌのいずれの場合でも、血液試料の温度が変化した場合には、温度測定時はもちろん、グルコース濃度時の応答電流値についても大きく差が生じることが分かった。
以上の結果から、グルコース濃度測定時に電極間に０．５Ｖの電圧を印加して応答電流値の測定を行った場合には、上記各実施例と同様に、温度の変化による影響を受けつつも、温度測定の結果に基づいて補正等することでグルコース濃度を精度よく測定可能であることが分かった。
【０２７９】
＜印加電圧０．３Ｖ＞
ここでは、グルコース濃度測定時に印加される電圧を０．３Ｖ、温度測定時に印加される電圧を１．０Ｖに設定し、グルコース濃度（１００ｍｇ／ｄｌ、４００ｍｇ／ｄｌ）を変化させた際の応答電流値への影響について調べるために、測定を行った。
図１３４の右段には、グルコース濃度による影響を分かり易くするために、各グラフ内でグルコース濃度（１００ｍｇ／ｄｌ、４００ｍｇ／ｄｌ）を変えた場合の測定結果を示している。なお、図中の右上段がグルコース濃度１００ｍｇ／ｄｌ、４００ｍｇ／ｄｌのそれぞれの応答電流値の測定結果、図中の右下段がそのばらつきを示している。
【０２８０】
その結果、グルコース濃度が１００ｍｇ／ｄｌ、４００ｍｇ／ｄｌと変化した場合には、グルコース濃度測定時にははっきりと応答電流値に差が生じ、温度測定時の応答電流値についてはほとんど差が生じないことが分かった。
また、図１３６の右段には、血液試料の温度による影響を分かり易くするために、各グラフ内で温度（１０℃、２５℃、４０℃）を変えた場合の測定結果を示している。なお、図中右上段がグルコース濃度１００ｍｇ／ｄｌでの測定結果、図中右下段がグルコース濃度４００ｍｇ／ｄｌのそれぞれの応答電流値の測定結果のばらつきを示している。
【０２８１】
その結果、グルコース濃度が１００ｍｇ／ｄｌ、４００ｍｇ／ｄｌのいずれの場合でも、血液試料の温度が変化した場合には、温度測定時はもちろん、グルコース濃度時の応答電流値についても大きく差が生じることが分かった。
以上の結果から、グルコース濃度測定時に電極間に０．３Ｖの電圧を印加して応答電流値の測定を行った場合には、温度の変化による影響を受けつつも、温度測定の結果に基づいて補正等することでグルコース濃度を精度よく測定可能であることが分かった。
【０２８２】
＜印加電圧０．２Ｖ＞
ここでは、グルコース濃度測定時に印加される電圧を０．２Ｖ、温度測定時に印加される電圧を１．０Ｖに設定し、グルコース濃度（１００ｍｇ／ｄｌ、４００ｍｇ／ｄｌ）を変化させた際の応答電流値への影響について調べるために、測定を行った。
図１３５の左段には、グルコース濃度による影響を分かり易くするために、各グラフ内でグルコース濃度（１００ｍｇ／ｄｌ、４００ｍｇ／ｄｌ）を変えた場合の測定結果を示している。なお、図中左上段がグルコース濃度１００ｍｇ／ｄｌ、４００ｍｇ／ｄｌのそれぞれの応答電流値の測定結果、図中左下段がそのばらつきを示している。
【０２８３】
その結果、グルコース濃度が１００ｍｇ／ｄｌ、４００ｍｇ／ｄｌと変化した場合には、グルコース濃度測定時にははっきりと応答電流値に差が生じ、温度測定時の応答電流値についてはほとんど差が生じないことが分かった。
また、図１３７の左段には、血液試料の温度による影響を分かり易くするために、各グラフ内で温度（１０℃、２５℃、４０℃）を変えた場合の測定結果を示している。なお、図中左上段がグルコース濃度１００ｍｇ／ｄｌでの測定結果、図中左下段がグルコース濃度４００ｍｇ／ｄｌのそれぞれの応答電流値の測定結果のばらつきを示している。
【０２８４】
その結果、グルコース濃度が１００ｍｇ／ｄｌ、４００ｍｇ／ｄｌのいずれの場合でも、血液試料の温度が変化した場合には、温度測定時はもちろん、グルコース濃度時の応答電流値についても大きく差が生じることが分かった。
以上の結果から、グルコース濃度測定時に電極間に０．２Ｖの電圧を印加して応答電流値の測定を行った場合でも、温度の変化による影響を受けつつも、温度測定の結果に基づいて補正等することでグルコース濃度を精度よく測定可能であることが分かった。
【０２８５】
＜印加電圧０．１Ｖ＞
ここでは、グルコース濃度測定時に印加される電圧を０．１Ｖ、温度測定時に印加される電圧を１．０Ｖに設定し、グルコース濃度（１００ｍｇ／ｄｌ、４００ｍｇ／ｄｌ）を変化させた際の応答電流値への影響について調べるために、測定を行った。
図１３５の右段には、グルコース濃度による影響を分かり易くするために、各グラフ内でグルコース濃度（１００ｍｇ／ｄｌ、４００ｍｇ／ｄｌ）を変えた場合の測定結果を示している。なお、図中の右上段がグルコース濃度１００ｍｇ／ｄｌ、４００ｍｇ／ｄｌのそれぞれの応答電流値の測定結果、図中の右下段がそのばらつきを示している。
【０２８６】
その結果、グルコース濃度が１００ｍｇ／ｄｌ、４００ｍｇ／ｄｌと変化した場合には、グルコース濃度測定時にははっきりと応答電流値に差が生じ、温度測定時の応答電流値についてはほとんど差が生じないことが分かった。
また、図１３７の右段には、血液試料の温度による影響を分かり易くするために、各グラフ内で温度（１０℃、２５℃、４０℃）を変えた場合の測定結果を示している。なお、図中右上段がグルコース濃度１００ｍｇ／ｄｌでの測定結果、図中右下段がグルコース濃度４００ｍｇ／ｄｌのそれぞれの応答電流値の測定結果のばらつきを示している。
【０２８７】
その結果、グルコース濃度が１００ｍｇ／ｄｌ、４００ｍｇ／ｄｌのいずれの場合でも、血液試料の温度が変化した場合には、温度測定時はもちろん、グルコース濃度時の応答電流値についても大きく差が生じることが分かった。
以上の結果から、グルコース濃度測定時に電極間に０．１Ｖの電圧を印加して応答電流値の測定を行った場合でも、温度の変化による影響を受けつつも、温度測定の結果に基づいて補正等することでグルコース濃度を精度よく測定可能であることが分かった。
【０２８８】
＜まとめ＞
以上の結果から、グルコース濃度測定時における印加電圧を０．５Ｖから０．１Ｖにまで下げていった場合でも、それぞれの印加電圧においてグルコース濃度の測定が可能であることが分かった。
ここで、グルコース濃度測定時における印加電圧０．１Ｖ、温度測定時における印加電圧１．０Ｖとした場合、図１３８に示すように、グルコース濃度測定時におけるグルコース濃度１００ｍｇ／ｄｌ、４００ｍｇ／ｄｌ間の応答電流値の感度差をＡ、温度測定時におけるグルコース濃度１００ｍｇ／ｄｌ、４００ｍｇ／ｄｌ間の応答電流値の感度差をＢとすると、温度測定時における印加電圧は、Ｂ／Ａの最適な範囲は、以下のようにして特定される。
【０２８９】
例えば、グルコース濃度測定可能な印加電圧の下限値を０．１Ｖ、温度測定可能な印加電圧の下限値を１．０Ｖと設定すると、Ｂ／Ａは、１０％／１５０％＝６．７％となる。
そして、グルコース濃度測定時における印加電圧を０．１Ｖから高くしていくとＡが増加し、温度測定時における印加電圧を１．０Ｖから高くしていくとＢが減少する。
この結果、Ｂ／Ａ＜６．７％の条件を満たすように、グルコース濃度測定時における印加電圧と温度測定時における印加電圧とを設定すれば、良好な測定結果を得ることができるものと考えれる。
【０２９０】
（参考例１）
本発明の効果をより分かり易くするための参考例について、図８５〜図９０のグラフを用いて説明すれば以下の通りである。
すなわち、本参考例では、上述した実施例１で説明した図９と同じセンサチップ構成を用いて、図１０の条件と１点を除いてほぼ同じ条件で電圧を印加して測定を行った。具体的には、本参考例では、図１０に示す温度測定時（測定時間３．５〜５．０ｓｅｃ）の期間に印加される電圧１．５Ｖを、０．５Ｖとした点において、上記実施例１とは異なっている。
【０２９１】
図８５および図８６には、Ｈｃｔ値の増減による応答電流値への影響を調べるために、グルコース濃度、温度を一定にした場合の各電極における応答電流値の測定結果を示している。
具体的には、図８５では、グルコース濃度１００ｍｇ／ｄｌ、温度２５℃で一定とし、Ｈｃｔ値を２５，４５，６５と数値を振った場合の応答電流値の変化を調べた。一方、図８６では、グルコース濃度４００ｍｇ／ｄｌ、温度２５℃で一定とし、同様に、Ｈｃｔ値を２５，４５，６５と数値を振った場合の応答電流値の変化を調べた。
【０２９２】
その結果、図８５の左上に示すように、グルコース濃度測定時には、グルコース濃度が一定であってもＨｃｔ値の大きさに応じて応答電流値にばらつきがあり、同図左下に示すように、Ｈｃｔ値４５を基準とした場合のＨｃｔ値２５，６５のばらつきが±３０％以上あることが分かった。
そして、血液試料の温度、Ｈｃｔ値測定時には、図８５右上に示すように、３つのＨｃｔ値に対する応答電流値が温度測定のための測定時間３．５〜５．０ｓｅｃの期間において測定結果に差が生じており、同図中右下に示すように、Ｈｃｔ値４５を基準にした場合のばらつきも±２０％程度ばらついてしまうことが分かった。
【０２９３】
グルコース濃度４００ｍｇ／ｄｌとした図８６についても同様に、図中左上下に示すように、グルコース濃度測定時、温度測定時ともに±３０％以上のばらつきが見られた。
本参考例では、図８５および図８６に示す応答電流の測定結果から、グルコース測定時における印加電圧では、グルコース濃度が一定であってもＨｃｔ値の増減によって応答電流値に差が生じ、温度測定時にもＨｃｔ値の増減の影響を受けて応答電流値に差が生じることが分かった。
【０２９４】
次に、図８７および図８８には、温度の上昇、下降による検出電流値への影響を調べるために、グルコース濃度を１００ｍｇ／ｄｌ、４００ｍｇ／ｄｌ、Ｈｃｔ値を４５と一定にした場合の各電極における応答電流値の測定結果を示している。
具体的には、図８７では、グルコース濃度１００ｍｇ／ｄｌ、Ｈｃｔ値４５で一定とし、温度を１５，２５，３５℃と数値を振った場合の応答電流値の変化を調べた。一方、図８８では、グルコース濃度４００ｍｇ／ｄｌ、Ｈｃｔ値４５で一定とし、同様に、温度を１５，２５，３５℃と数値を振った場合の応答電流値の変化を調べた。
【０２９５】
その結果、図８７の左上に示すように、グルコース濃度測定時には、グルコース濃度が一定であっても温度の大きさに応じて応答電流値にばらつきがあり、同図左下に示すように、温度２５℃を基準とした場合の温度１５，３５℃のばらつきが±２０％程度あることが分かった。
そして、温度、Ｈｃｔ値測定時には、図８７右上に示すように、３つの温度に対する応答電流値が温度測定のための測定時間３．５〜５．０ｓｅｃの期間において差が生じており、同図中右下に示すように、温度２５℃を基準にした場合のばらつきも±２０％以上となっていた。
【０２９６】
グルコース濃度４００ｍｇ／ｄｌとした図８８についても同様に、図中左上下に示すように、グルコース濃度測定時には±２８％程度のばらつきが見られた。一方、温度、Ｈｃｔ値測定時には、図中右上下に示すように、±３０％程度のばらつきが見られた。
本参考例では、図８７および図８８に示す応答電流の測定結果から、温度測定時に０．５Ｖの電圧を印加した場合には、Ｈｃｔ値の増減による影響を受けてしまって、温度の上昇、下降による影響を応答電流値として取り出すことが困難であることが分かった。
【０２９７】
図８９には、グルコース濃度の影響を調べるためにＨｃｔ値、温度を一定にした場合の各電極における応答電流値の測定結果を示している。
具体的には、図８９では、Ｈｃｔ値４５、温度２５℃で一定とし、グルコース濃度を１００，４００ｍｇ／ｄｌと数値を振った場合の応答電流値の変化を調べた。
その結果、図８９の左上に示すように、グルコース濃度測定時には、グルコース濃度が１００ｍｇ／ｄｌと４００ｍｇ／ｄｌと変化した場合には、その差が応答電流値として検出できており、同図左下に示すように、グルコース濃度１００ｍｇ／ｄｌを基準とした場合には、グルコース濃度４００ｍｇ／ｄｌは＋１５０〜２００％程度の差として検出できることが分かった。
【０２９８】
一方、温度、Ｈｃｔ値測定時には、図８９右上に示すように、２つのグルコース濃度に対する応答電流値が温度測定のための測定時間３．５〜５．０ｓｅｃの期間において応答電流値に大きな差が生じており、同図中右下に示すように、グルコース濃度１００ｍｇ／ｄｌを基準にした場合のばらつきが非常に大きくなっていることが分かった。
本参考例では、図８９に示す応答電流の測定結果から、グルコース濃度の増減に応じてグルコース濃度に対応した応答電流値を検出できる一方で、温度測定時に０．５Ｖの電圧を印加しても、グルコース濃度の増減によっては温度測定時の応答電流値に影響を及ぼしてしまうことが分かった。
【０２９９】
図９０には、図８５〜図８９に示した応答電流値の測定結果をまとめて、Ｈｃｔ値およびグルコース濃度を変えた場合の、温度（Ｘ軸）に対する応答電流値（Ｙ軸）のばらつきを示している。
具体的には、図中上に示すように、温度測定のための電圧印加時間３．５〜５．０ｓｅｃの期間に含まれる測定時間４．０ｓｅｃのタイミングで測定した応答電流値では、温度の変化に応じて応答電流値がほぼ直線的に変化していることが分かった。また、そのばらつきとしては、応答電流値に関わらず、測定精度が図れないほどの大きなばらつきがあることが分かった。
【０３００】
また、図中下に示すように、測定時間５．０ｓｅｃのタイミングで測定した応答電流値についても、温度の変化に応じて応答電流値がほぼ直線的に変化していることが分かった。また、そのばらつきとしては、例えば、応答電流値に関わらず、測定精度が図れないほどのばらつきがあることが分かった。
以上の測定結果から、本参考例のように、グルコース濃度測定時に印加される電圧０．２５〜０．５０Ｖと同程度の電圧０．５Ｖ程度を温度測定時に印加した場合でも、グルコース濃度、Ｈｃｔ値の増減の影響を受けてしまって、温度変化だけに依存する応答電流値を検出することが困難であることが分かった。また、応答電流値のレベルも小さく、相対的にＳＮ比（Ｓｉｇｎａｌ／Ｎｏｉｓｅ比）が悪くなり精度も悪くなる。よって、本参考例に係るセンサチップでは、血液試料の温度を直接的に測定するための温度センサとして活用できないことが分かった。
【０３０１】
＜作用効果＞
本発明に係る生体試料の温度測定方法は、電解質を含む試薬が存在する作用極および対極から構成される温度電極と生体試料を導入するためのキャピラリとを備えているセンサチップにおいて生体試料の温度を測定する温度測定方法であって、取込ステップと、温度測定ステップと、を備えている。取込ステップは、キャピラリに導入された生体試料から所定量の生体試料を取込む。温度測定ステップは、温度電極に対して、生体試料の温度を測定する際に、生体試料の分析物の増減による影響が少ない所定の電圧を印加して生体試料の温度を測定する。
【０３０２】
ここでは、生体試料の温度を測定する方法において、作用極および対極上に電解質を含む試薬が存在しているとともに、生体試料の温度を測定する際に、生体試料の分析物の量の増減による影響が少ない所定の電圧を印加する。
ここで、生体試料の分析物とは、例えば、ヘマトクリットやグルコース、還元物質等が含まれる。また、上記生体試料の分析物の量の増減による測定結果への影響が少ない所定の電圧としては、例えば、１Ｖ以上の比較的高い電圧が含まれる。
【０３０３】
これにより、生体試料におけるヘマトクリット値およびグルコース濃度等の分析物の量に依存しないようにして、生体試料の温度測定を高精度に実施することができる。この結果、高精度に算出された温度測定結果に基づいて、生体試料の温度を利用した各種補正についての精度も高めることができる。
本発明に係る生体試料の温度測定方法は、上記生体試料の温度測定方法であって、取込ステップにおける生体試料の取込量は５μＬ以下であり、温度測定ステップにおける電圧の印加時間は１５秒以下である。
【０３０４】
これにより、生体試料の導入量を少なくし、かつ短時間で温度測定を行うことができる。
本発明に係る生体試料の温度測定方法は、上記生体試料の温度測定方法であって、所定の電圧は、直流電圧であって生体試料の溶媒が電気分解される範囲である。
これにより、生体試料の溶媒を分解する、例えば、１Ｖ以上の比較的高い電圧を、温度電極に対して印加して、正確に温度を測定することができる。
【０３０５】
本発明に係る生体試料の温度測定方法は、上記生体試料の温度測定方法であって、生体試料の分析物は、グルコース、ヘマトクリットおよび還元物質のいずれか１つであって、温度測定ステップでは、予め測定しておいた分析物の量の増減による影響が少ない直流電圧を印加する。
これにより、生体試料に含まれるグルコース濃度やヘマトクリット値およびその他の還元物質の濃度等をそれぞれ測定することができる。
【０３０６】
また、例えば、生体試料中に含まれるグルコース濃度を測定する際に、生体試料の温度や還元物質の濃度も併せて測定することができる。よって、ヘマトクリット等の量の増減による影響の少ない電圧を印加して精度よく測定された温度や還元物質の測定結果に基づいて、グルコース濃度の測定結果を補正する等して、正確にグルコースの測定を行うことができる。
【０３０７】
本発明に係る生体試料の温度測定方法は、上記生体試料の温度測定方法であって、温度測定ステップでは、１．０Ｖ以上の電位差の電圧を印加する。
これにより、一般的な生体試料の分析物の濃度測定時に印加される電圧と比べて高く、温度測定のための最適な電位差の電圧を電極に印加して温度測定を行うことで、生体試料中の分析物の濃度に依存しない高精度な温度測定を実施することができる。
【０３０８】
本発明に係る生体試料の濃度測定方法は、電解質を含む試薬が存在する作用極および対極から構成される電極と生体試料を導入するためのキャピラリとを備えているセンサチップにおいて生体試料の分析物の濃度を測定する濃度測定方法であって、取込ステップと、温度測定ステップと、濃度測定ステップと、を備えている。取込ステップは、キャピラリに導入された生体試料から所定量の生体試料を取込む。温度測定ステップは、電極に対して、生体試料の温度を測定する際に、生体試料の分析物の増減による影響が少ない所定の電圧を印加して生体試料の温度を測定する。濃度測定ステップは、電極に対して所定の電圧を印加し、生体試料に含まれる分析物の濃度を測定する。
【０３０９】
ここでは、生体試料の濃度を測定する方法において、作用極および対極上に電解質を含む試薬が存在しているとともに、生体試料の温度を測定する際に、生体試料の分析物の量の増減による影響が少ない所定の電圧を印加する。そして、センサチップ上の上記電極に対して所定の電圧を印加して、生体試料に含まれる分析物の濃度測定を行う。
ここで、生体試料の分析物とは、例えば、ヘマトクリットやグルコース、還元物質等が含まれる。
【０３１０】
生体試料におけるヘマトクリット値およびグルコース濃度等の分析物の量に依存しない所定の電圧を印加することにより、生体試料の温度測定を高精度に実施することができるとともに、生体試料中に含まれる分析物の濃度測定も併せて行うことができる。この結果、高精度に算出された温度測定結果に基づいて、生体試料の温度を利用した各種補正についての精度も高めることができる。
【０３１１】
本発明に係る生体試料の濃度測定方法は、上記生体試料の濃度測定方法であって、濃度測定ステップでは、生体試料に含まれる分析物として、グルコース、ヘマトクリットおよび還元物質の少なくとも１つの濃度を測定する。
これにより、生体試料に含まれるグルコース濃度やヘマトクリット値およびその他の還元物質の濃度等をそれぞれ測定することができる。
【０３１２】
また、例えば、血液試料中に含まれるグルコース濃度を測定する際に、血液試料の温度や還元物質の濃度も併せて測定することができる。よって、温度や還元物質の測定結果に基づいてグルコース濃度の測定結果を補正する等して、正確にグルコース濃度の測定を行うことができる。
本発明に係る生体試料の濃度測定方法は、上記生体試料の濃度測定方法であって、温度測定ステップでは、濃度測定ステップにおいて分析物の濃度を測定する際に印加される電圧の電位差よりも大きい電位差の電圧を印加する。
【０３１３】
これにより、一般的な生体試料の分析物の濃度測定時に印加される電圧と比べて高い電圧（例えば、１Ｖ以上）を電極に印加して、温度測定を行うことで、生体試料中の分析物の濃度に依存しない高精度な温度測定を実施することができる。
本発明に係る生体試料の濃度測定方法は、上記生体試料の濃度測定方法であって、温度測定ステップでは、１．０Ｖ以上の電位差の電圧を印加する。
【０３１４】
これにより、一般的な生体試料の分析物の濃度測定時に印加される電圧と比べて高く、温度測定のための最適な電位差の電圧を電極に印加して温度測定を行うことで、生体試料中の分析物の濃度に依存しない高精度な温度測定を実施することができる。
本発明に係る生体試料の濃度測定方法は、上記生体試料の濃度測定方法であって、温度測定ステップにおいて測定された生体試料の温度に基づいて、濃度測定ステップにおいて測定された生体試料に含まれる分析物の濃度を補正する補正ステップを、さらに備えている。
【０３１５】
これにより、生体試料中に含まれる分析物の濃度に影響されることなく精度よく測定された生体試料の温度測定結果を用いて、生体試料中の分析物（例えば、グルコース、ヘマトクリットおよび還元物質等）の濃度測定結果を精度よく補正することができる。よって、グルコース濃度等の測定を高精度に行うことができる。
本発明に係る生体試料の濃度測定方法は、上記生体試料の濃度測定方法であって、濃度測定ステップでは、電極とは別途独立して設けられた測定電極に対して電圧が印加され、温度測定ステップは、濃度測定ステップとは独立して実施される。
【０３１６】
これにより、生体試料の温度測定と分析物の濃度測定とを別々の電極を用いて行うことができるため、温度測定ステップと濃度測定ステップとを独立して実施することができる。よって、温度測定ステップと濃度測定ステップとを同時並行で実施したり、別々のタイミングで実施したりすることもできる。
本発明に係る生体試料の濃度測定方法は、上記生体試料の濃度測定方法であって、温度測定ステップにおける電圧印加では、濃度測定ステップにおける電圧印加に対して、順番およびタイミングが任意に決定される。
【０３１７】
これにより、濃度測定ステップにおける電圧印加のタイミングを基準にして、温度測定ステップを実施することができる。
例えば、温度測定ステップと濃度測定ステップの一部または全部で重なるタイミングで測定することが可能であり、かつ温度測定ステップの時間（印加時間等）と濃度測定ステップの時間（印加時間等）をそれぞれ任意に設定して測定タイミングを制御することができる。さらに濃度測定ステップの実施中に温度測定ステップ動作を複数回実施することも可能となり、濃度測定ステップの開始直後と終了直前の各々の温度データを取得することにより、濃度測定中の生体試料の温度変化も測定できる。
【０３１８】
したがって、より温度変化に柔軟な補正機能を実現することができる。
本発明に係る生体試料の濃度測定方法は、上記生体試料の濃度測定方法であって、温度測定ステップは、濃度測定ステップの終了後に実施される。
これにより、生体試料の分析物の濃度測定が完了後、温度測定を実施することで、電極に印加される電圧を、低い方から高い方へ移行させて濃度、温度測定を行うことができる。
【０３１９】
本発明に係る生体試料の濃度測定方法は、上記生体試料の濃度測定方法であって、濃度測定ステップは、温度測定ステップにおいて温度の測定が終了すると電圧印加をＯＦＦとし、所定時間経過後に再度電圧を印加して測定を行う。
これにより、温度測定時に比較的高い電圧を印加した後、所定時間経過を待つことで、生体試料と試薬との反応時間を確保した上で、生体試料に含まれる分析物の濃度を測定することができる。よって、精度の高い濃度測定が可能になる。
【０３２０】
本発明に係るセンサチップは、生体試料の温度を測定するセンサチップであって、キャピラリと、温度電極と、を備えている。キャピラリは、生体試料が導入される。温度電極は、生体試料の温度を測定するとともに電解質を含む試薬が存在する作用極および対極を有している。また、温度電極は、生体試料の温度を測定する際に生体試料の分析物による影響が少ない所定の電圧が印加される。
【０３２１】
ここでは、生体試料の温度を測定するセンサチップにおいて、作用極および対極上に電解質を含む試薬が存在しているとともに、生体試料の温度を測定する際に、生体試料の分析物の量の増減による影響が少ない所定の電圧を印加する。
これにより、生体試料の分析物の量に依存しない、生体試料の温度測定を高精度に実施することができる。この結果、高精度に算出された温度測定結果に基づいて、生体試料の温度を利用した各種補正についての精度も高めることができる。
【０３２２】
本発明に係るセンサチップは、上記センサチップであって、キャピラリにおける生体試料の取込量は５μＬ以下であり、温度電極における所定の電圧の印加時間は１５秒以下である。
これにより、生体試料の導入量を少なくし、かつ短時間で温度測定を行うことができる。
【０３２３】
本発明に係るセンサチップは、上記センサチップであって、所定の電圧は、直流電圧であって生体試料の溶媒が電気分解される範囲である。
これにより、生体試料の溶媒を分解する、例えば、１Ｖ以上の比較的高い電圧を、温度電極に対して印加して、正確に温度を測定することができる。
本発明に係るセンサチップは、上記センサチップであって、使い捨てである。
【０３２４】
これにより、使い捨てのセンサチップを用いて、生体試料の温度を正確に測定することができる。
本発明に係るセンサチップは、上記センサチップであって、生体試料中の分析物の濃度を測定する分析電極をさらに備えている。
これにより、例えば、生体試料の温度測定と同時並行して、生体試料中に含まれるグルコース等の分析物の濃度を測定することができる。
【０３２５】
本発明に係るセンサチップは、上記センサチップであって、温度電極は、分析電極を兼ねている。
これにより、温度電極として新たに別の電極を設けることなく、従来の分析電極をそのまま温度電極として兼用することができる。よって、簡易な構成のままで、生体試料の分析物の温度および濃度を正確に測定することができる。
【０３２６】
本発明に係るセンサチップは、上記センサチップであって、分析物は、グルコース、ヘマトクリットおよび還元物質の少なくとも１つが含まれる。
これにより、生体試料に含まれるグルコース濃度やヘマトクリット値およびその他の還元物質の濃度等をそれぞれ測定することができる。
また、例えば、生体試料としての血液試料中に含まれるグルコース濃度を測定する際に、血液試料の温度や還元物質の濃度も併せて測定することができる。よって、温度や還元物質の測定結果に基づいてグルコース濃度の測定結果を補正する等して、正確にグルコースの測定を行うことができる。
【０３２７】
本発明に係るセンサチップは、上記センサチップであって、作用極と対極とは、互いに対向する位置に配置されている。
これにより、生体試料に対して効果的に電圧を印加して、温度等の測定を実施することができる。
本発明に係るセンサチップは、上記センサチップであって、温度電極は、電解質が練り込まれて形成されている。
【０３２８】
これにより、別途、電解質を含む試薬を温度電極上に滴下・塗布し乾燥させて形成する必要はなく、センサチップの基板上に電解質を含む電極として温度電極を形成することができ、製造工程を簡略化することができる。
本発明の測定器は、電解質を含む試薬が存在する作用極および対極から構成される電極を有するセンサチップに対して電圧を印加する測定器であって、挿入部と、電圧印加部と、温度測定部と、を備えている。挿入部は、センサチップが装填される。電圧印加部は、挿入部に装填されたセンサチップの電極に対して、生体試料の分析物による影響が少ない所定の電圧を印加する。温度測定部は、電圧印加部によって印加された電圧の出力値に基づいて、生体試料の温度を測定する。
【０３２９】
ここでは、生体試料の温度を測定する際に、挿入部に装填された生体試料の温度を測定するセンサチップに対して、生体試料の分析物の量の増減による影響が少ない所定の電圧を印加する。
ここで、上記生体試料の分析物の量の増減による影響が少ない所定の電圧とは、例えば、グルコース濃度測定時等に印加される電圧よりも高い１．０Ｖ以上の電圧を意味している。
【０３３０】
これにより、生体試料の分析物の量に依存しない、生体試料の温度測定を高精度に実施することができる。この結果、高精度に算出された温度測定結果に基づいて、生体試料の温度を利用した各種補正についての精度も高めることができる。
本発明の測定器は、上記測定器であって、電圧印加部は、生体試料の溶媒が電気分解される範囲の直流電圧を印加する。
【０３３１】
これにより、生体試料の溶媒を分解する、例えば、１Ｖ以上の比較的高い直流電圧を温度電極に対して印加して、正確に温度を測定することができる。
本発明の測定器は、上記測定器であって、電圧印加部から印加された所定の電圧の出力値に基づいて、生体試料に含まれる分析物の濃度を測定する分析物測定部を、さらに備えている。
【０３３２】
これにより、グルコース濃度等の測定を精度よく実施することができる。
本発明の測定器は、上記測定器であって、分析物測定部は、生体試料に含まれる分析物として、グルコース、ヘマトクリットおよび還元物質の少なくとも１つの濃度を測定する。
これにより、生体試料に含まれるグルコース濃度やヘマトクリット値およびその他の還元物質の濃度等をそれぞれ測定することができる。
【０３３３】
また、例えば、生体試料としての血液試料中に含まれるグルコース濃度を測定する際に、血液試料の温度や還元物質の濃度も併せて測定することができる。よって、温度や還元物質の測定結果に基づいてグルコース濃度の測定結果を補正する等して、正確にグルコースの測定を行うことができる。
本発明の測定器は、上記測定器であって、電圧印加部は、温度測定時には、濃度測定時において分析物の濃度を測定する際に印加される電圧の電位差よりも大きい電位差の電圧を印加する。
【０３３４】
これにより、一般的な生体試料の分析物の濃度測定時に印加される電圧と比べて高い電圧（例えば、１Ｖ以上）を電極に印加して、温度測定を行うことで、生体試料中の分析物の濃度に依存しない高精度な温度測定を実施することができる。
本発明の測定器は、上記測定器であって、電圧印加部は、温度測定時には、１．０Ｖ以上の電位差の電圧を印加する。
【０３３５】
これにより、一般的な生体試料の分析物の濃度測定時に印加される電圧と比べて高く、温度測定のための最適な電位差の電圧を電極に印加して温度測定を行うことで、生体試料中の分析物の濃度に依存しない高精度な温度測定を実施することができる。
本発明に係るバイオセンサシステムは、上記センサチップと、測定器と、電圧印加部と、第１の温度測定部と、分析物測定部と、を備えている。測定器は、センサチップの温度電極に所定の電圧を所定時間印加するための制御回路を含む。電圧印加部は、制御回路に従って温度電極に所定の電圧を所定時間印加する。第１の温度測定部は、生体試料に接触させた温度電極に流れる電流の大きさに基づいて、生体試料の温度を測定する。分析物測定部は、生体試料中の分析物を基質とする電気化学反応によって生体試料中に流れる電流の大きさに基づいて、分析物の濃度を測定する。
【０３３６】
ここでは、生体試料の温度を測定する上述したセンサチップを含むバイオセンサシステムにおいて、センサチップの温度電極に所定の電圧を印加して生体試料の温度を測定するとともに、生体試料中の分析物を基質とする酸化還元酵素が関与する反応によって生体試料中に流れる電流を検出して生体試料中の分析物の濃度を併せて測定する。また、上記電気化学反応とは、例えば、酸化還元酵素が関与する反応等がある。
【０３３７】
ここで、生体試料の分析物とは、例えば、ヘマトクリットやグルコース、還元物質等が含まれる。また、上記生体試料の温度測定時に印加される電圧としては、分析物の量の増減による測定結果への影響が少ない、例えば、１Ｖ以上の比較的高い電圧が含まれる。
これにより、生体試料におけるヘマトクリット値およびグルコース濃度等の分析物の量に依存しないようにして、生体試料の温度測定を高精度に実施することができる。この結果、高精度に算出された温度測定結果に基づいて、生体試料の温度を利用した各種補正についての精度も高めることができる。
【０３３８】
本発明に係るバイオセンサシステムは、上記バイオセンサシステムであって、第１の温度測定部によって測定された温度に基づいて、生体試料中の分析物の濃度を補正する濃度補正部を、さらに備えている。
これにより、精度よく測定された生体試料の温度の測定結果に基づいて、生体試料の分析物の濃度を精度よく測定することができる。
【０３３９】
本発明に係るバイオセンサシステムは、上記バイオセンサシステムであって、測定器は、内部、表面または周辺の環境温度を測定する第２の温度測定部を有している。濃度補正部は、第１の温度測定部と第２の温度測定部とにおいて測定されたそれぞれの温度データを比較し、測定された温度データを選択的に使用して、分析物濃度を補正する。
これにより、サーミスタを内蔵したセンサチップ等を含むバイオセンサシステムにおいて、測定器表面およびその周辺を含む温度測定結果も選択的に用いながら、分析物の濃度を補正することができる。よって、さらに精度よく、分析物の濃度を測定することができる。
【０３４０】
本発明に係るバイオセンサシステムは、上記バイオセンサシステムであって、濃度補正部は、第１の温度測定部と第２の温度測定部において測定されたそれぞれの温度データの差に応じて所定の係数を決め、その係数とそれぞれの温度データを演算した結果に基づいて、生体試料中の分析物の濃度を補正する。
これにより、第１・第２の温度測定部における温度測定結果に基づいて算出される係数に基づいて、分析物の濃度を補正することで、より正確な分析物の濃度測定を行うことができる。
【０３４１】
本発明に係るバイオセンサシステムは、上記バイオセンサシステムであって、電圧印加部は、生体試料の溶媒が電気分解される範囲の直流電圧を印加する。
これにより、生体試料の溶媒を分解する、例えば、１Ｖ以上の比較的高い直流電圧を温度電極に対して印加して、正確に温度を測定することができる。
本発明に係るバイオセンサシステムは、上記バイオセンサシステムであって、分析物測定部は、生体試料に含まれる分析物として、グルコース、ヘマトクリットおよび還元物質の少なくとも１つの濃度を測定する。
【０３４２】
これにより、生体試料に含まれるグルコース濃度やヘマトクリット値およびその他の還元物質の濃度等をそれぞれ測定することができる。
また、例えば、生体試料としての血液試料中に含まれるグルコース濃度を測定する際に、血液試料の温度や還元物質の濃度も併せて測定することができる。よって、温度や還元物質の測定結果に基づいてグルコース濃度の測定結果を補正する等して、正確にグルコースの測定を行うことができる。
【０３４３】
本発明に係るバイオセンサシステムは、上記バイオセンサシステムであって、電圧印加部は、温度測定時には、濃度測定時において分析物の濃度を測定する際に印加される電圧の電位差よりも大きい電位差の電圧を印加する。
これにより、一般的な生体試料の分析物の濃度測定時に印加される電圧と比べて高い電圧（例えば、１Ｖ以上）を電極に印加して、温度測定を行うことで、生体試料中の分析物の濃度に依存しない高精度な温度測定を実施することができる。
【０３４４】
本発明に係るバイオセンサシステムは、上記バイオセンサシステムであって、電圧印加部は、温度測定時には、１．０Ｖ以上の電位差の電圧を印加する。
これにより、一般的な生体試料の分析物の濃度測定時に印加される電圧と比べて高く、温度測定のための最適な電位差の電圧を電極に印加して温度測定を行うことで、生体試料中の分析物の濃度に依存しない高精度な温度測定を実施することができる。
【０３４５】
［他の実施形態］
以上、本発明の一実施形態について説明したが、本発明は上記実施形態に限定されるものではなく、発明の要旨を逸脱しない範囲で種々の変更が可能である。
（Ａ）
上記実施形態のバイオセンサシステム１００は、センサを使用する環境の温度が急激に変化した場合であっても、センサチップ２００の電極１１，１２を用いて直接的に血液試料の温度を測定することができるため、精度よく温度測定を行った上で温度による補正
をかけてやることで、血液試料中の分析物の濃度を高精度に測定できる。このため、基本的には、サーミスタに代表される環境温度測定部を測定器に配置する必要はない。しかし、測定部で取得される電流量の精度が低い場合は、測定器にもサーミスタ等の環境温度測定部を配置する必要が考えられる。
【０３４６】
例えば、血液試料の容量を減らすためにキャピラリ部４０の体積を小さくする場合、測定部の温度電極の面積も減らす必要があるため測定部で取得される電流量は減少し、結果として測定部で取得される電流量の精度は低下することになる。このような場合は、測定部で取得される温度ｔと測定器の環境温度測定部（第２の温度測定部）において取得される温度ｔ１（図８（ａ）のステップＳ４３）とを比較し、両者に差が生じた場合のみ測定部で取得される温度ｔを採用するとよい。
【０３４７】
つまり、図８（ａ）に示すように、データａ（図６、ステップＳ２参照）に基づいて温度ｔを算出し（ステップＳ４１）、データｂ（図６、ステップＳ３参照）に基づいて濃度ｘを算出し（ステップＳ４２）、環境温度ｔ１を測定し（ステップＳ４３）、外部環境温度と血液試料温度とに差がない場合は、測定器の環境温度測定部で取得される温度ｔ１を採用し（ステップＳ４６）、温度が急激に変化するなどして外部環境温度と血液試料温度とに差が生じた場合は、測定器の環境温度測定部では対応できないので測定部で取得される温度ｔを採用する（ステップＳ４５）とよい。
【０３４８】
より具体的には、温度閾値Ｚを予め決定しておき、｜ｔ−ｔ１｜の値と温度閾値Ｚとを比較する（ステップＳ４４）。そして、｜ｔ−ｔ１｜の値が温度閾値Ｚ以上の場合には、温度ｔに基づいて濃度ｘを補正し（ステップＳ４５）、温度閾値Ｚより小さい場合には環境温度ｔ１に基づいて濃度ｘを補正する（ステップＳ４６）。温度閾値Ｚの範囲は、測定器の環境温度測定部の精度とセンサチップの測定部の精度とを考慮して決定され、０．０１〜５．０℃、好ましくは０．１〜２．０℃、より好ましくは０．２〜１．０℃の範囲である。
【０３４９】
このとき、バイオセンサシステム１００における演算部（濃度決定部）３０６（図５参照）は、図８（ｂ）に示すように、データａに基づいて、血液試料の温度ｔを算出する温度算出部３１０と、データｂに基づいて、血液試料の分析物の濃度ｘを算出する濃度算出部３１１と、測定器は、血液試料の周囲の環境温度ｔ１を測定する環境温度測定部３１２と、温度ｔと環境温度ｔ１との差分を温度閾値Ｚと比較する比較部３１３と、｜ｔ−ｔ１｜≧Ｚを満たす場合、温度ｔに基づいて濃度ｘを補正し、｜ｔ−ｔ１｜＜Ｚを満たす場合、環境温度ｔ１に基づいて濃度ｘを補正する補正部（分析物補正部）３１４と、を含んでいる。
【０３５０】
（Ｂ）
上記実施形態では、血液試料の温度測定とグルコース等の濃度測定とを、共通の電極１１，１２を用いて行うセンサチップ２００を例として挙げて説明した。しかし、本発明はこれに限定されるものではない。
例えば、図９１（ａ）に示すように、グルコース測定用の電極と温度測定用の電極の２つの系統（電極Ａ，Ｂ、電極Ｃ，Ｄ）を構成する４つの電極Ａ〜Ｄを設けたセンサチップ２１０であってもよい。
【０３５１】
この場合には、図９１（ｂ）に示すように、グルコース測定系の電極Ａ，Ｂには０．２５Ｖ、図９１（ｃ）に示すように、温度測定系の電極Ｃ，Ｄには、妨害物質（グルコース、Ｈｃｔ以外の物質。例えば、血液中のビタミンＣ、アスコルビン酸等）の濃度測定時には０．２５Ｖ、温度測定時には１．５Ｖの電圧を印加する。
また、グルコース測定系の電極Ａ，Ｂ上に塗布される試薬として、酵素＋メディエータを用いるとともに、温度測定系の電極Ｃ，Ｄ上に塗布される試薬として、溶解後に電解質として機能する物質（好ましくは、グルコース測定系と同じメディエータ）を用いることが好ましい。
【０３５２】
これにより、グルコース測定系側の電極Ａ，Ｂでは、酵素とグルコースに起因した電流値を得ることができ、温度測定系側の電極Ｃ，Ｄでは、温度に起因した電流値を得ることができる。
【０３５３】
（Ｃ）
上記実施形態では、グルコース測定系と温度測定系とが共通のセンサチップ２００を用いてそれぞれ測定を行う例を挙げて説明した。しかし、本発明はこれに限定されるものではない。
例えば、図９２（ａ）に示す２電極、図９２（ｂ）に示す３電極、図９２（ｃ）に示す４電極、図９２（ｄ）に示す５電極、図９２（ｅ）に示す６電極の電極パターンによって構成されるセンサチップを用いてもよい。
【０３５４】
（Ｄ）
上記実施形態では、作用極上の試薬配置として、略円形に試薬が塗布されたセンサチップ２００を用いた例として挙げて説明した。しかし、本発明はこれに限定されるものではない。
例えば、図９３（ａ）に示す作用極上に滴下された試薬層２２０ａや、図９３（ｂ）に示すキャピラリ部分を含む全体にペースト印刷等で配置された試薬層２２０ｂ、図９３（ｃ）に示すキャピラリ部分に沿って形成された試薬層２２０ｃ等を有するセンサチップ２１０ａ〜２１０ｃであってもよい。
【０３５５】
（Ｅ）
上記実施形態では、３つの電極Ａ，Ｂ，Ｃを配置してセンサチップ２００を構成した例を挙げて説明した。しかし、本発明はこれに限定されるものではない。
例えば、図９４（ａ）に示すように、２つの電極Ａ，Ｂを組み合わせてセンサチップを構成してもよいし、図９４（ｂ）〜図９４（ｄ）に示すように、形状を変更した３つの電極Ａ，Ｂ，Ｃを組み合わせて、センサチップを構成してもよい。
【０３５６】
（Ｆ）
上記実施形態では、３つの電極Ａ，Ｂ，Ｃ上に反応試薬層２０を配置してセンサチップ２００を構成した例を挙げて説明した。しかし、本発明はこれに限定されるものではない。
例えば、２電極を有するセンサチップ構成において、対極（電極Ｂ）上に配置される試薬層としては、図９５（ａ）に示すように、電極Ｂ上に円形に塗布された試薬層４２０ａや、図９５（ｂ）に示すように、電極Ｂ上を含むキャピラリに沿って長方形に塗布された試薬層４２０ｂや、図９５（ｃ）に示すように、電極Ｂ上に正方形に塗布された試薬層４２０ｃ等を含むセンサチップ４００ａ〜４００ｃであってもよい。
【０３５７】
また、３電極を有するセンサチップ構成において、対極（電極Ｂ）上に配置される試薬層としては、図９５（ｄ）に示すように、電極Ｂ上に円形に塗布された試薬層４２０ｄや、図９５（ｅ）に示すように、電極Ｂ上を含むキャピラリに対して横長の長方形に塗布された試薬層４２０ｅや、図９５（ｆ）に示すように、センサチップ先端部分を覆うように塗布された試薬層４２０ｆ等を含むセンサチップ４００ｄ〜４００ｆであってもよい。
【０３５８】
（Ｇ）
上記実施形態では、３つの電極Ａ，Ｂ，Ｃを含むセンサチップ２００を用いて、各電極に対して所定時間に所定の電圧を印加して、血液試料の温度、グルコース濃度等を測定した例を挙げて説明した。しかし、本発明はこれに限定されるものではない。
例えば、図９６（ａ）に示すように、２つの電極Ａ，Ｂを有するセンサチップ５００ａにおいて、作用極Ａにグルコース測定電極と温度測定電極とを兼用させてもよい。
【０３５９】
この場合には、図９６（ｂ）に示すように、０〜３．５ｓｅｃまでの時間、電極Ａ−Ｂ間に０．２５Ｖを印加してグルコース濃度測定時間とし、その後、３．５〜６．０ｓｅｃまでの時間、電極Ａ−Ｂ間に１．５Ｖを印加して温度を測定すればよい。
あるいは、図９６（ｃ）に示すように、先に０〜１．５ｓｅｃまでの時間、１．５Ｖを印加して温度測定を行い、その後０．２５Ｖを印加してグルコース濃度を測定してもよい。
【０３６０】
または、図９６（ｄ）に示すように、血液試料と試薬との反応時間を確保するために、所定時間（０〜１．５ｓｅｃ）は電圧を印加せずに、１．５〜３．５ｓｅｃまでの時間、０．２５Ｖを印加してグルコース濃度を測定した後、３．５〜５．０ｓｅｃまでの時間、１．５Ｖを印加して温度を測定してもよい。
さらには、図９６（ｅ）に示すように、先に０〜１．５ｓｅｃまでの時間、１．５Ｖを印加して温度測定を行い、血液試料と試薬との反応が完了するまでの所定時間（１．５〜３．０ｓｅｃ）だけ電圧を印加せず、その後、３．０〜５．０ｓｅｃまでの時間、０．２５Ｖを印加してグルコース濃度を測定してもよい。
【０３６１】
なお、図９６（ｃ）および図９６（ｅ）に示すように、先に温度測定のための高電圧（１．５Ｖ）を印加する場合には、作用極を固定することが好ましい。これにより、グルコース濃度測定時における分解能を充分に確保することができる。
【０３６２】
（Ｈ）
上記実施形態では、３つの電極Ａ，Ｂ，Ｃを含むセンサチップ２００を用いて、各電極に対して所定時間に所定の電圧を印加して、血液試料の温度、グルコース濃度等を測定した例を挙げて説明した。しかし、本発明はこれに限定されるものではない。
例えば、図９７（ａ）に示すように、４つの電極Ａ，Ｂ，Ｃ，Ｄを有するセンサチップ５００ｂにおいて、電極Ａをグルコース濃度測定時の作用極とし（対極はＢ、もしくはＢ＋Ｃ）、電極Ｄを温度測定時における作用極（グルコース測定前においては、対極はＣ、もしくはＣ＋Ｂ、グルコース測定後においては、Ａ，Ｂ，Ｃのいずれか１つ、または複数）として使用してもよい。
【０３６３】
この場合には、２極の構成と同様に、図９７（ｂ）に示すように、０〜３．５ｓｅｃの時間、０．２５Ｖを印加してグルコース濃度を測定し、３．５〜５．０ｓｅｃの時間、１．５Ｖを印加して温度を測定してもよい。
あるいは、図９７（ｃ）に示すように、３．０〜５．０ｓｅｃの時間、０．２５Ｖを印加してグルコース濃度測定を行うとともに、３．５〜５．０ｓｅｃの時間だけ重ねて１．５Ｖを印加して温度測定を行うことも可能である。
【０３６４】
（Ｉ）
上記実施形態では、生体試料の分析物として、血液試料に含まれるグルコース、ヘマトクリット、酸化還元物質等を例として挙げて説明した。しかし、本発明はこれに限定されるものではない。
例えば、血液試料以外の生体試料を分析対象物とした場合には、分析物としてもグルコース等以外を対象とすることもできる。
【０３６５】
（Ｊ）
上記実施形態では、温度測定時および濃度測定時において、センサチップ２００の電極に対してプラス電位の電圧を印加した例を挙げて説明した。しかし、本発明はこれに限定されるものではない。
例えば、温度測定時および濃度測定時ともに、センサチップに対して印加される電圧はプラス電位に限らず、マイナス電位の電圧であってもよい。
【０３６６】
（Ｋ）
上記実施形態では、センサチップ２００において、図３に示すように、作用極と対極（電極１１，１２，１３）とが同一平面上に配置されている例を挙げて説明した。しかし、本発明はこれに限定されるものではない。
例えば、作用極と対極とが互いに対向配置されたセンサチップであってもよい。
【０３６７】
（Ｌ）
上記実施形態では、温度測定時における印加電圧の好ましい範囲として、１．０Ｖ以上の範囲を例として挙げて説明した。しかし、本発明はこれに限定されるものではない。
例えば、温度測定時における好ましい印加電圧の範囲としては、直接的な数値以外にも、グルコース濃度測定時における印加電圧に対する比や電位差等の数値として表すことも可能である。
【０３６８】
また、グルコース濃度測定時における印加電圧についても、上記実施例８でも説明したように、０．１〜０．５Ｖの範囲内での測定が可能であることは言うまでもなく、温度測定時における印加電圧に対する比や電位差等の数値として好ましい範囲を特定することも可能である。
【産業上の利用可能性】
【０３６９】
本発明のセンサチップおよびこれを備えたバイオセンサシステム、生体試料の温度測定方法、濃度測定方法は、温度に起因した濃度測定誤差の発生を効果的に抑制することができるという効果を奏することから、測定の高精度化が要求される各分野において広く適用可能である。
【符号の説明】
【０３７０】
１１，１２  電極（温度電極、分析電極、第１の温度測定部、分析物測定部）
１３    電極
１６    空気抜き口
１７    生体試料導入口
２０    反応試薬層
４０    キャピラリ部
１００    バイオセンサシステム
１０１    測定器
１０２    装着口
１０３    表示部
２００    センサチップ
２０１    絶縁基板
２０２    スペーサ
２０３    カバー
２０４    切欠部
２１０    センサチップ
２１０ａ，２１０ｂ，２１０ｃ  センサチップ
２２０ａ，２２０ｂ，２２０ｃ  試薬層
３００    制御回路
３０１ａ，３０１ｂ，３０１ｃ  コネクタ
３０２    切換回路
３０３    電流／電圧変換回路
３０４    アナログ／デジタル（Ａ／Ｄ）変換回路
３０５    基準電圧源（電圧印加部）
３０６    演算部（濃度決定部）
３０７    温度測定部
３０８    演算部
３０９    濃度算出部
３１０    温度算出部
３１１    濃度算出部
３１２    環境温度測定部
３１３    比較部
３１４    補正部（分析物補正部）
４００ａ〜４００ｆ  センサチップ
４２０ａ〜４２０ｆ  試薬層
５００ａ、５００ｂ  センサチップ
【図１】
0005489138.tif 000002
【図２】
0005489138.tif 000003
【図３】
0005489138.tif 000004
【図４】
0005489138.tif 000005
【図５】
0005489138.tif 000006
【図６】
0005489138.tif 000007
【図７】
0005489138.tif 000008
【図８】
0005489138.tif 000009
【図９】
0005489138.tif 000010
【図１０】
0005489138.tif 000011
【図１１】
0005489138.tif 000012
【図１２】
0005489138.tif 000013
【図１３】
0005489138.tif 000014
【図１４】
0005489138.tif 000015
【図１５】
0005489138.tif 000016
【図１６】
0005489138.tif 000017
【図１７】
0005489138.tif 000018
【図１８】
0005489138.tif 000019
【図１９】
0005489138.tif 000020
【図２０】
0005489138.tif 000021
【図２１】
0005489138.tif 000022
【図２２】
0005489138.tif 000023
【図２３】
0005489138.tif 000024
【図２４】
0005489138.tif 000025
【図２５】
0005489138.tif 000026
【図２６】
0005489138.tif 000027
【図２７】
0005489138.tif 000028
【図２８】
0005489138.tif 000029
【図２９】
0005489138.tif 000030
【図３０】
0005489138.tif 000031
【図３１】
0005489138.tif 000032
【図３２】
0005489138.tif 000033
【図３３】
0005489138.tif 000034
【図３４】
0005489138.tif 000035
【図３５】
0005489138.tif 000036
【図３６】
0005489138.tif 000037
【図３７】
0005489138.tif 000038
【図３８】
0005489138.tif 000039
【図３９】
0005489138.tif 000040
【図４０】
0005489138.tif 000041
【図４１】
0005489138.tif 000042
【図４２】
0005489138.tif 000043
【図４３】
0005489138.tif 000044
【図４４】
0005489138.tif 000045
【図４５】
0005489138.tif 000046
【図４６】
0005489138.tif 000047
【図４７】
0005489138.tif 000048
【図４８】
0005489138.tif 000049
【図４９】
0005489138.tif 000050
【図５０】
0005489138.tif 000051
【図５１】
0005489138.tif 000052
【図５２】
0005489138.tif 000053
【図５３】
0005489138.tif 000054
【図５４】
0005489138.tif 000055
【図５５】
0005489138.tif 000056
【図５６】
0005489138.tif 000057
【図５７】
0005489138.tif 000058
【図５８】
0005489138.tif 000059
【図５９】
0005489138.tif 000060
【図６０】
0005489138.tif 000061
【図６１】
0005489138.tif 000062
【図６２】
0005489138.tif 000063
【図６３】
0005489138.tif 000064
【図６４】
0005489138.tif 000065
【図６５】
0005489138.tif 000066
【図６６】
0005489138.tif 000067
【図６７】
0005489138.tif 000068
【図６８】
0005489138.tif 000069
【図６９】
0005489138.tif 000070
【図７０】
0005489138.tif 000071
【図７１】
0005489138.tif 000072
【図７２】
0005489138.tif 000073
【図７３】
0005489138.tif 000074
【図７４】
0005489138.tif 000075
【図７５】
0005489138.tif 000076
【図７６】
0005489138.tif 000077
【図７７】
0005489138.tif 000078
【図７８】
0005489138.tif 000079
【図７９】
0005489138.tif 000080
【図８０】
0005489138.tif 000081
【図８１】
0005489138.tif 000082
【図８２】
0005489138.tif 000083
【図８３】
0005489138.tif 000084
【図８４】
0005489138.tif 000085
【図８５】
0005489138.tif 000086
【図８６】
0005489138.tif 000087
【図８７】
0005489138.tif 000088
【図８８】
0005489138.tif 000089
【図８９】
0005489138.tif 000090
【図９０】
0005489138.tif 000091
【図９１】
0005489138.tif 000092
【図９２】
0005489138.tif 000093
【図９３】
0005489138.tif 000094
【図９４】
0005489138.tif 000095
【図９５】
0005489138.tif 000096
【図９６】
0005489138.tif 000097
【図９７】
0005489138.tif 000098
【図９８】
0005489138.tif 000099
【図９９】
0005489138.tif 000100
【図１００】
0005489138.tif 000101
【図１０１】
0005489138.tif 000102
【図１０２】
0005489138.tif 000103
【図１０３】
0005489138.tif 000104
【図１０４】
0005489138.tif 000105
【図１０５】
0005489138.tif 000106
【図１０６】
0005489138.tif 000107
【図１０７】
0005489138.tif 000108
【図１０８】
0005489138.tif 000109
【図１０９】
0005489138.tif 000110
【図１１０】
0005489138.tif 000111
【図１１１】
0005489138.tif 000112
【図１１２】
0005489138.tif 000113
【図１１３】
0005489138.tif 000114
【図１１４】
0005489138.tif 000115
【図１１５】
0005489138.tif 000116
【図１１６】
0005489138.tif 000117
【図１１７】
0005489138.tif 000118
【図１１８】
0005489138.tif 000119
【図１１９】
0005489138.tif 000120
【図１２０】
0005489138.tif 000121
【図１２１】
0005489138.tif 000122
【図１２２】
0005489138.tif 000123
【図１２３】
0005489138.tif 000124
【図１２４】
0005489138.tif 000125
【図１２５】
0005489138.tif 000126
【図１２６】
0005489138.tif 000127
【図１２７】
0005489138.tif 000128
【図１２８】
0005489138.tif 000129
【図１２９】
0005489138.tif 000130
【図１３０】
0005489138.tif 000131
【図１３１】
0005489138.tif 000132
【図１３２】
0005489138.tif 000133
【図１３３】
0005489138.tif 000134
【図１３４】
0005489138.tif 000135
【図１３５】
0005489138.tif 000136
【図１３６】
0005489138.tif 000137
【図１３７】
0005489138.tif 000138
【図１３８】
0005489138.tif 000139